(57)【特許請求の範囲】
【請求項１】
画像情報に基づく画像を表示画面に表示する表示部と、利用者による入力操作を受け付ける複数のキー入力操作子を有するキー入力受付部と、他の情報通信端末との間で情報の通信を行う通信部とを備えた情報通信端末であって、
上記複数のキー入力操作子は、それぞれ上記表示画面内の特定領域を分割した各領域に関連付けられており、
上記利用者からの入力を受け付けたキー入力操作子に関連付けられた上記特定領域を分割した領域を示す領域指定情報を、上記表示画面における目印の表示位置を示す目印情報として作成する目印情報作成手段と、
利用者によるキー入力操作子の操作によって上記目印の位置を移動させる目印情報移動制御手段と、
上記目印情報を他の情報通信端末に対して送信するように上記通信部を制御する通信制御手段とを備え、
上記複数のキー入力操作子は、さらに、上記目印の複数の移動方向に関連付けられており、上記複数のキー入力操作子の配置は、上記表示画面内の特定領域を分割した各領域の配置に一致するとともに、上記目印の複数の移動方向に一致し、
上記目印情報作成手段が上記目印情報を作成した後、上記利用者によりキー入力操作子が操作された場合は、上記目印情報移動制御手段が、操作されたキー入力操作子に対応する移動方向に、上記目印を移動させることを特徴とする情報通信端末。
【請求項２】
上記利用者からの入力を受け付けたキー入力操作子に関連付けられた上記特定領域を分割した領域に、目印を表示するように上記表示部を制御する表示制御手段をさらに備えていることを特徴とする請求項１に記載の情報通信端末。
【請求項３】
上記表示制御手段は、上記表示画面に、上記特定領域を分割した各領域を示す分割グリッド線を表示させることを特徴とする請求項２に記載の情報通信端末。
【請求項４】
上記目印情報作成手段は、上記目印の表示態様である目印態様情報を含む目印情報を作成することを特徴とする請求項１〜３の何れか１項に記載の情報通信端末。
【請求項５】
上記キー入力受付部が、上記キー入力操作子に含まれる所定のキー入力操作子への入力を受け付けると、該入力毎に目印の移動量が段階的に切り換わることを特徴とする請求項１〜４の何れか１項に記載の情報通信端末。
【請求項６】
請求項１〜５の何れか１項に記載の情報通信端末を動作させる端末制御プログラムであって、上記各手段をコンピュータに実現させることを特徴とする端末制御プログラム。
【発明の詳細な説明】
【技術分野】
【０００１】
本発明は、通信機能を持つ情報通信端末を利用する利用者同士が、お互いの情報通信端末の表示画面上に共通の画面を表示して、コミュニケーションをとることが可能な情報通信端末および端末制御方法、端末制御プログラム並びにこれを記録した記録媒体に関するものである。
【背景技術】
【０００２】
近年、遠隔地の相手と、手軽にコミュニケーションを行うためのパーソナルツールとして、携帯型電話機が広く普及したことにより、音声通話や電子メールによるコミュニケーションは、年齢層を問わず日常的に行われるようになっている。
【０００３】
また、携帯型電話機へのカメラ機能の搭載が一般的になってきたため、音声や文字だけのコミュニケーションから、撮影した静止画や動画等の画像を相手に送信する、テレビ電話機能を利用する等、ビジュアル的要素を加えたコミュニケーションが可能となっている。また、画像情報が付加されたことにより、コミュニケーションツールとしての機能が飛躍的に向上し、利便性が高まっている。
【０００４】
このような、ビジュアル的要素を加えたコミュニケーションにおいては、話題の対象となる画像を相手に送信する等して、お互いの表示画面上に共通の画像を表示し、その画像に関する話題について、音声通話機能により話し合うようなケースが、通信技術の発達と共に、今後ますます増えてくるものと予想される。
【０００５】
このような、お互いの表示画面上に共通の画像を表示し、その画像に関する話題について音声通話するようなコミュニケーション形態としては、従来からテレビ電話システム等が考案されている。
【０００６】
特許文献１では、テレビ通信システム等の位置指定表示装置において、電話機の数字操作子（ダイヤルボタン）をカーソル移動用の操作子と兼用し、各数字操作子にベクトルデータを割り当て、複数の数字操作子がオン操作されたとき、数字操作子に割り当てられたベクトルデータのベクトル和に基づいて、画像上に重畳表示されたカーソルを移動させる位置指定表示装置について開示されている。
【０００７】
また、特許文献２では、アナログ回線を利用したテレビ電話会議システム等の遠隔カーソル位置伝送装置において、ＤＴＭＦ信号によって、マウスカーソル情報を音声と多重化して伝送し、１本のアナログ電話回線を介して、マウスカーソル情報と音声とを同時に伝送できる遠隔カーソル位置伝送装置について開示されている。
【０００８】
また、特許文献３では、ファクシミリ伝送画像に続けて、音声および座標入力された軌跡データを送信する情報伝送装置が開示されている。この情報伝送装置からデータを受信する受信側装置は、軌跡データに応じた軌跡画像を表示手段の画面上に、ファクシミリ画像に重ねて表示させるようになっている。
【特許文献１】特許第２７９４５８６号公報（発行日１９９８年９月１０日）
【特許文献２】特開平８−１７９７４２号公報（公開日１９９６年７月１２日）
【特許文献３】特開平８−１４９２３４号公報（公開日１９９６年６月７日）
【発明の開示】
【発明が解決しようとする課題】
【０００９】
情報通信端末を利用して、話題の対象となる画像を相手に送信する等して、お互いの表示画面上に共通の画像を表示し、その画像に関する話題について、音声通話機能を用いて話し合うような場合、画像上での話題の対象となる部分について説明する際に、言葉では表現し辛いこともある。
【００１０】
例えば、複数人の名前を知らない人々が不整列に写っている場合に、その中のある人物を示したいときや、画像に複数の物体が写っている場合に、その中の名称がわからない物を示したいとき、あるいは表示コンテンツ上の複数のアイコン中の、どれかを示したいとき等である。
【００１１】
また、言葉で伝えるよりも画像上の対象部分を直接示したほうが、間違いが生じにくく、容易である場合や、画像上のいろいろな部分をゲーム感覚でお互いに指し示しながら話し合いたい場合もある。
【００１２】
また、画像上で話題の対象となる部分を指し示す場合、その対象となる部分を、１点（ピンポイント）で指し示したい場合もあれば、ある範囲（エリア）で指し示したい場合もある。
【００１３】
上記のような状況では、画像上の話題の対象となる部分を、簡単な操作で、すばやく指し示して相手に伝えることが重要である。
【００１４】
また、重要な課題として、次のことが挙げられる。現在の携帯型電話機は、一見すると、どれも同じような外観や形状で、かつ表示画面のサイズもほぼ同等である。しかし、その表示画面の解像度は機種によって異なっており、例えば、現在では、縦１６０×横１２０ピクセルが主流であるが、最近では縦３２０×横２４０ピクセルの機種も増えつつある。この２つの機種間では、表示画面上のピクセル数が縦方向および横方向とも２倍の差があり、ピクセル数を基準にして表示画面上の座標を示した場合、解像度（ピクセル数）が異なる機種間では、表示画面上の物理的な位置が異なってしまうという問題がある。そのため、年齢層を問わずに誰もが気軽に使う携帯型電話機においては、利用者には端末間の解像度（ピクセル数）の違いを意識させること無く対応できる、端末間ポインティング手法が必要となる。
【００１５】
上記のような課題に対して、上記従来の技術を用いた場合では、以下に示すような問題を有する。
【００１６】
すなわち、特許文献１に開示された位置指定表示装置では、表示画面上でカーソル等の目印情報を、対象となる部分までアナログ的に移動させてポインティングしなければならず、カーソル位置と、対象部分の距離が離れている場合には、カーソル操作に手間がかかり、すばやく対象物を指し示すことは困難である。
【００１７】
さらには、携帯型電話機の場合、ダイヤルボタンが小さく、かつボタン間隔が狭く、入力ストロークも小さいことから、複数のダイヤルボタンを同時に操作してベクトル和を用いてカーソルを自在に移動させることも困難である。
【００１８】
一方、特許文献２に開示された遠隔カーソル位置伝送装置では、自機の情報通信端末の操作により、受信側の情報通信端末に対して通話しながらタイムリーに目印情報をポインティングすることは考慮されているが、マウスのようなアナログポインティングデバイスを前提としており、携帯型電話機のような情報通信端末に適用することは困難である。
【００１９】
また、タッチパネルを備えた携帯型電話機が考案されており、素早いポインティング操作には適している。
【００２０】
しかし、低価格かつ小型軽量化が強く要求される携帯型電話機においては、タッチパネルを備えること自体が不向きであることから、低価格な普及機にまで広く採用されることは考え難い。
【００２１】
また、指でポインティングする程度の精度の低いラフなポインティングの場合には問題無いが、携帯型電話機の小さな画面に表示された写真の、細かい部分をポインティングするには、ペン等の先の細い入力アイテムが必要となる。よって、これらの入力アイテムを常に携行することは利用者に負担を強いることになり、いつでもどこでも気軽に使えることが最大の特徴である携帯型電話機に適用することは困難である。
【００２２】
また、特許文献３に開示された情報伝送伝送装置では、受信側装置では、受信した軌跡データに応じた軌跡画像が表示されるようになっているが、ここで表示される軌跡画像は、送信側でディジタイザなどで描画入力された画像となっている。この場合、例えば単にある位置に丸印を表示させたい場合には、送信側で丸印を描画した全ての軌跡情報を受信側に送信する必要があり、通信料が増大するという問題がある。
【００２３】
本発明は、上記の問題点に鑑みてなされたものであり、その目的は、複数の情報通信端末間でお互いの表示画面上に共通の画像を表示し、その画像上で話題の対象となる部分を指し示す目印を表示する際の処理を簡素化、効率化することができる情報通信端末および端末制御方法、端末制御プログラム並びにこれを記録した記録媒体を提供することにある。
【００２４】
また、より詳細には、本発明の目的は、複数の情報通信端末間でお互いの表示画面上に共通の画像を表示し、素早く簡単な操作で、その画像上で話題の対象となる部分を指し示す目印を表示することができる情報通信端末および端末制御方法、端末制御プログラム並びにこれを記録した記録媒体を提供することにある。
【００２５】
また、本発明の他の目的は、複数の情報通信端末間でお互いの表示画面上に共通の画像を表示し、その画像上で話題の対象となる部分を指し示す目印を表示する際の通信量の低減、および、操作量の低減を実現する情報通信端末および端末制御方法、端末制御プログラム並びにこれを記録した記録媒体を提供することにある。
【課題を解決するための手段】
【００２６】
本発明の情報通信端末は、上記の課題を解決するために、画像情報に基づく画像を表示画面に表示する表示部と、利用者による入力操作を受け付ける複数のキー入力操作子を有するキー入力受付部と、他の情報通信端末との間で情報の通信を行う通信部とを備えた情報通信端末であって、上記複数のキー入力操作子は、それぞれ上記表示画面内の特定領域を分割した各領域に関連付けられており、上記利用者からの入力を受け付けたキー入力操作子に関連付けられた上記特定領域を分割した領域を示す領域指定情報を目印情報として作成する目印情報作成手段と、上記目印情報を他の情報通信端末に対して送信するように上記通信部を制御する通信制御手段とを備えていることを特徴としている。
【００２７】
上記の構成によれば、表示画面に表示された画像に含まれる説明等を行う対象物を指し示すために、その対象物が表示されている表示画面内の特定領域を分割した領域に対応するキー入力操作子が利用者からの入力を受け付け、目印を表示する領域の情報を目印情報として作成し、他の情報通信端末に送信することができるので、通信相手の情報通信端末に対し、表示画面上での上記対象物が含まれる領域を指定することができる。
【００２８】
ここで、キー入力操作子は、例えば、携帯型電話機における１〜９までの番号を入力するボタンであって、この各ボタンは、表示画面を９つに分割した各領域と一対一で関連付けされている。
【００２９】
つまり、携帯型電話機の数字入力ボタンを押下すると、表示制御手段が表示部を制御して、その数字入力ボタンの配置に対応する表示画面の領域、例えば、「１」を押下した場合は表示画面の左上の領域に、目印を表示することができる。
【００３０】
これにより、利用者は、目印を表示させたい表示画面の分割領域に関連付けされた数字入力ボタン等のキー入力操作子を押下するだけで、対応する分割領域内に、矢印等の目印を表示させることを指示する目印情報を他の情報通信端末に送信することができる。
【００３１】
よって、利用者は、マウス等のポインティングデバイスや、特別なボタンを必要とせずに、従来の構成をそのまま使用して、簡易な方法で目印を、所望の位置に表示する指示を行うことができる。
【００３２】
また、通信相手の情報通信端末が、上記目印情報を受信し、表示画面上の指定された領域に目印を表示させることができれば、通信相手の利用者は、対象物が含まれる領域を目視で確認することができる。
【００３３】
以上により、通信相手との間で、共有する画像に関して対象物を明確に指し示した状態で、メールや音声通話でのコミュニケーションをとることが可能になる。
【００３４】
なお、通信制御手段は、説明等を行う対象物を含む画像情報と共に目印情報を送信してもよいし、すでに送信相手がその画像情報を所持している場合には、目印情報単独で送信してもよい。
【００３５】
また、本発明に係る情報通信端末は、上記の構成において、上記利用者からの入力を受け付けたキー入力操作子に関連付けられた上記特定領域を分割した領域に、目印を表示するように上記表示部を制御する表示制御手段をさらに備えていてもよい。
【００３６】
この場合、送信側の情報通信端末においても目印の表示が行われることになるので、目印表示の指示をどのように行ったかを送信側で確認することが可能となる。
【００３７】
上記領域指定情報は、上記利用者からの入力を受け付けたキー入力操作子を示す情報である入力操作情報であってもよい。
【００３８】
上記のようであると、情報通信端末は、入力操作情報を目印情報として他の情報通信端末に送信することができる。つまり、入力した番号等をそのまま情報として通信相手の情報通信端末に送信することができる。
【００３９】
例えば、表示画面の左上の領域に対応付けられた携帯型電話機の数字入力ボタン「１」を押下すると、表示画面の左上の領域を示す情報としの「１」を目印情報として、通信相手の情報通信端末に送信することができる。
【００４０】
上記領域指定情報は、上記目印の表示位置を示す情報である座標情報であってもよい。
【００４１】
上記のようであると、情報通信端末は、座標情報を目印情報として、他の情報通信装置に送信することができる。
【００４２】
例えば、携帯型電話機の数字入力ボタン「１」を押下すると、その数字入力ボタンに対応する表示画面の領域、表示画面の左上に位置する分割領域の中心部分の座標情報を情報通信端末に対して送信する。このことで、通信相手の情報通信端末に表示画面上での説明する対象物が含まれる領域を指定することができる。通信相手の情報通信端末が、座標情報によって指定された領域に目印等を表示させることができれば、通信相手の利用者は、対象物が含まれる領域を目視で確認することができる。
【００４３】
本発明にかかる情報通信端末は、上記構成に加え、上記目印情報作成手段は、上記目印の表示態様である目印態様情報を作成し、上記通信制御手段は、上記目印態様情報を目印情報として他の情報通信端末に対して送信するように上記通信部を制御する構成であってもよい。
【００４４】
上記の構成によれば、目印情報作成手段が作成した目印情報に基づいて矢印等の目印の態様を、情報通信端末の表示画面において、例えば、矢印、十字、○、□等の表示態様で表示することができ、画像の中の一点、あるいは所定の領域を指し示すことができる。また、これを目印情報として他の情報通信端末に送信することができるので、通信相手の情報通信端末の表示画面でも、送信側と同じ態様の目印を、表示画面上での説明する対象物が含まれる領域に表示することができる。
【００４５】
上記キー入力受付部が、上記キー入力操作子に含まれる所定のキー入力操作子への入力を受け付けると、上記目印情報作成手段は、目印の表示態様を変更させ、上記表示制御手段は、表示態様を変更された目印を、上記表示画面に表示させることがより好ましい。
【００４６】
これにより、例えば、所定のキー入力操作子として、携帯型電話機のダイヤルボタンのうち、「＊」ボタンを押下することで、目印情報を変更して、適切な種類、形状、サイズ、線種、色の目印を表示画面に表示することができる。
【００４７】
上記キー入力受付部が、上記キー入力操作子に含まれる所定のキー入力操作子への入力を受け付けると、上記目印情報作成手段は、目印の表示態様を確定させ、上記表示制御手段は、表示態様を確定された目印を、上記表示画面に表示させることがより好ましい。
【００４８】
これにより、所定のキー入力操作子を押下することにより、目印の種類、または形状、サイズ、線種、色等の表示態様を含む目印情報を確定することができる。
【００４９】
本発明の情報通信装置は、上記構成に加え、上記キー入力操作子に対する入力は、さらに、上記目印を表示する領域を指定する機能と、上記目印の表示位置を移動させる機能とで切り換えられるようになっており、利用者のキー入力操作子の操作によって上記目印の位置を移動させる目印情報移動制御手段をさらに有し、上記通信制御手段は、上記目印の位置の移動を示す目印移動情報を目印情報として、他の情報通信端末に対して送信するように上記通信部を制御する構成であってもよい。
【００５０】
上記の構成によれば、指定した表示画面の分割した領域に目印を表示させた後、目印を移動させて、目印の表示位置を上記領域内で微調整することができる。
【００５１】
よって、微調整した目印により、表示画面中の対象物をより正確に指し示すことができる。このため、対象物が小さい場合でも、その対象物を正確に指し示した目印を表示する目印情報を通信相手に対して送信することができる。
【００５２】
上記キー入力受付部が、上記キー入力操作子に含まれる所定のキー入力操作子への入力を受け付けると、該入力毎に目印の移動量が段階的に切り換わることがより好ましい。
【００５３】
これにより、目印を移動して、目印の表示位置を微調整するときの、移動量を変更できるので、より自在に目印の表示位置を調整することができる。
【００５４】
上記表示制御手段は、上記キー入力操作子への入力が上記目印の移動機能に切り換えられると、上記目印の表示態様を切り換えることがより好ましい。
【００５５】
これにより、情報通信端末の利用者は、キー入力操作子への入力により、表示画面の所望の位置に表示された目印を移動させ、微調整することができる状態であることを容易に認識することができる。また、通信相手にも目印を移動させ、微調整することができる状態である、つまり、まだ、目印の表示位置を確定していない、ということを認識させることができる。
【００５６】
なお、上記目印の表示態様は、例えば、目印情報に含まれる線種、線の太さ、色等の情報に設定に基づいて決定される。
【００５７】
上記通信制御手段は、上記キー入力操作子を押下する毎に、上記目印情報を送信する逐次送信モードを有していることがより好ましい。
【００５８】
これにより、利用者は、逐次送信モードに設定するだけで、送信側の情報通信端末において入力した目印の表示位置、移動、表示態様等を含む目印情報の変更の遷移を、逐次、通信相手である受信側の情報通信端末に送信することができる。よって、通信相手の情報通信端末の表示画面において、逐次目印情報が表示されることで、通信相手の相手利用者に目印の変更の遷移を逐次確認させることができる。
【００５９】
上記通信制御手段は、上記目印情報を確定させた後、該目印情報を送信する確定情報送信モードを有する構成としてもよい。
【００６０】
確定した目印情報のみを送信するため、必要最小限の情報を送信するだけで済み、逐次送信モードに設定されている場合と比較して、データ通信量を削減することができる。
【００６１】
また、確定した目印情報を送信するため、通信相手の利用者に、表示画面に含まれる対象物をすぐに確認させることができる。
【００６２】
上記通信制御手段は、上記目印情報を、通話の音声データとともに送受信することがより好ましい。
【００６３】
これにより、例えば、画像表示と共に音声通話が可能な携帯型電話機等の情報通信端末において、通話の音声データとともに、デジタルデータからなる目印情報の送受信を行うことができる。
【００６４】
よって、利用者は、通話しながら表示画面に含まれる目印で正確に指し示された対象物について、コミュニケーションをとることができる。
【００６５】
上記通信制御手段は、上記目印情報を、ＤＴＭＦ（Dual Tone Multiple Frequency）信号を用いて送信してもよい。
【００６６】
これにより、例えば、固定電話機等に一般的に搭載されているプッシュボタン信号（ＰＢ信号）の出力機能を利用して、通話しながらＤＴＭＦ信号を用いて、上記目印情報を送信することができる。
【００６７】
また、ＤＴＭＦ信号を利用することで、通信回線をデータ通信モードではなく、通話モードで利用している場合でも、上記目印情報の送受信を行うことができるため、通話しながら目印情報等を送受信することが可能になる。
【００６８】
上記通信制御手段は、上記目印情報を、音声からなるデータとして送信する構成であってもよい。
【００６９】
これにより、通信回線がデータ通信と、音声通話を同時に利用できない場合でも、あるいは、データ通信モードで使用できない通信回線でも、上記目印情報を受信側の情報通信端末に送信することができる。
【００７０】
例えば、利用者により入力ボタンが押されたら、音声からなるデータ（例えば、キー入力操作子から１が入力された場合には「いち」、２が入力された場合には「に」等）を合成し、通信相手の情報通信端末に送信することで、目印情報を送信することができる。あるいは、利用者によりキー入力操作子が押されたら、予め記憶さている音声データから、キー入力操作子に対応した音声データを読み出し、通信相手の情報通信端末に送信することで、目印情報を送信することができる。または、利用者が「いち」、「に」と言った声をそのまま、音声からなるデータとして通信相手の情報通信端末に送信することで、目印情報を送信することができる。なお、この場合、会話の音声と目印情報としての音声を通信相手の情報通信端末が取り違えないように、例えば、音声からなるデータとして目印情報を送信する前には、ボタンで切り換える、あるいは、会話では反応しないようにボタンを示す音声だけしか認識しないようにしておく等の操作が必要となる。
【００７１】
上記表示制御手段は、上記表示画面に分割グリッド線を表示させることがより好ましい。
【００７２】
これにより、分割グリッド線で分割された領域を表示画面に表示することができ、利用者は、どの領域に対象物が表示されているか容易に確認できるため、ポインティングする領域を容易に決定することができる。
【００７３】
また、本発明に係る情報通信端末は、上記の構成において、上記目印情報作成手段が、上記利用者によってキー入力操作子が入力操作された場合に、入力操作されたキー入力操作子に関連付けられた上記特定領域を分割した領域を第１の分割領域として設定するとともに、さらに上記利用者によってキー入力操作子が入力操作された場合に、上記第１の分割領域を特定領域として、入力操作されたキー入力操作子に関連付けられた領域を第２の分割領域として設定し、該第２の分割領域を示す領域指定情報を目印情報として作成するようになっていてもよい。
【００７４】
この構成によれば、比較的大きい表示画面を有する情報通信端末を用いる場合においても、迅速に所望の位置へのポインティングを行うことが可能となる。詳しく説明すると、表示画面が比較的大きい場合、キー入力操作子に関連付けられた、上記特定領域を分割した領域も比較的大きくなり、その領域内の対象物を的確に指し示すことはできないことになる。これに対して、上記の構成によれば、一度選択した領域を、さらにキー入力操作子に関連づけられた領域に分割して選択されることになるので、より的確に所望の位置へのポインティングを行うことが可能となる。また、この際には、２回の領域指定のみで詳細な位置指定を行うことができるので、利用者の操作量も低く抑えることができる。
【００７５】
なお、領域の指定動作は、２回以上行うことが可能となっていれば、さらに詳細な位置指定を行うことが可能となる。
【００７６】
また、本発明に係る情報通信端末は、画像情報に基づく画像を表示画面に表示する表示部と、利用者による入力操作を受け付ける入力操作子を有する入力受付部と、他の情報通信端末との間で情報の通信を行う通信部とを備えた情報通信端末であって、上記表示画面に目印を表示するように上記表示部を制御する表示制御手段と、上記入力受付部によって受け付けられた入力操作に基づいて上記目印の位置を移動させる目印情報移動制御手段と、上記目印情報移動制御手段によって移動させられた目印の表示位置の軌跡を示す軌跡情報と、上記目印の表示態様を示す目印態様情報とを目印情報として作成する目印情報作成手段と、上記目印情報を他の情報通信端末に対して送信するように上記通信部を制御する通信制御手段とを備えていることを特徴としている。
【００７７】
上記の構成によれば、受信側の情報通信端末は、目印の移動に関しては軌跡情報で把握することができるとともに、目印の表示態様に関しては目印態様情報で把握することが可能となる。よって、例えば目印の表示態様が丸印である場合、従来では、軌跡情報で丸印を表現する必要があったが、上記の構成によれば、丸印を示す目印態様情報の送受信を行うことによって実現することができる。したがって、送信側において目印の態様を描画するという手間を省くことが可能となる。
【００７８】
また、上記の例において、丸印を軌跡情報で表現する場合には、丸印の軌跡の全ての位置情報を送受信する必要があり、通信量が比較的大きくなるという問題があったが、上記本発明の構成によれば、目印態様情報のみで丸印を表現することができ、通信量を低く抑えることが可能となる。
【００７９】
本発明にかかる情報通信端末は、画像情報に基づく画像を表示画面に表示する表示部と、他の情報通信端末との間で情報の通信を行う通信部とを備えた情報通信端末であって、上記に記載の情報通信端末からの目印情報を受信するように上記通信部を制御する通信制御手段と、上記表示画面に、受信した目印情報に基づいて、目印を表示するように上記表示部を制御する表示制御手段とを備えている構成であればよい。
【００８０】
上記の構成によれば、表示画面に表示された画像に含まれる説明等が行われる対象物が表示されている表示画面上の領域の情報を受信することができる。また、受信した目印情報を基に、表示画面上の対象物が含まれる領域に目印を表示することができる。よって、利用者は、対象物が含まれる領域を目視で確認することができる。
【００８１】
これらのことより、通信相手との間で、共有する画像に関して対象物を明確に指し示した状態で、メールや音声通話でのコミュニケーションをとることが可能になる。
【００８２】
上記表示制御手段は、上記通信部を介して、送信側の情報通信端末から受信した目印情報に基づいて目印を表示する場合には、該送信側の情報通信端末における表示条件に関する情報も受信して、上記目印の表示位置を調整することがより好ましい。
【００８３】
これにより、送信側の情報通信端末と受信側の情報通信端末とで、表示画面の解像度等の表示能力が異なる場合でも、送信側の表示条件を認識して目印を表示することで、送信側と受信側とで同じ表示画面上の位置に目印を表示することができる。
【００８４】
よって、利用者は、お互いの情報通信端末の表示画面の解像度（ピクセル数）等の差異を意識することなく、情報通信端末間のポインティングを行うことができる。
【００８５】
また、上記表示制御手段は、送信側の情報通信端末から領域指定情報および目印態様情報を受信し、これらに基づいて目印の表示を行うようになっていてもよい。
【００８６】
また、上記表示制御手段は、送信側の情報通信端末から領域指定情報を受信した場合に、該当領域に目印の表示を行うとともに、送信側の情報通信端末から目印移動情報を受信した場合に、該当目印移動情報に基づいて目印の表示を行うようになっていてもよい。
【００８７】
また、上記表示制御手段は、目印移動情報に基づいて目印の表示を行う際に、目印の移動量についての情報も受信した場合には、該当移動量に基づいて目印の表示を行うようになっていてもよい。
【００８８】
また、上記表示制御手段は、送信側の情報通信端末から軌跡情報および目印態様情報を受信し、これらに基づいて目印の表示を行うようになっていてもよい。
【００８９】
また、上記表示制御手段は、上記軌跡情報で示されている目印の移動方向および／または移動量に応じて目印の表示態様を変更して表示するようになっていてもよい。
【００９０】
本発明の端末制御方法は、上記の課題を解決するために、画像情報に基づく画像を表示画面に表示する表示部と、利用者による入力操作を受け付ける複数のキー入力操作子を有するキー入力受付部と、他の情報通信端末との間で情報の通信を行う通信部とを備えた情報通信端末の制御方法であって、上記複数のキー入力操作子は、それぞれ上記表示画面内の特定領域を分割した各領域に関連付けられており、目印情報作成手段が、上記利用者からの入力を受け付けたキー入力操作子に関連付けられた上記特定領域を分割した領域を示す領域指定情報を目印情報として作成するステップと、通信制御手段が、上記目印情報を他の情報通信端末に対して送信するように上記通信部を制御するステップとを備えていることを特徴としている。
【００９１】
上記の端末制御方法によれば、表示画面に表示された画像に含まれる説明等を行う対象物を指し示すために、その対象物が表示されている表示画面内の特定領域を分割した領域に対応するキー入力操作子が利用者からの入力を受け付け、目印を表示する領域の情報を目印情報として作成し、他の情報通信端末に送信することができるので、通信相手の情報通信端末に対し、表示画面上での上記対象物が含まれる領域を指定することができる。
【００９２】
ここで、キー入力操作子は、例えば、携帯型電話機における１〜９までの番号を入力するボタンであって、この各ボタンは、表示画面を９つに分割した各領域と一対一で関連付けされている。
【００９３】
つまり、携帯型電話機の数字入力ボタンを押下すると、表示制御手段が表示部を制御して、その数字入力ボタンの配置に対応する表示画面の領域、例えば、「１」を押下した場合は表示画面の左上の領域に、目印情報作成手段が作成した目印情報に基づいて矢印等の目印を表示させることを指示する目印情報を他の情報通信端末に送信することができる。
【００９４】
これにより、利用者は、目印を表示させたい表示画面の分割領域に関連付けされた数字入力ボタン等のキー入力操作子を押下するだけで、対応する分割領域内に、矢印等の目印を表示させることができる。
【００９５】
よって、利用者は、マウス等のポインティングデバイスや、特別なボタンを必要とせずに、従来の構成をそのまま使用して、簡易な方法で目印を表示画面上の所望の位置に表示する指示を行うことができる。
【００９６】
また、目印情報を他の情報通信端末に送信できるので、通信相手との間で、共有する画像に関して対象物を明確に指し示した状態で、メールや音声通話でのコミュニケーションをとることが可能になる。
【００９７】
なお、通信制御手段は、説明等を行う対象物を含む画像情報と共に目印情報を送信してもよいし、すでに送信相手がその画像情報を所持している場合には、目印情報単独で送信してもよい。
【００９８】
本発明の端末制御方法は、上記の課題を解決するために、画像情報に基づく画像を表示画面に表示する表示部と、他の情報通信端末との間で情報の通信を行う通信部とを備えた情報通信端末の端末制御方法であって、通信制御手段が、請求項１〜１５の何れか１項に記載の情報通信端末からの目印情報を受信するように上記通信部を制御するステップと、表示制御手段が、上記表示画面に、受信した目印情報に基づいて、目印を表示するように上記表示部を制御するステップとを備えていることを特徴としている。
【００９９】
上記の端末制御方法によれば、表示画面に表示された画像に含まれる説明等が行われる対象物が表示されている表示画面上の領域の情報を受信することができる。また、受信した目印情報を基に、表示画面上の対象物が含まれる領域に目印を表示することができる。よって、利用者は、対象物が含まれる領域を目視で確認することができる。
【０１００】
すなわち、本発明の端末制御方法は、通信制御手段が、他の情報端末から送信された目印情報を受信し、表示制御手段が、目印情報に基づいて表示画面に目印を表示する。
【０１０１】
本発明の端末制御プログラムは、上記の課題を解決するために、上記情報通信端末を動作させる端末制御プログラムであって、上記各手段をコンピュータに実現させることを特徴としている。
【０１０２】
上記の構成によれば、上記端末制御プログラムによって、上記情報通信端末を実現することができる。
【０１０３】
本発明の記録媒体は、上記の課題を解決するために、上記端末制御プログラムを記録したことを特徴としている。
【０１０４】
上記の構成によれば、本発明の記録媒体から読み出された端末制御プログラムによって、上記情報通信端末を実現することができる。
【発明の効果】
【０１０５】
本発明に係る情報通信端末は、以上のように、利用者からの入力を受け付けたキー入力操作子に関連付けられた上記特定領域を分割した領域を示す領域指定情報を目印情報として作成する目印情報作成手段と、上記目印情報を他の情報通信端末に対して送信するように上記通信部を制御する通信制御手段とを備えている。これにより、利用者は、マウス等のポインティングデバイスや、特別なボタンを必要とせずに、従来の構成をそのまま使用して、簡易な方法で目印を、所望の位置に表示する指示を行うことができるという効果を奏する。
【０１０６】
また、本発明に係る情報通信端末は、以上のように、入力受付部によって受け付けられた入力操作に基づいて上記目印の位置を移動させる目印情報移動制御手段と、上記目印情報移動制御手段によって移動させられた目印の表示位置の軌跡を示す軌跡情報と、上記目印の表示態様を示す目印態様情報とを目印情報として作成する目印情報作成手段と、上記目印情報を他の情報通信端末に対して送信するように上記通信部を制御する通信制御手段とを備えている。これにより、送信側において、目印の態様を描画するという手間を省くことが可能となるとともに、通信量を低く抑えることができるという効果を奏する。
【発明を実施するための最良の形態】
【０１０７】
〔実施形態１〕
本発明の情報通信端末および端末制御方法、端末制御プログラム並びにこれを記録した記録媒体に関する一実施形態について、図１〜図１４（ｄ）に基づいて説明すれば、以下のとおりである。
【０１０８】
本実施形態の携帯型電話機（情報通信端末）１０は、図２に示すように、有効表示領域４ａを有する表示部４、ダイヤルボタン５ａを有する入力部５、受話部６ａおよび送話部６ｂからなる外観を有している。
【０１０９】
また、携帯型電話機１０は、図１に示すように、内部に、制御部１、ＲＯＭ（Read Only Memory）２、ＲＡＭ（Random Access Memory）３、表示部４、入力部（キー入力受付手段）５、音声処理部６および通信部７を備えている。
【０１１０】
制御部１は、マイクロコンピュータを内蔵し、ＲＯＭ２から読み出したコンピュータプログラムに従って、入力部５からの入力操作、および通信部７からの制御信号により動作し、表示部４、通信部７、音声処理部６を制御する。なお、この制御部１が内部に備えている各機能ブロックについては、後段にて詳述する。
【０１１１】
ＲＯＭ２は、例えば、フラッシュＲＯＭのような不揮発性メモリで構成されており、制御部１が実行する本発明の端末制御プログラムであるコンピュータプログラムや、制御部１が利用する各種データが記憶される。また、受信側の携帯型電話機１０と共有する写真画像データ等の表示コンテンツについても、ＲＯＭ２に格納されている。
【０１１２】
なお、ＲＯＭ２に記憶されるコンピュータプログラムは、予め製造・出荷段階でＲＯＭ２に記憶されたものに限定されるものではなく、記憶媒体読取部（図示せず）にメモリカード等の記憶媒体を挿入して、記憶媒体内のプログラムをＲＯＭ２に書き込んでもよいし、記憶媒体自体が読み取り可能なプログラムメディアであってもよい。また、本実施形態の携帯型電話機１０は、インターネットを含む通信ネットワークと接続可能な通信部７を備えていることから、通信ネットワークからプログラムをダウンロードして、ＲＯＭ２に記憶してもよい。
【０１１３】
ＲＡＭ３は、例えば、ＳＲＡＭやＤＲＡＭのような揮発性メモリで構成されており、制御部１がＲＯＭ２から読み出したコンピュータプログラムを実行する際に、ワークメモリとして使用される。
【０１１４】
表示部４は、液晶ディスプレイや有機ＥＬディスプレイ等のＦＰＤ（フラットパネルディスプレイ）等で構成され、制御部１に表示制御されることにより、利用者に対して文字や画像等の表示情報を提供する。
【０１１５】
入力部５は、電話番号や文字等を入力するためのダイヤルボタン（キー入力操作子）５ａを含む、携帯型電話機を操作するための複数の入力ボタンで構成される。
【０１１６】
音声処理部６は、受話部６ａや送話部６ｂに接続され、制御部１から入力された音声信号を受話部６ａから出力したり、送話部６ｂから入力された音声信号を制御部１に出力したりする処理を行う。
【０１１７】
通信部７は、アンテナ７ａと接続され、通信回線を介する通信処理を制御部１に制御されることにより行う回路であって、音声信号やデータ、制御信号等を高周波によって変調して、アンテナ７ａから送信したり、アンテナ７ａから受信した音声信号やデータ、制御信号等を復調して制御部１に出力したりする。
【０１１８】
また、通信部７は、受信側の携帯型電話機１０との間において、後述する目印情報を送受信する際に、目印情報の伝送形態が、文字等のデジタルデータやＰＢ信号（ＤＴＭＦ）である場合には、通話用の音声データと並存可能な方法で送受信する。
【０１１９】
具体的には、通話用の音声データと、デジタルデータまたはＰＢ信号（ＤＴＭＦ）とを多重化して送受信を行う。また、目印情報の伝送形態が、音声データの場合には、通話用の音声データと目印情報の音声データとを合わせて送受信を行う。
【０１２０】
このように、目印情報としてデジタルデータを用いた場合には、画像表示が可能な携帯型電話機等を用いて、音声データとともに、目印情報の送受信を行うことができるため、利用者は、通話しながら、表示画面に表示された目印で指し示された対象物について、会話することができる。
【０１２１】
また、目印情報としてＤＴＭＦ信号を用いた場合には、特に、固定電話機等では一般的に搭載されているプッシュボタン信号（ＰＢ信号）の出力機能を利用して、送信側は、通話しながらＤＴＭＦ信号を送信することができる。
【０１２２】
また、目印情報としてＤＴＭＦ信号を用いた場合には、通信回線をデータ通信モードではなく、通話モードで利用している場合でも、目印情報の送受信を行うことができる。
【０１２３】
さらに、目印情報として音声からなるデータを用いた場合には、データ通信と、音声通話を同時に利用できない通信回線や情報通信端末や、ＤＴＭＦ信号の送受信ができない情報通信端末間でも、通話しながら、目印情報の送受信を行うことができる。
【０１２４】
この場合、送信側の携帯型電話機１０は、利用者により入力ボタンが押されたら、音声データ（例えば、１が入力された場合には「いち」、２が入力された場合には「に」等）を合成し、受信側の携帯型電話機１０に送信してもよい。あるいは、送信側の携帯型電話機１０は、ＲＯＭ等の記憶部に予め音声データを記憶さえておき、利用者により入力ボタンが押されたら、対応する音声データを読み出し、受信側の携帯型電話機１０に送信してもよい。または、利用者「いち」、「に」と言った声をそのまま、音声からなるデータとして受信側の携帯型電話機１０に送信してもよい。
【０１２５】
なお、ここで通話用の音声データと目印情報とを並存可能としているのは、相手と通話しながら、表示画面にポインティングするためであり、通話の必要が無ければ、当然、目印情報だけを送受信してもよい。
【０１２６】
また、携帯型電話機１０は、図２に示すように、表示部４と入力部５とが、操作する利用者の側に配置されている外観を有する。
【０１２７】
表示部４の上端側には、電池残量や電波状態を表示する固定の表示領域が表示され、表示部４の下端側には、特定のボタン操作で利用できる機能を示す操作ガイダンスを表示する固定の表示領域が表示されている。なお、これらの固定の表示領域を除いた通常使用される表示領域を、有効表示エリア４ａとして定義する。ただし、固定の表示領域を表示せずに、全表示領域を利用する場合には、有効表示エリア４ａは、表示部４の全表示領域となる。
【０１２８】
本実施形態の携帯型電話機１０においては、有効表示エリア４ａは、９個の分割エリア（縦３×横３）として管理され、ダイヤルボタン５ａの１から９までの９個のボタン（縦３×横３）の配置と対応している。
【０１２９】
これにより、ダイヤルボタン５ａの１から９までの何れかのボタンが押下されると、その位置に対応する有効表示エリア４ａの９つの分割エリアのうち１つのエリアの中央位置が絶対位置としてポインティングされる。本実施形態では、この絶対位置が含まれる領域を示す情報が、目印を表示する領域を示す領域指定情報である。
【０１３０】
例えば、有効表示エリア４ａの分割エリアのうち、左下の領域をポインティングする場合には、ダイヤルボタン５ａの１から９までのボタンのうち、同じく左下に配置されている“７”のボタンを入力することで、所望の分割エリアにポインティングすることができる。
【０１３１】
また、本実施形態の携帯型電話機１０が備えている制御部１は、図１に示すように、図示しないＣＰＵが、ＲＯＭ２に格納された各種の端末制御プログラム（アプリケーションプログラム）を実行し、表示部４、入力部５、通信部７、音声処理部６等のハードウェアを制御することにより、各種の機能を実現する機能ブロックとして、目印情報作成部（目印情報作成手段）１１、表示制御部（表示制御手段）１２、通信制御部（通信制御手段）１３および目印情報移動制御部（目印情報移動制御手段）１４を機能ブロックとして形成している。
【０１３２】
目印情報作成部１１は、ダイヤルボタン５ａが利用者によって押下されると、ＲＯＭ２に格納された端末制御プログラムに従って、目印情報を作成する。なお、本実施形態では、目印情報作成部１１は、目印情報として、目印の表示態様である目印態様情報と目印を表示する領域を示す領域指定情報を作成するものとするが、これに限定はされず、領域指定情報だけ作成してもよい。
【０１３３】
表示制御部１２は、上記端末制御プログラムに従って表示部４を制御し、目印情報作成部１１で作成された目印情報を、利用者によって押下されたダイヤルボタン５ａに対応する表示画面上の分割エリアに表示させる。なお、表示制御部１２は、目印情報によらなくても、予め定められた目印を、利用者によって押下されたダイヤルボタン５ａに対応する表示画面上の分割エリアに、表示できるようになっていてもかまわない。
【０１３４】
通信制御部１３は、上記端末制御プログラムに従って、通信部７を制御し、上記目印情報、画像情報等を、通信相手である他の情報通信端末に対して送信させる。
【０１３５】
目印情報移動制御部１４は、ダイヤルボタン５ａを押下することで、表示画面上に表示した目印の表示位置を移動させて、微調整する。本実施形態では、この目印の表示位置の移動を示す情報が、目印移動情報である。
【０１３６】
本実施形態の携帯型電話機１０では、以上のような構成により、他の携帯型電話機１０との間において、目印情報として、領域指定情報である入力操作情報または有効表示エリア上の座標情報と、目印情報を構成する要素である種類・形状・サイズ・線種・色等の目印の表示態様に関する情報である入力操作情報または目印属性情報と、さらに、その他必要なコマンド情報等とを通信することにより、お互いの表示画面に表示された画像上にポインティング、つまり、目印を表示することができる。
【０１３７】
また、本実施形態の携帯型電話機１０では、有効表示エリア４ａの分割エリアの配置とダイヤルボタン５ａの配置とが一致しているため、利用者は、所望の分割エリアに目印を容易に表示させることができる。
【０１３８】
また、マウス等のポインティングデバイス等を追加することなく、従来の携帯型電話機が備えているダイヤルボタン５ａを表示部４の分割エリアに割り当てているため、従来の構成のままで、ほぼ所望の位置に直接的にポインティングを行うことができる。
【０１３９】
なお、目印を画面に表示する際の表現の書式である目印情報は、例えば、目印位置を点で指定するか領域で指定するか等の位置指定の種類、形状が矢印か＋形か等の目印の形状、目印の表示のサイズおよび目印を形成する実線、破線等の線種、色等で示される表示態様で表される。
【０１４０】
また、目印情報は、表示画面上の特定部分を指し示すための図形情報であり、１点（ピンポイント）を指し示す“矢印”や“十字”、およびある範囲（エリア）を指し示す“○”や“□”等の形状の図形を、写真画像等の表示コンテンツ上に重畳して表示するものである。
【０１４１】
次に、本発明を適用した複数の携帯型電話機１０が、入力部５への入力操作によって形成された目印情報を、他の携帯型電話機１０に送信して、該他の携帯型電話機１０の表示画面上に表示するまでの処理の流れについて、図３（ａ）、図３（ｂ）を用いて説明すれば以下のとおりである。
【０１４２】
なお、受信側の携帯型電話機１０は、１台だけに限らず、複数台が存在する場合には、送信側の携帯型電話機１０は、複数台の受信側の携帯型電話機１０に対して同様の処理を行う。
【０１４３】
まず、送信側の携帯型電話機１０における処理について、図３（ａ）を用いて説明する。
【０１４４】
Ｓ１００１では、受信側の携帯型電話機（受信側）１０と共有する話題の対象となる写真画像データ等の表示コンテンツ（画像情報）を、表示部４の有効表示エリア４ａに表示する。表示コンテンツは、予め受信側に送信、または受信側から受信してあるものを、入力部５からの操作でＲＯＭ２から読み出して表示してもよいし、ポインティングを開始する時点で、受信側の携帯型電話機１０と送受信してもよい。
【０１４５】
また、このステップは、受信側の携帯型電話機１０とは無関係に、単独操作で行ってもよいし、通信部７を介して、受信側の携帯型電話機１０と通信することにより同調して行ってもよい。
【０１４６】
ただし、送信側の携帯型電話機１０の有効表示エリア４ａに対する目印情報を受信側に送信して、お互いの有効表示エリア４ａに表示された表示コンテンツの同一部分をポインティングする必要がある。
【０１４７】
よって、本実施形態の携帯型電話機１０では、お互いの有効表示エリア４ａの縦横比と、表示コンテンツの表示範囲が同一になるように表示している。また、必要があれば通信部７を介して、受信側と通信することにより、有効表示エリア４ａの縦横比と、表示コンテンツの表示範囲とが同一になるように表示制御を行う、あるいは、例えば、「○○の写真全体を、縦向きに画面いっぱいに表示して」等、音声通話等を用いて利用者同士が確認を取り合って適切なポインティングが行えるようにしてもよい。
【０１４８】
次に、Ｓ１００２では、入力部５からの操作により、ポインティング開始状態（送信側）に設定する。また、必要に応じて、受信側の携帯型電話機１０へ、通信部７を介してポインティング開始を指示する情報を送信してもよいし、音声通話等でポインティング操作を開始する旨を、受信側に伝えてもよい。
【０１４９】
Ｓ１００３では、入力部５からの操作により、ポインティング操作を行い、目印情報を受信側の携帯型電話機１０に送信する。なお、このＳ１００３の処理内容については、後段にて詳述する。
【０１５０】
ポインティングが終了したら本ステップは終了となるが、本ステップを必要に応じて繰り返し実行し、ポインティング操作を連続的に行ってもよい。
【０１５１】
続いて、受信側の処理について、図３（ｂ）を用いて説明する。
【０１５２】
Ｓ１００４では、送信側の携帯型電話機（送信側）１０と共有する、話題の対象となる写真画像データ等の表示コンテンツを、表示部４の有効表示エリア４ａに表示する。
【０１５３】
表示コンテンツは、予め送信側と送受信してある共有画像情報を、入力部５からの操作でＲＯＭ２から読み出して表示してもよいし、ポインティングを開始する時点で、送信側の携帯型電話機１０と送受信してもよい。
【０１５４】
また、このステップの処理は、送信側とは無関係に、単独操作で行ってもよいし、通信部７を介して、送信側と通信することにより同調して行ってもよい。
【０１５５】
ただし、受信側の携帯型電話機１０では、送信側の携帯型電話機１０の有効表示エリア４ａにおいて表示された目印情報を受信して、お互いの有効表示エリア４ａに表示された表示コンテンツの同一部分をポインティングする必要がある。
【０１５６】
よって、本実施形態の携帯型電話機１０では、お互いの有効表示エリア４ａの縦横比と、表示コンテンツの表示範囲が同一になるように表示している。また、必要があれば通信部７を介して、送信側と通信することにより、有効表示エリア４ａの縦横比と、表示コンテンツの表示範囲とが同一になるように表示制御を行う、あるいは、例えば、「○○の写真全体を、縦向きに画面いっぱいに表示して」等、音声通話等を用いて利用者同士が確認を取り合って適切なポインティングが行えるようにしてもよい。
【０１５７】
Ｓ１００５では、入力部５からの操作、または通信部７を介して、送信側から受信したポインティング開始を指示する情報により、ポインティング開始状態に設定される。
【０１５８】
ここでも、必要に応じて、送信側の携帯型電話機（送信側）１０に対して、音声通話等でポインティング動作を開始できる旨を伝えてもよい。
【０１５９】
Ｓ１００６では、通信部７を介して、送信側から受信した目印情報に基づいて、ポインティング動作を行う。なお、受信した目印情報に目印態様情報が含まれていなければ、予め定められた形状の目印を、表示画面上に表示させてもかまわない。なお、このステップにおける処理内容については後段にて後述する。
【０１６０】
ポインティングが終了したら本ステップは終了となるが、本ステップを必要に応じて繰り返し実行し、ポインティング動作を連続的に行ってもよい。
【０１６１】
以上が、本実施形態の携帯型電話機１０による全体的な処理の概要である。
【０１６２】
次に、携帯型電話機１０間で送受信される目印情報として、送信側の入力部５の入力操作情報を利用する場合について、図４および図５に示すフローチャートを用いて説明する。
【０１６３】
なお、入力操作情報とは、入力されたボタンの種類を示す情報であり、ダイヤルボタン５ａのうち、１ボタンが入力されたら“１”、＊ボタンが入力されたら“＊”等を、文字等で表現されるデジタルデータや、入力されたボタンに対応したＰＢ信号（ＤＴＭＦ）や、音声データ（日本語なら「いち」、「に」、「アステリスク」等）等で生成するものである。
【０１６４】
まず、Ｓ１では、ポインティング制御を開始するための設定を行う。
【０１６５】
具体的には、絶対位置を指定するための、有効表示エリア４ａの分割エリアの構成、分割エリアを指定するダイヤルボタン５ａの対応、目印情報として送信する入力操作情報の伝送形態や、送信モードの設定等、ポインティング操作に必要な設定を行う。
【０１６６】
なお、本実施形態の携帯型電話機１０は、上記送信モードとして、入力操作情報を認識する毎、つまり、ダイヤルボタン５ａが押下される度に、入力操作情報を目印情報として送信相手である携帯型電話機１０に送信する「逐次送信モード」、目印情報を確定させてから入力操作情報を送信する「確定情報送信モード」を有している。
【０１６７】
ここで、携帯型電話機１０が、「確定情報送信モード」に設定されている場合には、入力操作情報を蓄積するためのＲＡＭ３のバッファ領域（図示せず）をすべてクリアする。
【０１６８】
なお、「逐次送信モード」は、利用者の好みに応じて任意に設定できるようになっており、ポインティング開始毎にモード設定画面を有効表示エリア４ａに表示して、利用者に設定させてもよいし、予めＲＯＭ２に設定データとして利用者の好みのモードを記憶しておき、これをデフォルトの設定としてもよい。
【０１６９】
本実施形態の携帯型電話機１０では、上述したように、図２に示す９個の分割エリア（縦３×横３）から構成される有効表示エリア４ａを備え、分割エリアを指定するダイヤルボタン５ａの入力に対して、１から９までの９個のボタン（縦３×横３）が対応する。
【０１７０】
また、送信側の携帯型電話機１０と受信側の携帯型電話機１０とが、種類や仕様の異なる情報通信端末である場合等、送信側の携帯型電話機１０と受信側の携帯型電話機１０との間において、ポインティング操作に必要な情報が明らかでない場合には、通信部７を介して、受信側の携帯型電話機１０に、ポインティング操作に必要な情報を送信する。
【０１７１】
なお、送信側の携帯型電話機１０および受信側の携帯型電話機１０の機種や仕様が同一である場合等、ポインティング操作に必要な情報が明らかである場合には、ポインティング操作に必要な情報を、受信側の携帯型電話機１０に送信しなくてもよい。
【０１７２】
ここで、ポインティング操作に必要な情報の一例について説明する。
【０１７３】
送信側の携帯型電話機１０において設定された有効表示エリア４ａの定義情報として、図６（ａ）に示すように、有効表示エリア４ａの縦横の分割数が設定されている。
【０１７４】
ポインティング操作に使用するボタンと、各ボタンに割り当てられた機能の定義は、図６（ｂ）に示すような形式で設定されている。
【０１７５】
ポインティング操作によりポインティングされる目印の種類と形状を識別するコード、そのコードに適用される目印、サイズの変化ステップの定義は、図６（ｃ）に示すような形式で設定されている。
【０１７６】
相対位置指定モードでの相対移動量の変化ステップの定義は、図６（ｄ）に示すような形式で設定されている。
【０１７７】
目印情報として送信する入力操作情報の伝送形態の定義は、図６（ｅ）に示すような形式で設定されており、定義されている伝送形態のうちの何れか１つを選択する。
【０１７８】
続いて、Ｓ２では、ポインティングモードを絶対位置指定モードに設定し、分割グリッド線と、目印情報作成部１１が作成した目印情報をデフォルトの目印として表示する。
【０１７９】
なお、分割グリッド線やデフォルト目印情報に基づいて表示された目印は、必ずしも表示する必要があるわけではなく、必要が無ければ表示しなくてもよい。
【０１８０】
ここで、分割グリッド線、デフォルトの目印情報について説明する。
【０１８１】
送信側の携帯型電話機１０の表示部４には、図７（ａ）に示すように、有効表示エリア７０ａに、有効表示エリア７０ａの分割エリアを示すための分割グリッド線７２ａと、デフォルトの目印７１ａとが表示されている。
【０１８２】
ここでは、目印情報作成部１１で作成されたデフォルトの目印情報は、識別コード“種類＝１、形状＝１”で定義される矢印を表示する。また、絶対位置指定モードであることを示すために、目印の表示態様は、線種が二重線で、かつ表示濃度が薄く表示されている。
【０１８３】
このように、グリッド線を用いて分割領域を示すことで、利用者は、ポインティングしたい対象物がどのエリアに含まれているかを容易に認識できる。
【０１８４】
なお、絶対位置指定モードであることを示すための表現方法は、その他の方法でもよく、例えば、絶対位置指定モードであることを示すために、目印の表示色を特定の色にしてもよい。
【０１８５】
Ｓ３では、ポインティング操作に使用するダイヤルボタン５ａの入力を検出し、ボタンの入力を検出したら、Ｓ４に進む。
【０１８６】
Ｓ４では、Ｓ３で入力を検出したボタンに基づいて、入力操作情報を生成する。
【０１８７】
入力操作情報は、入力されたボタンの種類を示すだけでよいので、１ボタンが入力されたら“１”、＊ボタンが入力されたら“＊”を示す文字等で表現されるデジタルデータを生成する。
【０１８８】
Ｓ５では、Ｓ４で生成された入力操作情報が、絶対位置の入力を示すボタン入力であるか否かを判定する。絶対位置の入力を示すボタンは、図６（ｂ）に示すように、１から９までの９個のダイヤルボタンである。
【０１８９】
ここで、判定がＹＥＳの場合にはＳ６に進み、ＮＯの場合にはＳ１０に進む。
【０１９０】
Ｓ６では、絶対位置の入力を示すボタンが押下されているため、入力操作情報に基づいて、送信側の携帯型電話機１０の有効表示エリア４ａに目印を表示する。具体的には、利用者に押下されたダイヤルボタン５ａに対応する有効表示エリア４ａの分割エリアに、絶対位置として目印を表示する。ここでは、現時点で選択されている種類・形状・サイズの表示態様を示す目印情報に基づいて、目印を表示する。
【０１９１】
目印の種類が、１点（ピンポイント）を指し示す場合には、“矢印”や“十字”を目印として用いて、指定された分割エリアの中央を指し示すように配置し、目印の種類が、ある範囲（エリア）を指し示したい場合には、“○（丸）”や“□（四角）”等を示す目印情報を用いて、指定された分割エリアの中心を中心位置として、分割エリアの縦または横のどちらか小さい方のサイズを輪郭サイズとして配置する。
【０１９２】
また、絶対位置の指定が終了すると、次に相対位置指定モードに切り換えられたことを示すために、例えば、線種が破線で、かつ表示濃度は通常という状態で目印を表示する。
【０１９３】
Ｓ７では、入力操作情報を認識する毎に、入力操作情報を目印情報として受信側の携帯型電話機１０に送信する「逐次送信モード」に設定されているか否かを判定する。
【０１９４】
ここで、判定が、ＹＥＳの場合にはＳ８に進み、ＮＯの場合にはＳ９に進む。
【０１９５】
Ｓ８では、逐次送信モードに設定されているため、利用者に入力された領域指定情報である入力操作情報を目印情報として、通信部７から受信側の携帯型電話機１０に対して送信する。なお、受信側の携帯型電話機１０が複数台存在する場合には、上記と同様に、各携帯型電話機１０に対して目印情報が送信される。
【０１９６】
続いて、目印の表示位置を微調整するための相対位置指定モードに移行するため、図５に示すフローチャートのＳ２０へと進む。
【０１９７】
一方、Ｓ９では、入力操作情報を、ＲＡＭ３のバッファ領域（図示せず）に記憶し、同じく図５のフローチャートに示すＳ２０へと進む。
【０１９８】
Ｓ１０では、Ｓ４で生成された入力操作情報が、目印の種類変更を示すボタン入力であるか否かを判定する。ここでは、目印の種類変更を示すボタン入力は、図６（ｂ）に示すように、目印の種類を変更するキー入力操作子として定義された＊ボタンである。
【０１９９】
ここで、判定がＹＥＳの場合にはＳ１１に進み、ＮＯの場合にはＳ１５に進む。
【０２００】
Ｓ１１では、目印の種類変更が入力されているため、入力操作情報に基づいて、送信側の携帯型電話機１０の有効表示エリア４ａに表示されている目印の種類を変更する。
【０２０１】
具体的には、目印の種類は、図１０に示すように、１点（ピンポイント）を指し示す“矢印３１”や“十字３２”である種類＝１のグループから、ある範囲（エリア）を指し示す“○（丸）３３”や“□（四角）３４”である種類＝２のグループへ、あるいは種類＝２のグループから種類＝１のグループへ変更される。
【０２０２】
なお、本実施形態では、目印の種類が変更されると、形状も変更後の種類の形状＝１に変更される。
【０２０３】
Ｓ１２では、入力操作情報を認識する毎に、入力操作情報を目印情報として受信側の携帯型電話機１０に送信する「逐次送信モード」に設定されているか否かを判定する。
【０２０４】
ここで、判定がＹＥＳの場合にはＳ１３に進み、ＮＯの場合にはＳ１４に進む。
【０２０５】
Ｓ１３では、逐次送信モードに設定されているため、目印態様情報である入力操作情報を目印情報として、通信部７から受信側の携帯型電話機１０に対して送信する。なお、受信側の携帯型電話機１０が複数台存在する場合には、上記と同様に、各携帯型電話機１０に対して目印情報が送信される。続いてＳ３に戻る。
【０２０６】
Ｓ１４では、逐次送信モードに設定されていないため、入力操作情報を、ＲＡＭ３のバッファ領域（図示せず）に記憶した後、Ｓ３に戻る。
【０２０７】
Ｓ１５では、Ｓ４で生成された入力操作情報が、目印の形状変更を示すボタン入力であるか否かを判定する。ここでは、目印の形状変更を示すボタン入力は、図６（ｂ）に示すように、０ボタンである。
【０２０８】
ここで、判定がＹＥＳの場合にはＳ１６に進み、ＮＯの場合にはＳ１７に進む。
【０２０９】
Ｓ１６では、目印の形状変更が入力されているため、入力操作情報に基づいて、送信側の携帯型電話機１０の有効表示エリア４ａに表示されている目印の形状を変更する。
【０２１０】
具体的には、目印の形状は、図１０に示すように、それぞれの種類グループ内で形状＝１から形状＝２へ、あるいは形状＝２から形状＝１へ変更される。
【０２１１】
Ｓ１７では、Ｓ４で生成された入力操作情報が、目印情報の確定を示すボタン入力であるか否かを判定する。ここでは、目印情報の確定を示すボタン入力は、図６（ｂ）に示すように、＃ボタンである。
【０２１２】
なお、本ステップでは、まだ絶対位置の指定が行われていない場合には、デフォルトの目印情報に基づいて目印が表示されている有効表示エリア４ａの、中央の分割エリアの中心位置が、目印のポインティング位置として認識される。
【０２１３】
ここで、判定がＹＥＳの場合には、図５のフローチャートのＳ３７に進み、ＮＯの場合にはＳ３に戻る。
【０２１４】
続いて、図５に示すフローチャートに従って、Ｓ２０では、ポインティングモードを、相対位置指定モードに設定する。
【０２１５】
ここでは、相対移動する際の相対移動量を、デフォルトの“１／２”に設定する。
【０２１６】
Ｓ２１では、ポインティング操作に使用するダイヤルボタン５ａの入力操作を検出し、ボタンの入力を検出したら、Ｓ２２に進む。
【０２１７】
Ｓ２２では、Ｓ２１で入力を検出したボタンに基づいて、入力操作情報を生成する。
【０２１８】
入力操作情報は、入力されたボタンの種類を示すだけでよいので、１ボタンが入力されたら“１”、＊ボタンが入力されたら“＊”を示す文字等で表現されるデジタルデータを生成する。
【０２１９】
続いて、Ｓ２３では、Ｓ２２で生成された入力操作情報が、相対位置の入力を示すボタン入力であるか否かを判定する。本実施形態では、相対位置の入力を示すボタン入力は、図６（ｂ）に示すように、５を除く１から９までの８個のダイヤルボタン５ａである。
【０２２０】
ここで、判定がＹＥＳの場合には、Ｓ２４に進み、ＮＯの場合には、Ｓ２５に進む。
【０２２１】
Ｓ２４では、相対位置の入力が行われているため、目印移動情報である入力操作情報に基づいて、送信側の携帯型電話機１０の有効表示エリア４ａに表示されている目印を、現在設定されている相対移動量に基づいて、入力された方向に相対移動させる。
【０２２２】
Ｓ２９では、入力操作情報を認識する毎に、入力操作情報を目印情報として、受信側の携帯型電話機１０に送信する「逐次送信モード」に設定されているか否かを判定する。
【０２２３】
ここで、判定がＹＥＳの場合にはＳ３０に進み、ＮＯの場合にはＳ３１へ進む。
【０２２４】
Ｓ３０では、逐次送信モードに設定されているため、入力操作情報を目印情報として、通信部７から受信側の携帯型電話機１０に対して送信する。なお、受信側の携帯型電話機１０が複数台存在する場合には、上記と同様に、各携帯型電話機１０に対して目印情報が送信される。続いてＳ２１に戻る。
【０２２５】
Ｓ３１では、逐次送信モードに設定されていないため、入力操作情報を、目印情報が確定するまで、ＲＡＭ３のバッファ領域（図示せず）に格納し、Ｓ２１に戻る。
【０２２６】
Ｓ２５では、Ｓ２２で生成された入力操作情報が、目印のサイズ変更を示すボタン入力であるか否かを判定する。ここでは、目印のサイズ変更を示すボタン入力は、図６（ｂ）に示すように０ボタンである。
【０２２７】
ここで、判定がＹＥＳの場合にはＳ２６に進み、ＮＯの場合にはＳ２７に進む。
【０２２８】
Ｓ２６では、目印のサイズ変更が入力されているため、目印態様情報である入力操作情報に基づいて、送信側の携帯型電話機１０の有効表示エリア４ａに表示されている目印のサイズを変更する。
【０２２９】
ここでは、目印のサイズは、図６（ｃ）に示すように、各種類・形状の目印とも、デフォルトのサイズを“中”とし、サイズ変更が入力される毎に、“小”、“大”、“中”のステップで順次、繰り返してサイズ変更される。
【０２３０】
続いて、Ｓ２９に進む。Ｓ２９以降の処理は上述したとおりである。
【０２３１】
Ｓ２７では、Ｓ２２で生成された入力操作情報が、相対移動量の変更を示すボタン入力であるか否かを判定する。ここでは、相対移動量の変更を示すボタン入力は、図６（ｂ）に示すように、＊ボタンである。
【０２３２】
ここで、判定がＹＥＳの場合にはＳ２８に進み、ＮＯの場合にはＳ３２に進む。
【０２３３】
Ｓ２８では、相対移動量の変更が入力されているため、入力操作情報に基づいて、相対移動量を変更する。
【０２３４】
ここでは、相対移動量は、図６（ｄ）に示すように、デフォルトの相対移動量を、縦方向・横方向ともに、分割エリアのサイズの“１／２”とし、相対移動量の変更が入力される毎に、“１／４”、“最小”、“１／２”のステップで順次、繰り返して変更される。
【０２３５】
なお、“最小”については、例えば、縦方向・横方向ともに“１／１０”等、有効表示エリア４ａの解像度や、分割エリアのサイズに応じて適切な値を適用すればよい。
【０２３６】
続いて、Ｓ２９に進み、Ｓ２９以降の処理は上述した通りである。
【０２３７】
Ｓ３２では、Ｓ２２で生成された入力操作情報が、ポインティングを最初から“やり直し”することを指示するボタン入力であるか否かを判定する。本実施形態では、“やり直し”を示すボタン入力は、図６（ｂ）に示すように、５ボタンである。
【０２３８】
ここで、判定がＹＥＳの場合にはＳ３３に進み、ＮＯの場合にはＳ３６に進む。
【０２３９】
Ｓ３３では、“やり直し”が入力されているため、入力操作情報を認識する毎に、入力操作情報を目印情報として受信側の携帯型電話機１０に送信する「逐次送信モード」に設定されているか否かを判定する。
【０２４０】
ここで、判定がＹＥＳの場合にはＳ３４に進み、ＮＯの場合にはＳ３５に進む。
【０２４１】
Ｓ３４では、逐次送信モードに設定されているため、入力操作情報を目印情報として、通信部７から受信側の携帯型電話機１０に対して送信する。なお、受信側の携帯型電話機１０が複数台存在する場合には、上記と同様に、各携帯型電話機１０に対して目印情報が送信される。
【０２４２】
Ｓ３５では、ＲＡＭ３のバッファ領域（図示せず）に記憶されている入力操作情報を、すべてクリアする。続いて、図４に示すフローチャートのＳ２に戻る。
【０２４３】
Ｓ３６では、Ｓ２２で生成された入力操作情報が、目印情報の確定を示すボタン入力であるか否かを判定する。本実施形態では、目印情報の確定を示すボタン入力は、図６（ｂ）に示すように、＃ボタンである。
【０２４４】
ここで、判定がＹＥＳの場合にはＳ３７に進み、ＮＯの場合にはＳ２１に戻る。
【０２４５】
Ｓ３７では、目印情報の確定が入力されているため、入力操作情報に基づいて、送信側の携帯型電話機１０の有効表示エリア４ａに表示されている目印情報を現在の状態で確定する。
【０２４６】
また、目印情報が確定したことを示すために、目印の表示態様を、例えば、線種を破線から実線に変更して表示する。
【０２４７】
さらに、有効表示エリア４ａに表示していた分割グリッド線も消去する。なお、分割グリッド線の消去は、ここでは確定時点で実施しているが、例えば、絶対位置が指定された時点で消去してもよい。
【０２４８】
Ｓ３８では、ＲＡＭ３のバッファ領域（図示せず）に、入力操作情報が記憶されておらず、バッファが空の状態であるか否かを判定する。
【０２４９】
ここで、判定がＹＥＳの場合にはＳ４１に進み、ＮＯの場合にはＳ３９に進む。
【０２５０】
Ｓ３９では、入力操作情報がＲＡＭ３に格納されているため、格納されている入力操作情報を、記憶した順番に１つずつ読み出し、読み出した入力操作情報を目印情報として、通信部７から受信側の携帯型電話機１０に対して順次送信する。なお、受信側の携帯型電話機１０が複数台存在する場合には、上記と同様に、各携帯型電話機１０に対して目印情報が送信される。このステップは、ＲＡＭ３のバッファ領域（図示せず）に記憶されている入力操作情報をすべて送信するまで繰り返し行われる。
【０２５１】
Ｓ４０では、受信側の携帯型電話機１０に全ての目印情報を送信したため、ＲＡＭ３のバッファ領域に格納されている入力操作情報を、すべてクリアする。
【０２５２】
Ｓ４１では、Ｓ２２で生成された確定を示す入力操作情報を目印情報として、通信部７から受信側の携帯型電話機１０に対して送信する。なお、受信側の携帯型電話機１０が複数台存在する場合には、上記と同様に、各携帯型電話機１０に対して目印情報が送信される。
【０２５３】
以上で、送信側のポインティング処理を終了する。
【０２５４】
本実施形態の携帯型電話機１０では、以上のように、表示制御部１２が表示部４を制御して、表示画面に表示された画像に対して、携帯型電話機１０が有するダイヤルボタン５ａを押下することで、目印情報作成部１１が作成した目印情報に基づいて、容易に所望の位置に目印を表示することができる。
【０２５５】
また、表示画面にポインティングされた目印について、同じくダイヤルボタン５ａを押下することで、目印情報移動制御部１４が容易に目印の表示位置を微調整して、表示制御部１２によって表示部４を制御することで、利用者所望に位置に目印を表示させることができる。
【０２５６】
さらに、ダイヤルボタン５ａの特定のボタンを押下することで、目印情報作成部１１が目印の表示態様を変更したり、目印情報を確定させたりすることができる。
【０２５７】
続いて、本実施形態の携帯型電話機１０における、受信側の処理について、図１１および図１２に示すフローチャートを用いて説明すれば、以下のとおりである。なお、受信側の携帯型電話機１０における処理についての基本的な条件については、送信側の携帯型電話機１０における処理と同様である。
【０２５８】
まず、受信側の携帯型電話機１０では、図１１に示すフローチャートに従って、ポインティング処理が行なわれる。
【０２５９】
まず、Ｓ５０では、ポインティング制御を開始するための設定を行う。
【０２６０】
具体的には、絶対位置を指定するための有効表示エリア４ａの分割エリアの構成、分割エリアを指定するための入力操作情報で示されるダイヤルボタン５ａの対応、目印情報として受信する入力操作情報の伝送形態等の、ポインティング操作に必要な設定を行う。
【０２６１】
ポインティング操作に必要な情報については、上述した図６（ａ）〜図６（ｅ）に示した例と同様である。
【０２６２】
Ｓ５１では、ポインティングモードを、絶対位置指定モードに設定し、デフォルトの目印を表示する。なお、デフォルト目印情報は必ず表示する必要があるわけではなく、表示しなくてもよい。
【０２６３】
図７（ａ）に示す表示画面において、受信側の有効表示エリア７０ｂに、デフォルトの目印情報に基づいて矢印７１ｂが表示されている。ここでは、デフォルトの目印情報は、識別コード“種類＝１、形状＝１”で定義される矢印である。また、絶対位置指定モードであることを示すために、目印の表示態様は、線種が二重線でかつ表示濃度が薄く表示されている。
【０２６４】
Ｓ５２では、通信部７により、送信側で入力されたボタンの種類を示す入力操作情報の受信待ちを行う。入力操作情報は、入力操作情報の伝送形態で選択されている形態で受信する。
【０２６５】
ここで、入力操作情報を受信したら、Ｓ５３に進む。
【０２６６】
Ｓ５３では、Ｓ５２で受信した入力操作情報が、目印の種類変更を示すボタン入力であるか否かを判定する。
【０２６７】
ここで、判定がＹＥＳの場合には、Ｓ５８に進み、ＮＯの場合には、Ｓ５４に進む。
【０２６８】
Ｓ５８では、目印の種類変更が入力されているため、入力操作情報に基づいて、有効表示エリア４ａに表示されている目印の種類を変更する。この目印の種類が変更されると、種類＝１のグループから種類＝２のグループへ、または、種類＝２のグループから種類＝１のグループへ変更する。
【０２６９】
なお、本実施形態では、種類が変更されると形状も変更後の種類グループの形状＝１に変更されるようになっている。続いて、Ｓ５２に戻る。
【０２７０】
Ｓ５４では、Ｓ５２で受信した入力操作情報が、目印の形状変更を示すボタン入力であるか否かを判定する。
【０２７１】
ここで、判定がＹＥＳの場合にはＳ５９に進み、ＮＯの場合にはＳ５５に進む。
【０２７２】
Ｓ５９では、目印の形状変更が入力されているため、入力操作情報に基づいて、有効表示エリア４ａに表示されている目印の形状を変更する。この目印の形状が変更されると、それぞれの種類のグループ内で、形状＝１から形状＝２へ、または、形状＝２から形状＝１へ変更する。続いて、Ｓ５２に戻る。
【０２７３】
Ｓ５５では、Ｓ５２で受信した入力操作情報が、目印情報の確定を示すボタン入力であるか否かを判定する。
【０２７４】
なお、本ステップでは、まだ絶対位置の指定が行われていないが、デフォルトの目印情報に基づいてポインティングされている有効表示エリア４ａの中央の分割エリアの中心位置が、ポインティング位置として認識される。
【０２７５】
ここで、判定がＹＥＳの場合には、図１２に示すフローチャートのＳ６７に進み、ＮＯの場合にはＳ５６に進む。
【０２７６】
Ｓ５６では、Ｓ５２で受信した入力操作情報が、絶対位置の入力を示すボタン入力であるか否かを判定する。
【０２７７】
ここで、判定がＹＥＳの場合にはＳ５７に進み、ＮＯの場合にはＳ５２に戻る。
【０２７８】
Ｓ５７では、絶対位置の入力が行なわれているため、入力操作情報に基づいて、有効表示エリア４ａに、現時点で選択されている種類・形状・サイズの表示態様を示す目印情報にて、目印を表示する。
【０２７９】
目印の種類が、１点（ピンポイント）を指し示す“矢印”や“十字”の場合には、指定された分割エリアの中央を指し示すように目印を表示する。一方、目印の種類が、ある範囲（エリア）を指し示す“○”や“□”の場合には、指定された分割エリアの中心を中心位置として、分割エリアの縦または横のどちらか小さい方のサイズを輪郭サイズとして目印を表示する。
【０２８０】
また、絶対位置の指定が終了し、次に相対位置指定モードであることを示すために、目印の表示態様は、例えば、線種が破線で、かつ表示濃度は通常である。
【０２８１】
続いて、目印の表示位置を微調整するための相対位置指定モードに移行するため、図１２に示すフローチャートのＳ６０に進む。
【０２８２】
Ｓ６０では、ポインティングモードを、相対位置指定モードに設定するとともに、相対移動する際の相対移動量を、デフォルトの“１／２”に設定する。
【０２８３】
Ｓ６１では、通信部７において、送信側の携帯型電話機１０で入力されたボタンの種類を示す入力操作情報の受信待ちを行う。入力操作情報は、入力操作情報の伝送形態で選択されている形態で受信する。入力操作情報を受信すると、Ｓ６２に進む。
【０２８４】
Ｓ６２では、Ｓ６１で受信した入力操作情報が、目印のサイズ変更を示すボタン入力であるか否かを判定する。
【０２８５】
ここで、判定がＹＥＳの場合にはＳ６８に進み、ＮＯの場合にはＳ６３に進む。
【０２８６】
Ｓ６８では、目印のサイズ変更が入力されているため、入力操作情報に基づいて、有効表示エリア４ａに表示されている目印のサイズを変更する。続いて、Ｓ６１に戻る。
【０２８７】
Ｓ６３では、Ｓ６１で受信した入力操作情報が、目印の相対移動量の変更を示すボタン入力であるか否かを判定する。
【０２８８】
ここで、判定がＹＥＳの場合にはＳ６９に進み、ＮＯの場合にはＳ６４に進む。
【０２８９】
Ｓ６９では、目印の相対移動量の変更が入力されているため、入力操作情報に基づいて、相対移動量を変更する。続いて、Ｓ６１に戻る。
【０２９０】
Ｓ６４では、Ｓ６１で受信した入力操作情報が、ポインティングを最初から“やり直し”することを指示するボタン入力であるか否かを判定する。
【０２９１】
ここで、判定がＹＥＳの場合にはＳ５１に戻り、ＮＯの場合にはＳ６５に進む。
【０２９２】
Ｓ６５では、Ｓ６１で受信した入力操作情報が、相対位置の入力を示すボタン入力であるか否かを判定する。
【０２９３】
ここで、判定がＹＥＳの場合にはＳ７０に進み、ＮＯの場合にはＳ６６に進む。
【０２９４】
Ｓ７０では、入力操作情報に基づいて、受信側の携帯型電話機１０の有効表示エリア４ａに表示されている目印を指定された方向に、現在設定されている相対移動量に基づいて相対移動する。続いて、Ｓ６１に戻る。
【０２９５】
Ｓ６６では、Ｓ６１で受信した入力操作情報が、目印情報の確定を示すボタン入力であるか否かを判定する。
【０２９６】
ここで、判定がＹＥＳの場合には、Ｓ６７に進み、ＮＯの場合には、Ｓ６１に戻る。
【０２９７】
Ｓ６７では、入力操作情報に基づいて、受信側の携帯型電話機１０の有効表示エリア４ａに表示されている目印情報を現在の状態で確定する。
【０２９８】
また、目印情報が確定したことを示すために、目印の表示態様を、例えば、線種を実線に変更して表示する。
【０２９９】
以上で、受信側のポインティング処理を終了する。
【０３００】
本実施形態の携帯型電話機１０では、以上のように、受信側の携帯型電話機１０としても、送信側から受信した目印情報に基づいて、表示制御部１２が、表示部４を制御することで、送信側の携帯型電話機１０において表示された状態と同様の表示を行うことができる。
【０３０１】
これにより、送受信を行う複数の携帯型電話機１０において、互いに共通する画像に目印を付加した状態で、表示画面上に表示することができる。よって、利用者は、その目印で指し示された対象物についての情報交換を、通話あるいは文字情報を用いて行うことができる。
【０３０２】
さらに、本実施形態の携帯型電話機１０において、逐次送信モードに設定されている場合の、送信側および受信側の携帯型電話機１０における具体的な表示状態について説明する。
【０３０３】
図７（ａ）〜図７（ｄ）および図８（ａ）〜図８（ｄ）は、２台の携帯型電話機１０が、「デスクトップパソコンを示す画像」を共有してお互いの画面に表示し、１台の携帯型電話機１０からのポインティング操作により、お互いの画面に目印を重畳表示している表示例である。
【０３０４】
通信開始時点では、図７（ａ）に示すように、送信側の携帯型電話機１０の有効表示エリア７０ａ、および受信側の携帯型電話機１０の有効表示エリア７０ｂには、共有している「デスクトップパソコンを示す画像」が表示されている。
【０３０５】
また、送信側の携帯型電話機１０の有効表示エリア７０ａには、図７（ａ）に示すように、有効表示エリア７０ａの分割エリアを示すための分割グリッド線７２ａと、デフォルトの目印情報に基づく目印７１ａとが表示されている。ここでは、デフォルトの目印７１ａは、識別コード“種類＝１、形状＝１”で定義される矢印であり、絶対位置指定モードであることを示すために、目印７１ａの表示態様は、二重線でかつ表示濃度が薄く表示されている（以下、絶対位置指定モードでは同様に表示されるものとする）。
【０３０６】
また、受信側の携帯型電話機１０の有効表示エリア７０ｂには、デフォルトの目印７１ｂが、送信側の携帯型電話機１０と同じ表示態様で表示されている。
【０３０７】
次に、絶対位置指定モードで、目印の形状が変更された場合には、図７（ｂ）に示すように、目印情報が十字に変化する。
【０３０８】
すなわち、送信側の携帯型電話機１０において、図７（ｂ）に示すように、ダイヤルボタン５ａの０ボタンを押下することにより、送信側の携帯型電話機１０に表示されている目印７１ａの形状を、“形状＝１”で定義される矢印から、“形状＝２”で定義される十字に変更する。
【０３０９】
さらに、送信側の携帯型電話機１０は、目印情報として、入力されたボタンの種類を示す入力操作情報“０”を受信側の携帯型電話機１０へ送信する。受信側の携帯型電話機１０は、受信した入力操作情報に基づいて、受信側の有効表示エリア７０ｂに表示されている目印７１ｂの形状を、“形状＝１”で定義される矢印から、“形状＝２”で定義される十字に変更する。
【０３１０】
次に、絶対位置が指定された場合には、図７（ｃ）に示すように、ダイヤルボタン５ａに対応する表示画面の分割エリアに、目印が表示される。
【０３１１】
すなわち、送信側の携帯型電話機１０において、ダイヤルボタン５ａの１ボタンが入力されると、図７（ｃ）に示すように、送信側の携帯型電話機１０の有効表示エリア７０ａに示された９つの分割エリアのうち、１ボタンに対応する絶対位置である左上の分割エリアに、現時点で選択されている種類・形状・サイズの目印７１ａが表示される。なお、目印７１ａの表示態様は、目印の絶対位置が設定された後、相対位置指定モードに切り換わったことを示すため、破線で、かつ表示濃度が通常で表示されている（以下、相対位置指定モードでは同様に表示されるものとする）。
【０３１２】
さらに、送信側の携帯型電話機１０は、目印情報として、入力されたボタンの種類を示す入力操作情報“１”を受信側の携帯型電話機１０に送信する。受信側の携帯型電話機１０は、受信した入力操作情報に基づいて、受信側の携帯型電話機１０に示される９つの分割エリアのうち、１ボタンに対応する絶対位置である左上の分割エリアに、現時点で選択されている種類・形状・サイズの目印７１ｂを表示する。
【０３１３】
次に、目印のサイズが変更された場合には、図７（ｄ）に示すように、目印の大きさが変更される。
【０３１４】
すなわち、送信側の携帯型電話機１０において、ダイヤルボタン５ａの０ボタンが入力された場合には、図７（ｄ）に示すように、送信側の携帯型電話機１０に表示されている目印７１ａのサイズが、デフォルトの“中”から“小”に変更される。
【０３１５】
さらに、送信側の携帯型電話機１０は、目印情報として、入力されたボタンの種類を示す入力操作情報“０”を受信側の携帯型電話機１０へ送信する。受信側の携帯型電話機１０は、受信した入力操作情報に基づいて、受信側の有効表示エリア７０ｂに表示されている目印７１ｂのサイズを、デフォルトの“中”から“小”に変更する。
【０３１６】
次に、相対位置指定モードで相対位置が指定された場合には、図８（ａ）に示すように、目印の位置が変更される。
【０３１７】
すなわち、送信側の携帯型電話機１０において、ダイヤルボタン５ａの６ボタンが入力された場合には、図８（ａ）に示すように、送信側の携帯型電話機１０に表示されている目印７１ａが、６ボタンに対応する相対方向である右方向に、現時点で選択されている相対移動量分だけ相対移動する。なお、この場合の相対移動量は、デフォルトの“１／２”であるため、分割エリアの横方向のサイズの１／２となっている。
【０３１８】
さらに、送信側の携帯型電話機１０は、目印情報として、入力されたボタンの種類を示す入力操作情報“６”を受信側の携帯型電話機１０へ送信する。受信側の携帯型電話機１０は、受信した入力操作情報に基づいて、受信側の有効表示エリア７０ｂに表示されている目印７１ｂを、６ボタンに対応する相対方向である右方向に、現時点で選択されている相対移動量分だけ相対移動させる。相対移動量については、上記と同様である。
【０３１９】
次に、相対位置指定における相対移動量が変更する場合には、図８（ｂ）に示すように、＊ボタンが押下される。
【０３２０】
すなわち、送信側の携帯型電話機１０において、ダイヤルボタン５ａの＊ボタンが押下された場合には、図８（ｂ）に示すように、送信側の目印７１ａを相対移動するときの相対移動量が、デフォルトの“１／２”から、“１／４”に変更される。
【０３２１】
さらに、送信側の携帯型電話機１０は、目印情報として、入力されたボタンの種類を示す入力操作情報“＊”を受信側の携帯型電話機１０へ送信する。受信側の携帯型電話機１０は、受信した入力操作情報に基づいて、受信側の目印７１ｂを相対移動するときの相対移動量を、デフォルトの“１／２”から、“１／４”に変更する。
【０３２２】
次に、相対位置指定モードで、さらに相対位置が変更された場合には、図８（ｃ）示すように、目印が移動する。
【０３２３】
すなわち、送信側の携帯型電話機１０において、ダイヤルボタン５ａの２ボタンが入力された場合には、図８（ｃ）に示すように、送信側の携帯型電話機１０に表示されている目印７１ａが、２ボタンに対応する相対方向である上方向に、現時点で選択されている相対移動量分だけ相対移動する。なお、相対移動量は“１／４”であるため、分割エリアの縦方向のサイズの１／４となっている。
【０３２４】
さらに、送信側の携帯型電話機１０は、目印情報として、入力されたボタンの種類を示す入力操作情報“２”を受信側の携帯型電話機１０へ送信する。受信側の携帯型電話機１０は、受信した入力操作情報に基づいて、受信側の有効表示エリア７０ｂに表示されている目印７１ｂを、２ボタンに対応する相対方向である上方向に、現時点で選択されている相対移動量分だけ相対移動させる。なお、相対移動量については、上記と同様である。
【０３２５】
次に、目印情報が確定されると、図８（ｄ）に示すように、目印の表示態様が変わる。
【０３２６】
すなわち、送信側の携帯型電話機１０において、ダイヤルボタン５ａの＃ボタンが入力された場合には、図８（ｄ）に示すように、送信側の携帯型電話機１０に表示されている目印７１ａが、現在の状態で確定され、目印７１ａの表示態様が確定されたことを示すため、実線で、かつ表示濃度が通常という状態で表示される。
【０３２７】
さらに、送信側の携帯型電話機１０は、目印情報として、入力されたボタンの種類を示す入力操作情報“＃”を受信側の携帯型電話機１０へ送信する。受信側の携帯型電話機１０は、受信した入力操作情報に基づいて、受信側の携帯型電話機１０の有効表示エリア７０ｂに表示されている、目印７１ｂを、現在の状態で確定し、目印７１ｂの表示態様を、確定されたことを示すため、実線で、かつ表示濃度が通常という状態で表示する。
【０３２８】
本実施形態の携帯型電話機１０が、逐次送信モードに設定されている場合には、以上のように、送信側でダイヤルボタン５ａを介して入力すると、通信制御部１３が通信部７を制御して、その入力毎にその入力情報を受信側の携帯型電話機１０へ送信する。
【０３２９】
一方、受信側の携帯型電話機１０では、表示制御部１２が表示部４を制御して、受信した目印情報に基づいて、表示画面に目印を表示することで、送信側の携帯型電話機１０と同様の画面を表示することができる。
【０３３０】
また、逐次送信モードでは、送信側の携帯型電話機１０の入力操作毎に、入力操作情報を送信し、受信側の携帯型電話機１０は、入力操作情報を受信してポインティング処理を行う。このため、送信側の携帯型電話機１０で目印情報を確定するまでの操作内容を、受信側の携帯型電話機１０でも画面上で確認できる。よって、表示画面上の何処かに一瞬で目印が表示される場合と比較して、目印のポインティング位置への受信側の利用者の追従性をよくすることができる。さらに、送信側の携帯型電話機１０の利用者と一緒にポインティングしているような感覚が得られることも期待できる。
【０３３１】
一方、本実施形態の携帯型電話機１０において、逐次送信モードではなく、確定情報送信モードに設定されている場合の具体的な表示例について、図１３（ａ）〜図１３（ｄ）および図１４（ａ）〜図１４（ｄ）を用いて説明すれば、以下のとおりである。
【０３３２】
ここでは、２台の携帯型電話機１０において、上記と同様に、“デスクトップパソコンの画像”を共有してお互いの画面に表示し、１台の携帯型電話機１０からのポインティング操作により、お互いの画面に目印を重畳表示する動作について説明する。
【０３３３】
なお、図７（ａ）〜図７（ｄ）および図８（ａ）〜図８（ｄ）を用いた説明と、同様の条件については、ここでは省略する。
【０３３４】
通信開始した時点では、図１３（ａ）に示すように、送信側の携帯型電話機１０の有効表示エリア８０ａ、および受信側の携帯型電話機１０の有効表示エリア８０ｂには、共有している“デスクトップパソコンの画像”が表示されている。
【０３３５】
次に、目印の種類が変更された場合には、図１３（ｂ）に示すように、目印の表示態様が矢印から○へ変化する。
【０３３６】
すなわち、送信側の携帯型電話機１０において、ダイヤルボタン５ａの＊ボタンが入力されると、図１３（ｂ）に示すように、送信側の携帯型電話機１０の有効表示エリア８０ａに表示されている目印８１ａの種類を、１点（ピンポイント）を指し示す“種類＝１”のグループから、ある範囲（エリア）を指し示す“種類＝２”のグループの“形状＝１”で定義される○に変更する。
【０３３７】
さらに、送信側の携帯型電話機１０は、目印情報として、入力されたボタンの種類を示す入力操作情報“＊”を、ＲＡＭ３のバッファ領域に記憶する。
【０３３８】
次に、絶対位置が指定された場合には、図１３（ｃ）に示すように、目印が利用者指定の領域に表示される。
【０３３９】
すなわち、送信側の携帯型電話機１０において、ダイヤルボタン５ａの６ボタンが入力されると、図１３（ｃ）に示すように、送信側の携帯型電話機１０の有効表示エリア８０ａにおいて９つの分割エリアのうち、６ボタンに対応する絶対位置である右中央の分割エリアに、現時点で選択されている種類・形状・サイズの目印８１ａが表示される。
【０３４０】
さらに、送信側の携帯型電話機１０では、目印情報として、入力されたボタンの種類を示す入力操作情報“６”を、ＲＡＭ３のバッファ領域に記憶させる。
【０３４１】
次に、目印のポインティングを、最初から“やり直し”することを指示されると、図１３（ｄ）に示すように、図１３（ａ）に示す状態に戻る。
【０３４２】
すなわち、送信側の携帯型電話機１０において、ダイヤルボタン５ａの５ボタンが入力されると、図１３（ｄ）に示すように、送信側の携帯型電話機１０は、ＲＡＭ３のバッファ領域に記憶していた入力操作情報をすべてクリアして、絶対位置指定モードの開始状態に戻す。
【０３４３】
次に、再度、目印の種類が変更された場合には、図１４（ａ）に示すように、目印の表示態様が矢印から○へ変化する。
【０３４４】
すなわち、送信側の携帯型電話機１０において、ダイヤルボタン５ａの＊ボタンが入力されると、図１４（ａ）に示すように、送信側の携帯型電話機１０の有効表示エリア８０ａに表示される目印８１ａの種類を、１点（ピンポイント）を指し示す“種類＝１”のグループから、ある範囲（エリア）を指し示す“種類＝２”のグループの“形状＝１”で定義される○に変更する。
【０３４５】
さらに、送信側の携帯型電話機１０は、目印情報として、入力されたボタンの種類を示す入力操作情報“＊”を、ＲＡＭ３のバッファ領域に記憶させる。
【０３４６】
次に、再度、絶対位置が指定された場合には、図１４（ｂ）に示すように、目印が利用者指定の領域に表示される。
【０３４７】
すなわち、送信側の携帯型電話機１０において、ダイヤルボタン５ａの９ボタンが入力されると、図１４（ｂ）に示すように、送信側の携帯型電話機１０の有効表示エリア８０ａにおける９つの分割エリアのうち、９ボタンに対応する絶対位置である右下の分割エリアに、現時点で選択されている種類・形状・サイズの目印８１ａが表示される。
【０３４８】
さらに、送信側の携帯型電話機１０は、目印情報として、入力されたボタンの種類を示す入力操作情報“９”を、ＲＡＭ３のバッファ領域に記憶する。
【０３４９】
次に、目印の絶対位置が確定後、相対位置指定モードへ移行し、相対位置が指定された場合には、図１４（ｃ）に示すように、目印の表示位置が移動する。
【０３５０】
すなわち、送信側の携帯型電話機１０において、ダイヤルボタン５ａの「１」ボタンが入力されると、図１４（ｃ）に示すように、送信側の携帯型電話機１０の有効表示エリア８０ａに表示される目印８１ａが、「１」ボタンに対応する相対方向である左上方向に、現時点で選択されている相対移動量分だけ相対移動される。なお、相対移動量は、デフォルトの“１／２”であるため、分割エリアの縦方向と横方向のサイズの各１／２となっている。
【０３５１】
さらに、送信側は目印情報として、入力されたボタンの種類を示す入力操作情報“１”を、ＲＡＭ３のバッファ領域に記憶させる。
【０３５２】
次に、目印情報が確定された場合には、図１４（ｄ）に示すように、目印の表示態様が変化する。
【０３５３】
すなわち、送信側の携帯型電話機１０において、ダイヤルボタン５ａの＃ボタンが入力されたことにより、図１４（ｄ）に示すように、送信側の携帯型電話機１０の有効表示エリア８０ａに表示されている目印８１ａが、現在の状態で確定され、目印８１ａの表示態様が、確定されたことを示すため、実線で、かつ表示濃度が通常で表示される。
【０３５４】
さらに、送信側の携帯型電話機１０は、目印情報として、ＲＡＭ３のバッファ領域に記憶している入力操作情報“＊”、“９”、“１”を、順次送信し、最後に、確定を示す入力操作情報“＃”を送信する。
【０３５５】
受信側の携帯型電話機１０では、受信した入力操作情報に基づいて、順次、受信側の有効表示エリア８０ｂに表示されている目印８１ｂのポインティング処理を行う。
【０３５６】
すなわち、受信側の携帯型電話機１０は、入力操作情報として“＊”、“９”、“１”、“＃”を受信することにより、目印８１ｂの種類を、１点（ピンポイント）を指し示す“種類＝１”のグループから、ある範囲（エリア）を指し示す“種類＝２”のグループの、“形状＝１”で定義される○に変更して、目印８１ｂの表示態様を、絶対位置指定モードであることを示すため、二重線で、かつ表示濃度を薄く表示する。
【０３５７】
次に、受信側の携帯型電話機１０は、有効表示エリア８０ｂにおける９つの分割エリアのうち、９ボタンに対応する絶対位置である右下の分割エリアに、現時点で選択されている種類・形状・サイズの目印８１ｂを表示する。なお、目印８１ｂの表示態様は、次の相対位置指定モードであることを示すため、破線で、かつ表示濃度が通常という状態で表示される。
【０３５８】
次に、受信側の携帯型電話機１０では、有効表示エリア８０ｂに表示されている目印８１ｂを、１ボタンに対応する相対方向である左上方向に、現時点で選択されている相対移動量分だけ相対移動させる。なお、相対移動量については、上記と同様に、デフォルトの“１／２”であるため、分割エリアの縦方向と横方向のサイズの各１／２となっている。
【０３５９】
次に、受信側の携帯型電話機１０では、有効表示エリア８０ｂに表示されている、目印８１ｂを現在の状態で確定し、目印８１ｂの表示態様を、確定されたことを示すため、実線で、かつ表示濃度が通常で表示する。
【０３６０】
本実施形態の携帯型電話機１０が、逐次送信モードではなく、確定情報送信モードに設定されている場合には、以上のように、目印情報の設定入力が確定された後、通信制御部１３が通信部７を制御して、順次受信側の携帯型電話機１０へ確定した目印情報を送信することで、受信側の携帯型電話機１０において、送信側の携帯型電話機１０と同様の位置に表示された目印を表示することができる。
【０３６１】
また、確定した状態を示すために、必要最小限の情報を送信するだけで済むので、逐次送信モードに設定されている場合と比較して、データ通信量の削減を図ることができる。
【０３６２】
さらに、表示制御部１２によって表示部４を制御し、１つの入力操作情報に対する受信側の携帯型電話機１０における処理を、人間の目で確認できる数百ｍｓ程度の時間で処理して表示してもよい。これにより、目印情報を確定するまでの操作ステップを、受信側の携帯型電話機１０でも確認することが可能になり、逐次送信モードと同様の効果が得られる。勿論、１つの入力操作情報に対する受信側の処理時間を極力早くして、すばやくポインティングすることを重視してもよい。
【０３６３】
なお、受信側の携帯型電話機１０は、確定を示す入力操作情報を受信するまでは、受信した入力操作情報を受信側のＲＡＭ３のバッファに蓄積し、確定を示す入力操作情報を受信した時点で、ＲＡＭ３のバッファ内の入力操作情報によるポインティング処理を、表示画面には表示せずに順次処理し、確定までの処理が済んでから、表示画面に目印を表示するようにしてもよい。
【０３６４】
これにより、受信側の携帯型電話機１０は、確定するまでの余計な操作ステップを見たくない場合には、この表示を削除することもできる。
【０３６５】
ここでさらに、本実施形態の携帯型電話機１０において、通信を行う携帯型電話機１０同士の表示条件が異なる場合の処理について説明すれば以下のとおりである。
【０３６６】
すなわち、送信側および受信側の携帯型電話機１０において、表示画面の解像度が異なる場合には、以下のような処理が行われる。
【０３６７】
例えば、送信側の携帯型電話機１０の表示部２０ａの有効表示エリア２１ａは、図９に示すように、縦１２８×横１２０ピクセルであり、９個のエリア（縦３×横３）に分割されており、受信側の携帯型電話機１０の表示部２０ｂの有効表示エリア２１ｂは、縦２５６×横２４０ピクセルであり、送信側の携帯型電話機１０と同様に、９個のエリア（縦３×横３）に分割されているものとする。
【０３６８】
画面に表示されている画像は、元の画像が縦１２８×横１２０ピクセルであれば、送信側の携帯型電話機１０は、有効表示エリア２１ａのピクセル数と同じであるため、そのままのサイズで表示する。
【０３６９】
一方、受信側の携帯型電話機１０は、有効表示エリア２１ｂのピクセル数と、縦方向および横方向とも２倍の差があるので、画像を縦方向および横方向とも２倍のサイズで表示する。
【０３７０】
このため、送信側および受信側の携帯型電話機１０の表示画面の解像度が異なる場合でも、同じエリアを示すボタンの入力操作情報だけでポインティングできる。
【０３７１】
すなわち、送信側の携帯型電話機１０のダイヤルボタン２２の３ボタンが入力されたら、送信側および受信側の携帯型電話機１０においては、ともに右上のエリアに目印２３ａ，２３ｂがポインティングされる。
【０３７２】
また、相対位置の指定も、分割エリアのサイズの“１／ｎ”を基準にしていることから、同様に、方向ボタンの入力操作情報だけでポインティングできる。
【０３７３】
以上のように、本実施形態の携帯型電話機１０では、送信側および受信側の携帯型電話機１０の表示画面の解像度が異なる場合でも、表示制御部１２が表示部４を制御し、受信した入力操作情報に基づいて表示することで、お互いの表示画面上における同じ位置へポインティングできる。
【０３７４】
なお、本実施形態では、入力部５は、電話機としての入力機能を前提としているが、例えば、本発明を通信機能を搭載したテレビに適用する場合には、１〜０（または１２等）までの数字が記されたチャンネルボタン等の複数の入力ボタンを備えたリモコンを、入力部５として利用してもよい。
【０３７５】
また、本実施形態では、通信部７は、携帯型電話機としての無線通信機能を備えていることを前提としているが、本発明はこれに限定されるものではない。例えば、有線式のアナログ電話回線やデジタル電話回線の通信機能や、有線または無線ＬＡＮ、Bluetooth（登録商標）、ＵＷＢ（Ultra Wide Band）等、音声やデータの通信が可能なものであれば、適用可能である。
【０３７６】
また、本実施形態では、表示部４を９個の分割エリア（縦３×横３）としているが、例えば、１２個の分割エリア（縦４×横３）としたり、４個の分割エリア（縦２×横２）としたりする等、有効表示エリアのサイズや、ボタンの配置とボタン数に応じて、適切な分割数を設定すればよい。
【０３７７】
なお、本実施形態では、目印のサイズ変更および相対移動量の変更は、３ステップとして説明したが、本発明はこれに限定されるものではなく、２ステップ以上であれば何ステップでもよく、また、サイズ変更、相対移動量の変更が不要であれば変更できなくてもよい。
【０３７８】
また、本実施形態では、絶対位置指定モードであることを示すための表現方法として、線種を二重線でかつ表示濃度を薄く表示する例、相対位置指定モードであることを示すための表現方法として、線種を破線でかつ表示濃度を通常で表示する例、目印が確定されたことを示すための表現方法として、線種を実線でかつ表示濃度が通常で表示する例を挙げて説明したが、本発明はこれに限定されるものではない。例えば、目印の表示色を特定の色に変える等の方法を採用した場合でも、上記と同様の効果を得ることができる。
【０３７９】
本実施形態では、入力操作情報としてデジタルデータを生成した例を挙げて説明したが、本発明はこれに限定されるものではなく、ＰＢ信号（ＤＴＭＦ）や、音声データとして生成してもよい。
【０３８０】
さらに、この音声データは、音声合成により生成してもよいし、予め、各ボタンに対応した音声データをＲＯＭ２に記憶しておき、これを読み出して利用してもよい。
【０３８１】
〔実施形態２〕
本発明の情報通信端末および端末制御方法、端末制御プログラム並びにこれを記録した記録媒体に関する他の実施形態について、図１５〜図２３に基づいて説明すれば、以下のとおりである。
【０３８２】
なお、説明の便宜上、上記実施形態１にて説明した構成と同じ機能を有する構成については、同じ符号を付記し、その説明を省略する。さらに、本実施形態におけるフローチャートに基づく説明についても、実施形態１で説明した処理内容と基本的に同様であるため、実施形態１と重複する条件については、その説明を省略する。
【０３８３】
本実施形態では、目印情報として、有効表示エリア上の座標情報、目印の状態（種類、形状、サイズ、線種、色等）を示す目印属性情報等を利用する。
【０３８４】
つまり、本実施形態の携帯型電話機１０では、図１に示す目印情報作成部１１が、利用者からの入力に応じて、目印情報に関する座標情報と目印属性情報とを作成する点で、実施形態１とは異なっている。
【０３８５】
また、表示制御部１２は表示部４を制御して、該座標情報および目印属性情報に基づいて、表示部４の所望の位置に、利用者指定の表示態様で示される目印を表示させる。
【０３８６】
さらに、通信制御部１３は、該座標情報と目印属性情報とを、受信側の携帯型電話機１０へ送信することで、受信側の携帯型電話機１０では、受信した座標情報と目印属性情報とに基づいて、送信側の携帯型電話機１０の表示と同様の表示を行うことができる。
【０３８７】
本実施形態において、送信側の携帯型電話機１０による処理は、図１５および図１６に示すフローチャートに従って行われる。
【０３８８】
すなわち、図１５に示すように、Ｓ８０では、ポインティング制御を開始するための設定を行う。
【０３８９】
具体的には、設定内容については、上記実施形態１で説明した図４に示すフローチャートにおけるものと同様である。
【０３９０】
本実施形態でも、実施形態１で説明した図２に示す携帯型電話機１０と同様に、有効表示エリア４ａは、９個の分割エリア（縦３×横３）とし構成し、分割エリアを指定するダイヤルボタン５ａの対応は、１から９までの９個のボタン（縦３×横３）で対応し、目印情報の伝送形態は、デジタルデータ（文字等）とする。
【０３９１】
ポインティング操作に必要な情報については、図１７（ａ）〜図１７（ｄ）に示す４つが、受信側の携帯型電話機１０も認識しておく必要がある情報であり、必要に応じて受信側の携帯型電話機１０に送信する。
【０３９２】
送信側の携帯型電話機１０の有効表示エリア４ａは、図１７（ａ）に示すように、有効表示エリア４ａの縦横のピクセル数（解像度）で定義される。
【０３９３】
有効表示エリア４ａ上の座標情報のコマンドは、図１７（ｂ）に示すように、“コマンドコード＝０１”で識別され、Ｘ座標、Ｙ座標で定義される。
【０３９４】
目印属性情報のコマンドは、図１７（ｃ）に示すように、“コマンドコード＝０２”で識別され、種類と形状を識別するコード、目印情報のピクセルサイズで定義される。
【０３９５】
その他のコマンドは、図１７（ｄ）に示すように、“コマンドコード＝０３”で識別される“やり直し”と、“コマンドコード＝０４”で識別される“確定”とで定義される。
【０３９６】
さらに、使用ボタンの機能は、図１７（ｅ）に示すように、ポインティング操作に使用するボタンと、各ボタンに割り当てられた機能とで定義される。
【０３９７】
目印情報は、図１７（ｆ）に示すように、ポインティング操作によりポインティングされる目印の種類と形状を識別するコード、そのコードに適用される目印、サイズの変化ステップで定義される。
【０３９８】
相対移動量は、図１７（ｇ）に示すように、相対位置指定モードでの相対移動量の変化ステップで定義される。
【０３９９】
続いて、Ｓ８１〜Ｓ８４では、実施形態１のＳ２〜Ｓ５と同様の処理が行われる。
【０４００】
ｓ８４において、判定がＹＥＳの場合にはＳ８５に進み、ＮＯの場合にはＳ８９に進む。
【０４０１】
Ｓ８５では、入力操作情報に基づいて、送信側の携帯型電話機１０の有効表示エリア４ａにおける座標情報を生成する。
【０４０２】
具体的には、ダイヤルボタン５ａに対応した有効表示エリア４ａの絶対位置を示す座標を算出して、算出した座標を有効表示エリア４ａ上の座標情報とする。
【０４０３】
本実施形態では、実施形態１と同様に、ダイヤルボタン５ａの１から９までの９個のダイヤルボタンへの入力により、それぞれのダイヤルボタンに対応する有効表示エリア４ａの絶対位置が指定される。よって、本実施形態では、指定された分割エリアの中心位置を示す座標を、座標情報としている。
【０４０４】
続いて、Ｓ８６では、Ｓ８５で生成された有効表示エリア４ａにおける座標情報に基づいて、送信側の携帯型電話機１０の有効表示エリア４ａに目印を表示する。
【０４０５】
具体的には、有効表示エリア４ａ上の座標情報で示される位置を中心として、現時点で選択されている種類・形状・サイズの表示態様を示す目印情報に基づいて、目印を表示する。
【０４０６】
また、目印を表示する絶対位置の指定が終了し、次に相対位置指定モードであることを示すために、目印の表示態様は、線種が破線で、かつ表示濃度は通常という状態で表示される。
【０４０７】
Ｓ８７では、入力操作情報を認識する毎に、入力操作情報を目印情報として受信側の携帯型電話機１０に送信する「逐次送信モード」に設定されているか否かを判定する。
【０４０８】
ここで、判定がＹＥＳの場合にはＳ８８に進み、ＮＯの場合には相対位置指定モードに移行するため、図１６に示すフローチャートのＳ１００に進む。
【０４０９】
Ｓ８８では、逐次送信モードに設定されているため、領域指定情報である目印情報として、有効表示エリア４ａ上の座標情報を、図１７（ｂ）で定義される有効表示エリア上の座標情報コマンドの形式で、通信部７により、受信側の携帯型電話機１０に送信する。
【０４１０】
続いて、相対位置指定モードに移行するため、図１６に示すフローチャートのＳ１００に進む。
【０４１１】
Ｓ８９では、Ｓ８３で生成された入力操作情報が、目印の種類変更を示すボタン入力であるか否かを判定する。
【０４１２】
ここで、判定がＹＥＳの場合にはＳ９０に進み、ＮＯの場合にはＳ９３に進む。
【０４１３】
Ｓ９０では、目印の種類変更が入力されているため、入力操作情報に基づいて、送信側の携帯型電話機１０の有効表示エリア４ａに表示されている目印の種類を変更する。
【０４１４】
Ｓ９１では、入力操作情報を認識する毎に、入力操作情報を目印情報として受信側の携帯型電話機１０に送信する「逐次送信モード」に設定されているか否かを判定する。
【０４１５】
ここで、判定がＹＥＳの場合にはＳ９２に進み、ＮＯの場合にはＳ８２に戻る。
【０４１６】
Ｓ９２では、逐次送信モードに設定されているため、目印態様情報である目印情報として、目印の種類・形状・サイズを示す情報を、図１７（ｃ）で定義される目印属性情報コマンドの形式で、通信部７により、受信側の携帯型電話機１０に送信する。続いてＳ８２に戻る。
【０４１７】
Ｓ９３では、Ｓ８３で生成された入力操作情報が、目印の形状変更を示すボタン入力であるか否かを判定する。
【０４１８】
ここで、判定がＹＥＳの場合にはＳ９４に進み、ＮＯの場合にはＳ９５に進む。
【０４１９】
Ｓ９４では、目印の形状変更が入力されているため、入力操作情報に基づいて、送信側の携帯型電話機１０の有効表示エリア４ａに表示されている目印の形状を変更する。
【０４２０】
続いて、Ｓ９１に進む。Ｓ９１以降の処理は前述のとおりである。
【０４２１】
Ｓ９５では、Ｓ８３で生成された入力操作情報が、目印情報の確定を示すボタン入力であるか否かを判定する。
【０４２２】
ここで、判定がＹＥＳの場合には図１６に示すフローチャートのＳ１１８に進み、ＮＯの場合にはＳ８２に戻る。
【０４２３】
Ｓ１００〜Ｓ１０３における処理は、実施形態１の図５に示すフローチャートのＳ２０〜Ｓ２３と同様である。
【０４２４】
Ｓ１０４では、入力操作情報に基づいて、送信側の携帯型電話機１０の有効表示エリア４ａ上の座標情報を生成する。
【０４２５】
具体的には、送信側の携帯型電話機１０の有効表示エリア４ａに表示されている目印を、指定された方向に、相対移動量に基づいて相対移動した位置を示す座標を算出して、算出した座標を有効表示エリア４ａ上の座標情報とする。
【０４２６】
Ｓ１０５では、Ｓ１０４で生成された有効表示エリア４ａ上の座標情報に基づいて、送信側の携帯型電話機１０の有効表示エリア４ａに表示されている目印を相対移動させる。
【０４２７】
Ｓ１０６では、「逐次送信モード」に設定されているか否かを判定する。
【０４２８】
ここで、判定がＹＥＳの場合にはＳ１０７に進み、ＮＯの場合にはＳ１０１に戻る。
【０４２９】
Ｓ１０７では、逐次送信モードに設定されているため、目印移動情報である目印情報として、有効表示エリア４ａ上の座標情報を、図１７（ｂ）で定義される有効表示エリア上の座標情報コマンドの形式で、通信部７により、受信側の携帯型電話機１０に送信する。続いて、Ｓ１０１に戻る。
【０４３０】
Ｓ１０８では、Ｓ１０２で生成された入力操作情報が、目印のサイズ変更を示すボタン入力であるか否かを判定する。
【０４３１】
ここで、判定がＹＥＳの場合にはＳ１０９に進み、ＮＯの場合にはＳ１１２に進む。
【０４３２】
Ｓ１０９では、目印のサイズ変更が入力されているため、入力操作情報に基づいて、送信側の携帯型電話機１０の有効表示エリア４ａに表示されている目印のサイズを変更する。
【０４３３】
Ｓ１１０では、「逐次送信モード」に設定されているか否かを判定する。
【０４３４】
ここで、判定がＹＥＳの場合にはＳ１１１に進み、ＮＯの場合にはＳ１０１に戻る。
【０４３５】
Ｓ１１１では、逐次送信モードに設定されているため、目印態様情報である目印情報として、目印の種類・形状・サイズを示す情報を、図１７（ｃ）で定義される目印属性情報コマンドの形式で、通信部７により、受信側の携帯型電話機１０に送信する。続いて、Ｓ１０１に戻る。
【０４３６】
Ｓ１１２では、Ｓ１０２で生成された入力操作情報が、相対移動量の変更を示すボタン入力であるか否かを判定する。
【０４３７】
ここで、判定がＹＥＳの場合にはＳ１１３に進み、ＮＯの場合にはＳ１１４に進む。
【０４３８】
Ｓ１１３では、相対移動量の変更が入力されているため、入力操作情報に基づいて、相対移動量を変更する。続いて、Ｓ１０１に戻る。
【０４３９】
Ｓ１１４では、Ｓ１０２で生成された入力操作情報が、目印のポインティングを、最初から“やり直し”することを指示するボタン入力であるか否かを判定する。
【０４４０】
ここで、判定がＹＥＳの場合にはＳ１１５に進み、ＮＯの場合にはＳ１１７に進む。
【０４４１】
Ｓ１１５では、やり直し指示が入力されているため、「逐次送信モード」に設定されているか否かを判定する。
【０４４２】
ここで、判定がＹＥＳの場合にはＳ１１６に進み、ＮＯの場合にはＳ８１に戻る。
【０４４３】
Ｓ１１６では、逐次送信モードに設定されているため、図１７（ｄ）で定義されるやり直しコマンドを、目印情報として、通信部７から受信側の携帯型電話機１０に送信する。続いて、図１５のＳ８１に戻る。
【０４４４】
Ｓ１１７では、Ｓ１０２で生成された入力操作情報が、目印情報の確定を示すボタン入力であるか否かを判定する。
【０４４５】
ここで、判定がＹＥＳの場合にはＳ１１８に進み、ＮＯの場合にはＳ１０１に戻る。
【０４４６】
Ｓ１１８では、目印情報の確定が入力されているため、入力操作情報に基づいて、送信側の携帯型電話機１０の有効表示エリア４ａに表示されている目印情報を現在の状態で確定する。
【０４４７】
また、目印情報が確定したことを示すために、目印の表示態様を、例えば、線種を実線に変更して表示する。
【０４４８】
さらに、有効表示エリア４ａに表示していた分割グリッド線も消去する。
【０４４９】
Ｓ１１９では、「逐次送信モード」に設定されているか否かを判定する。
【０４５０】
ここで、判定がＹＥＳの場合にはＳ１２２に進み、ＮＯの場合にはＳ１２０に進む。
【０４５１】
Ｓ１２０では、逐次送信モードに設定されていないため、目印情報として、確定した有効表示エリア４ａ上の座標情報を、図１７（ｂ）で定義される有効表示エリア上の座標情報コマンドの形式で、通信部７から受信側の携帯型電話機１０に送信する。続いて、Ｓ１２１に進む。
【０４５２】
Ｓ１２１では、目印情報として、確定した目印の種類・形状・サイズを示す情報を、図１７（ｃ）で定義される目印属性情報コマンドの形式で、通信部７により、受信側の携帯型電話機１０に送信する。
【０４５３】
Ｓ１２２では、目印情報として、図１７（ｄ）で定義される確定コマンドを、通信部７から受信側の携帯型電話機１０に送信する。
【０４５４】
以上で、送信側のポインティング処理を終了する。
【０４５５】
本実施形態の携帯型電話機１０では、以上のように、表示制御部１２が表示部４を制御して、表示画面に表示された画像に対して、携帯型電話機１０が有するダイヤルボタン５ａを押下して入力された目印属性情報および座標情報に基づいて、容易に所望の位置に目印を表示することができる。
【０４５６】
また、表示画面にポインティングされた目印について、目印情報移動制御部１４により、ダイヤルボタン５ａを押下することで、目印属性情報および座標情報を変更して、容易に目印の表示態様および表示位置を変更することができる。
【０４５７】
一方、受信側の携帯型電話機１０における処理は、図２０に示すフローチャートに従って行われる。
【０４５８】
まず、Ｓ１３０では、ポインティング制御を開始するための設定を行う。
【０４５９】
具体的には、送信側の携帯型電話機１０の有効表示エリア４ａの解像度と自端末の有効表示エリア４ａの解像度との差を吸収するための乗数の算出や、受信する目印情報のコマンド定義、目印情報として受信する各コマンドの伝送形態等、ポインティング操作に必要な設定を行う。
【０４６０】
解像度の差を吸収するための乗数は、縦方向と横方向のそれぞれについて、以下の関係式（１）から算出して、受信した座標や目印情報との乗算を行う際に利用する。
【０４６１】
送信側ピクセル数／受信側ピクセル数＝乗数・・・・・・（１）
なお、目印情報の伝送形態は、送信側の携帯型電話機１０と同じく、デジタルデータ（文字等）とする。
【０４６２】
ポインティング操作に必要な情報は、上述した図１７（ａ）〜図１７（ｇ）に示す各情報と同様である。
【０４６３】
続いて、Ｓ１３１では、デフォルトの目印を表示する。
【０４６４】
なお、デフォルトの目印情報に基づく目印は、図１８（ａ）に示すように、矢印として示される表示態様であってもよい。
【０４６５】
Ｓ１３２では、通信部７により、目印情報の受信待ちを行い、目印情報を受信したら、Ｓ１３３に進む。
【０４６６】
Ｓ１３３では、Ｓ１３２で受信した目印情報が、有効表示エリア上の座標情報コマンドであるか否かを判定する。
【０４６７】
ここで、判定がＹＥＳの場合にはＳ１３８に進み、ＮＯの場合にはＳ１３４に進む。
【０４６８】
Ｓ１３８では、受信した目印情報が有効表示エリアにおける座標情報コマンドであるため、受信した座標情報コマンドに基づいて、受信側の携帯型電話機１０の有効表示エリア４ａに目印を表示する。
【０４６９】
具体的には、受信した有効表示エリア上の座標情報コマンドで示される送信側の携帯型電話機１０のＸ座標であるＰｘ、およびＹ座標であるＰｙのそれぞれに、上記Ｓ１３０において式（１）で算出した乗数を乗算して、受信側の携帯型電話機１０の有効表示エリア４ａ上の座標を算出し、算出した位置を中心として、現時点で選択されている種類・形状・サイズの目印を表示する。
【０４７０】
目印の種類が、１点（ピンポイント）を指し示す“矢印”や“十字”の場合には、指定された有効表示エリア４ａ上の座標を指し示すように目印を表示し、目印の種類が、ある範囲（エリア）を指し示す“○”や“□”の場合には、指定された有効表示エリア４ａ上の座標を中心位置として、分割エリアの縦または横のどちらか小さい方のサイズを輪郭サイズとして目印を表示する。
【０４７１】
また、座標指定中であることを示すために、目印の表示態様は、例えば、線種が破線で、かつ表示濃度は通常で表示する。なお、座標指定中であることを示すための表現方法は、その他の方法を用いてもよく、例えば、座標指定中であることを示すために、目印の表示色を特定の色にしてもよい。
【０４７２】
Ｓ１３４では、Ｓ１３２で受信した目印情報が、目印属性情報コマンドであるか否かを判定する。
【０４７３】
ここで、判定がＹＥＳの場合にはＳ１３９に進み、ＮＯの場合にはＳ１３５に進む。
【０４７４】
Ｓ１３９では、受信した目印情報が目印属性情報コマンドであるため、目印属性情報に基づいて、有効表示エリア４ａに表示されている目印の種類・形状・サイズを変更する。
【０４７５】
例えば、サイズについては、受信した目印属性情報コマンドで示される送信側のＸ方向サイズであるＭｘ、及びＹ方向サイズであるＭｙのそれぞれに、上記Ｓ１３０において式（１）で算出した乗数を乗算して、受信側の携帯型電話機１０におけるサイズを算出して、算出したサイズで目印を表示した後、Ｓ１３２に戻る。
【０４７６】
Ｓ１３５では、Ｓ１３２で受信した目印情報が、やり直しコマンドであるか否かを判定する。
【０４７７】
ここで、判定がＹＥＳの場合にはＳ１３１に戻り、ＮＯの場合にはＳ１３６に進む。
【０４７８】
Ｓ１３６では、やり直しコマンドではないため、Ｓ１３２で受信した目印情報が、確定コマンドであるか否かを判定する。
【０４７９】
ここで、判定がＹＥＳの場合にはＳ１３７に進み、ＮＯの場合にはＳ１３２に戻る。
【０４８０】
Ｓ１３７では、確定コマンドを受信しているため、確定コマンドに基づいて、受信側の携帯型電話機１０の有効表示エリア４ａに表示されている目印情報を現在の状態で確定する。
【０４８１】
また、目印情報が確定したことを示すために、目印の表示態様を、例えば、線種を実線に変更して表示する。なお、確定したことを示すための表現方法は、その他の方法でもよく、例えば、確定したことを示すために、目印の表示色を特定の色にしてもよい。
【０４８２】
以上で、受信側の携帯型電話機１０におけるポインティング処理を終了する。
【０４８３】
本実施形態の携帯型電話機１０では、以上のように、受信側の携帯型電話機１０においても、表示制御部１２が表示部４を制御して、受信した目印属性情報と座標情報に基づいて、送信側の携帯型電話機１０において表示された状態と同様の表示を行うことができる。
【０４８４】
これにより、送受信を行う複数の携帯型電話機１０において、互いに共通する画像に目印を付加した状態で表示画面上に表示することができるため、利用者は、その目印で指し示された対象物についての情報交換を、通話あるいは文字情報を通じて、行うことができる。
【０４８５】
次に、本実施形態の携帯型電話機１０において、逐次送信モードに設定された場合の表示例について説明する。
【０４８６】
通信開始時点では、図１８（ａ）に示すように、送信側の携帯型電話機１０、および受信側の携帯型電話機１０には、共有している画像情報に基づいて、“カメラの画像”が表示されている。
【０４８７】
ここで、送信側の携帯型電話機１０には、有効表示エリア１２０ａの分割エリアを示すための分割グリッド線１２２ａと、デフォルトの目印１２１ａが表示されている。
【０４８８】
なお、デフォルトの目印１２１ａは、識別コード“種類＝１、形状＝１”で定義される矢印であり、絶対位置指定モードであることを示すために、目印１２１ａの表示態様は、二重線で、かつ表示濃度が薄く表示されている。また、受信側の携帯型電話機１０の有効表示エリア１２０ｂには、デフォルトの目印１２１ｂが、座標指定前状態を示すため、送信側の携帯型電話機１０と同じ表示態様で表示されている。
【０４８９】
次に、絶対位置指定モードで、目印の形状が変更された場合には、図１８（ｂ）に示すように、十字の目印に変更される。
【０４９０】
すなわち、送信側の携帯型電話機１０において、ダイヤルボタン５ａの０ボタンが入力されると、図１８（ｂ）に示すように、送信側の携帯型電話機１０の有効表示エリア１２０ａに表示されている目印１２１ａの形状が、“形状＝１”で定義される矢印から、“形状＝２”で定義される十字に変更される。さらに、送信側の携帯型電話機１０は、目印情報として、目印属性情報コマンドを送信する。
【０４９１】
受信側の携帯型電話機１０は、受信した目印属性情報コマンドに基づいて、受信側の有効表示エリア１２０ｂに表示されている目印１２１ｂの形状を、“形状＝１”で定義される矢印から“形状＝２”で定義される十字に変更する。
【０４９２】
なお、目印１２１ｂの表示態様は、座標指定前であることを示すため、二重線で、かつ表示濃度が薄く表示されている。
【０４９３】
次に、絶対位置指定モードで、絶対位置が指定された場合には、図１８（ｃ）に示すように、目印が利用者指定の領域に表示される。
【０４９４】
すなわち、送信側の携帯型電話機１０において、ダイヤルボタン５ａの１ボタンが入力されると、図１８（ｃ）に示すように、送信側の携帯型電話機１０の有効表示エリア１２０ａにおける９つの分割エリアのうち、１ボタンに対応する絶対位置である左上の分割エリアに、現時点で選択されている種類・形状・サイズの目印１２１ａが表示される。さらに、送信側の携帯型電話機１０は、目印情報として、有効表示エリア上の座標情報コマンドを送信する。
【０４９５】
受信側の携帯型電話機１０は、受信した有効表示エリア上の座標情報コマンドに基づいて、受信側の携帯型電話機１０の有効表示エリア１２０ｂにおける現時点で選択されている種類・形状・サイズの目印１２１ｂを表示する。なお、目印１２１ｂの表示態様は、座標指定中あることを示すため、破線で、かつ表示濃度が通常という状態で表示されている。
【０４９６】
次に、目印のポインティングを、最初から“やり直し”することを指示された場合には、図１８（ｄ）に示すように、目印が矢印に戻る。
【０４９７】
すなわち、送信側の携帯型電話機１０において、ダイヤルボタン５ａの５ボタンが入力されると、図１８（ｄ）において、送信側の携帯型電話機１０は、絶対位置指定モードの開始状態に戻る。さらに、送信側は目印情報として、やり直しコマンドを送信する。
【０４９８】
受信側の携帯型電話機１０は、受信したやり直しコマンドに基づいて、座標指定前状態に戻る。
【０４９９】
次に、再度、絶対位置指定モードで、絶対位置が指定された場合には、図１９（ａ）に示すように、目印が利用者指定の領域に表示される。
【０５００】
すなわち、送信側の携帯型電話機１０において、ダイヤルボタン５ａの１ボタンが入力されると、図１９（ａ）に示すように、送信側の携帯型電話機１０の有効表示エリア１２０ａにおける９つの分割エリアのうち、１ボタンに対応する絶対位置である左上の分割エリアに、現時点で選択されている種類・形状・サイズの目印１２１ａが表示される。さらに、送信側の携帯型電話機１０は、目印情報として、有効表示エリア上の座標情報コマンドを送信する。
【０５０１】
受信側の携帯型電話機１０は、受信した有効表示エリア上の座標情報コマンドに基づいて、受信側の携帯型電話機１０の有効表示エリア１２０ｂ上に、現時点で選択されている種類・形状・サイズの目印１２１ｂを表示する。
【０５０２】
次に、相対位置指定モードで、目印のサイズが変更された場合には、図１９（ｂ）に示すように、目印の大きさが変更される。
【０５０３】
すなわち、送信側の携帯型電話機１０において、ダイヤルボタン５ａの０ボタンが入力されると、図１９（ｂ）に示すように、送信側の携帯型電話機１０の有効表示エリア１２０ａに表示されている目印１２１ａのサイズが、デフォルトの“中”から“小”に変更される。さらに、送信側の携帯型電話機１０は、目印情報として、目印属性情報コマンドを送信する。
【０５０４】
受信側の携帯型電話機１０は、受信した目印属性情報コマンドに基づいて、受信側の有効表示エリア１２０ｂに表示されている目印１２１ｂのサイズを変更する。
【０５０５】
次に、相対位置指定モードへ以降した後、相対位置が指定された場合には、図１９（ｃ）に示すように、目印の表示位置が微調整される。
【０５０６】
すなわち、送信側の携帯型電話機１０において、ダイヤルボタン５ａの８ボタンが入力されると、図１９（ｃ）に示すように、送信側の携帯型電話機１０の有効表示エリア１２０ａに表示されている目印１２１ａは、８ボタンに対応する相対方向である下方向に、現時点で選択されている相対移動量分だけ相対移動される。なお、相対移動量は、デフォルトの“１／２”であるため、分割エリアの縦方向のサイズの１／２となっている。さらに、送信側の携帯型電話機１０は、目印情報として、有効表示エリア上の座標情報コマンドを送信する。
【０５０７】
受信側の携帯型電話機１０は、受信した有効表示エリア上の座標情報コマンドに基づいて、受信側の携帯型電話機１０の有効表示エリア１２０ｂにおいて、現時点で選択されている種類・形状・サイズの目印１２１ｂを表示する。
【０５０８】
次に、目印情報が確定された場合には、図１９（ｄ）に示すように、グリッド線が消去されて、目印情報が確定される。
【０５０９】
すなわち、送信側の携帯型電話機１０において、ダイヤルボタン５ａの＃ボタンが入力されると、図１９（ｄ）に示すように、送信側の携帯型電話機１０の有効表示エリア１２０ａに表示されている目印１２１ａが、現在の状態で確定される。なお、ここでは、目印１２１ａの表示態様が、確定されたことを示すため、実線で、かつ表示濃度が通常で表示される。さらに、送信側の携帯型電話機１０は、目印情報として、確定コマンドを送信する。
【０５１０】
受信側の携帯型電話機１０は、受信した確定コマンドに基づいて、受信側の有効表示エリア１２０ｂに表示されている目印１２１ｂを現在の状態で確定する。
【０５１１】
このように、本実施形態において逐次送信モードに設定した場合でも、目印情報として、目印属性情報と座標情報とに基づいて、表示制御部１２が表示部４を制御することで、上述した実施形態１と同様の効果を得ることができる。
【０５１２】
一方、本実施形態の携帯型電話機１０において、逐次送信モードではなく、確定情報送信モードに設定されている場合の表示例について説明する。
【０５１３】
２台の携帯型電話機１０が、“カメラの画像”を共有してお互いの画面に表示し、１台の携帯型電話機１０からのポインティング操作により、お互いの画面に目印を重畳表示した場合には、図２１（ａ）〜図２１（ｄ）および図２２（ａ）〜図２２（ｃ）に示すような表示がなされる。
【０５１４】
すなわち、絶対位置指定モードを開始した時点では、図２１（ａ）に示すように、送信側の携帯型電話機１０の有効表示エリア１３０ａ、および受信側の携帯型電話機１０の有効表示エリア１３０ｂには、共有している“カメラの画像”が表示されている。
【０５１５】
ここで、送信側の携帯型電話機１０の有効表示エリア１３０ａには、有効表示エリア１３０ａの分割エリアを示すための、分割グリッド線１３２ａと、デフォルトの目印１３１ａとが表示されている。
【０５１６】
また、受信側の携帯型電話機１０の有効表示エリア１３０ｂには、デフォルトの目印１３１ｂが、送信側の携帯型電話機１０と同じ表示態様で表示されている。
【０５１７】
次に、目印の種類が変更された場合には、図２１（ｂ）に示すように、目印の表示態様が矢印から○へ変更する。
【０５１８】
すなわち、送信側の携帯型電話機１０において、ダイヤルボタン５ａの＊ボタンが入力されると、図２１（ｂ）に示すように、送信側の携帯型電話機１０の有効表示エリア１３０ａに表示されている目印１３１ａの種類が、１点（ピンポイント）を指し示す“種類＝１”のグループから、ある範囲（エリア）を指し示す“種類＝２”のグループの“形状＝１”で定義される○に変更される。
【０５１９】
次に、絶対位置指定モードで、目印の形状が変更された場合には、図２１（ｃ）に示すように、目印が○から□に変更される。
【０５２０】
すなわち、送信側の携帯型電話機１０において、ダイヤルボタン５ａの０ボタンが入力されると、図２１（ｃ）に示すように、送信側の携帯型電話機１０の有効表示エリア１３０ａに表示されている目印１３１ａの形状が、“形状＝１”で定義される○から、“形状＝２”で定義される□に変更される。なお、目印１３１ａの表示態様は、絶対位置指定モードであることを示すため、二重線で、かつ表示濃度が薄く表示されている。
【０５２１】
次に、目印を表示する絶対位置が指定された場合には、図２１（ｄ）に示すように、目印が利用者指定の領域に表示される。
【０５２２】
すなわち、送信側の携帯型電話機１０において、ダイヤルボタン５ａの１ボタンが入力されると、図２１（ｄ）に示すように、送信側の携帯型電話機１０の有効表示エリア１３０ａにおける９つの分割エリアのうち、１ボタンに対応する絶対位置である左上の分割エリアに、現時点で選択されている種類・形状・サイズの目印１３１ａが表示される。
【０５２３】
次に、目印の相対位置が指定された場合には、図２２（ａ）に示すように、目印の表示位置が微調整される。
【０５２４】
すなわち、送信側の携帯型電話機１０において、ダイヤルボタン５ａの８ボタンが入力されると、図２２（ａ）に示すように、送信側の携帯型電話機１０の有効表示エリア１３０ａに表示されている目印１３１ａは、８ボタンに対応する相対方向である下方向に、現時点で選択されている相対移動量分だけ相対移動する。
【０５２５】
次に、相対位置指定モードで、目印のサイズが変更された場合には、図２２（ｂ）に示すように、目印の大きさが変更される。
【０５２６】
すなわち、送信側の携帯型電話機１０において、ダイヤルボタン５ａの０ボタンが入力されると、図２２（ｂ）に示すように、送信側の携帯型電話機１０の有効表示エリア１３０ａに表示されている目印１３１ａのサイズが、デフォルトの“中”から“小”に変更される。
【０５２７】
次に、目印情報が確定された場合には、図２２（ｃ）に示すように、グリッド線が消去されて、目印情報が確定される。
【０５２８】
すなわち、送信側の携帯型電話機１０において、ダイヤルボタン５ａの＃ボタンが入力されると、図２２（ｃ）に示すように、送信側の携帯型電話機１０の有効表示エリア１３０ａに表示されている目印１３１ａが、現在の状態で確定される。なお、ここでは、目印１３１ａの表示態様が確定されたことを示すため、実線で、かつ表示濃度が通常で表示される。
【０５２９】
ここで、目印情報が確定したため、送信側の携帯型電話機１０は、目印情報として、有効表示エリア上の座標情報コマンド、目印属性情報コマンド、確定コマンドを順次送信する。
【０５３０】
受信側の携帯型電話機１０は、受信した目印情報に基づいてポインティング処理を行う。
【０５３１】
具体的には、受信側の携帯型電話機１０は、有効表示エリア上の座標情報コマンドに基づいた有効表示エリア１２０ｂ上の位置に、目印属性情報コマンドに基づいた種類・形状・サイズの目印１２１ｂを、確定コマンドに基づいて、実線で、かつ表示濃度が通常という表示態様で表示する。
【０５３２】
このように、本実施形態において確定情報送信モードに設定した場合でも、目印情報として、目印属性情報と座標情報とに基づいて、表示制御部１２が表示部４を制御することで、上述した実施形態１と同様の効果を得ることができる。
【０５３３】
さらに、図２３に示すように、送信側の携帯型電話機１０と受信側の携帯型電話機１０とで解像度が異なる場合の処理について説明する。
【０５３４】
この場合、必要であれば、予め送信側の有効表示エリアの解像度を示す情報である縦方向と横方向とのそれぞれのピクセル数（１２０×１２８）を、受信側の携帯型電話機１０に送信する。
【０５３５】
一方、受信側の携帯型電話機１０では、上述した図２０のフローチャートに示すＳ１３０の関係式（１）に基づいて、解像度の差を吸収するための乗数を算出し、目印情報として受信する有効表示エリア上の座標や、目印のサイズに、算出した乗数を乗算して、解像度の差を吸収すればよい。
【０５３６】
このため、送信側の携帯型電話機１０と受信側の携帯型電話機１０とで、表示画面の解像度が異なる場合でも、送信側の携帯型電話機１０の有効表示エリアにおける座標や、目印のサイズを利用して、受信側の携帯型電話機１０の画像の同じ位置をポインティングできる。
【０５３７】
すなわち、送信側の携帯型電話機１０のダイヤルボタン２２の３ボタンが入力されると、送信側および受信側の携帯型電話機１０では、ともに右上のエリアに目印２３ａ，２３ｂがポインティングされる。
【０５３８】
また、相対位置の指定も、送信側の携帯型電話機１０の有効表示エリアにおける座標を基準に、受信側の携帯型電話機１０で解像度の差を吸収するための乗数を乗算して、解像度の差を吸収するので、やはり、送信側の携帯型電話機１０の有効表示エリアにおける相対位置指定後の座標情報でポインティングできる。
【０５３９】
以上のように、本実施形態の携帯型電話機１０では、送信側と受信側とで表示画面の解像度が異なる場合でも、送信側の携帯型電話機１０における解像度での有効表示エリアにおける座標情報を受信することで、受信側の携帯型電話機１０においても、表示制御部１２が表示部４を制御して、画面上の同じ位置へポインティングできる。
【０５４０】
なお、以上の例では、情報通信端末として携帯電話機１０を用いているが、これに限定されるものではない。すなわち、送信側と受信側とで表示画面の解像度が異なる場合に画面上の同じ位置にポインティングする技術は、情報通信端末が携帯電話機１０でない場合にも有効である。例えば、情報通信端末として、通信機能を搭載したテレビジョン受像機（以降、単にテレビと称する）であってもよい。
【０５４１】
テレビは、その表示画面の形状に応じて、画面の横方向と縦方向の比率が４：３となるスタンダードテレビと、比率が１６：９となるワイドテレビとに分類される。すなわち、送信側のテレビと受信側のテレビとで、表示画面の縦横比率が異なっている場合も考えられる。
【０５４２】
これに対して、上記実施形態２で示した技術を適用することにより、スタンダードテレビでの表示画面とワイドテレビでの表示画面とで画面上の同じ位置にポインティングすることが可能となる。また、通信機能を搭載したテレビと携帯電話機１０とが通信するような場合でも、上記した実施形態２で示した技術を適用することにより、テレビの大きな表示画面と携帯電話機１０の小さな表示画面とで画面上の同じ位置にポインティングすることができる。
【０５４３】
また、受信側の携帯型電話機１０で解像度の差を吸収するための乗数を乗算して、解像度の差を吸収しているため、例えば通信機能を搭載したテレビの親画面で表示していた情報を子画面で表示し直したような場合にも、親画面で表示していた目印と同じ位置に、子画面でも目印を表示することができる。
【０５４４】
〔実施形態３〕
本発明の情報通信端末および端末制御方法、端末制御プログラム並びにこれを記録した記録媒体に関する実施形態について、以下に説明する。
【０５４５】
なお、説明の便宜上、上記実施形態１・２にて説明した構成と同じ機能を有する構成については、同じ符号を付記し、その説明を省略する。さらに、本実施形態におけるフローチャートに基づく説明についても、実施形態１で説明した処理内容と基本的に同様であるため、実施形態１・２と重複する条件については、その説明を省略する。
【０５４６】
本実施形態では、情報通信端末として通信機能を搭載した多機能テレビ１０Ｔを想定する。図２４は、本実施形態に係る多機能テレビ１０Ｔの概略構成を示すブロック図である。同図に示すように、多機能テレビ１０Ｔは、制御部１、ＲＯＭ２、ＲＡＭ３、表示部４、入力部５、音声処理部６、通信部７、テレビ放送受信部２０１、およびカメラ２０２を備えている。なお、制御部１、ＲＯＭ２、ＲＡＭ３、表示部４、入力部５、音声処理部６、および通信部７には、実施形態１において説明したものと同様であるので、ここではその説明を省略する。
【０５４７】
テレビ放送受信部２０１は、図示しないテレビアンテナによって受信されたテレビ放送信号としてのＲＦ信号を受信するチューナである。テレビ放送としては、地上波アナログ放送、地上波デジタル放送、アナログ衛星放送、デジタル衛星放送などが挙げられる。また、ケーブルテレビから放送信号を受信する形態であってもよい。
【０５４８】
カメラ２０２は、当該多機能テレビ１０Ｔをテレビ電話として用いる際に、多機能テレビ１０Ｔの利用者側を撮影するための撮影手段である。このカメラ２０２は、例えばＣＣＤカメラなどによって実現される。
【０５４９】
なお、通信部７は、実施形態１においては、アンテナ７ａを介して通信を行うようになっているが、本実施形態においては、有線接続により通信を行うようになっていてもよい。有線接続としては、例えばＩＳＤＮ（integrated services digital network）通信網、ＡＤＳＬ（asymmetric digital subscriber line）通信網、光ファイバー通信網などが挙げられる。また、入力部５は、本実施形態においては、赤外線などの無線で指示入力が行われるリモコンとして実装されている。
【０５５０】
また、制御部１は、目印情報作成部１１、表示制御部１２、通信制御部１３、目印情報移動制御部１４、チャンネル設定部（チャンネル設定手段）２０３、ネットワークコンテンツ受信部（ネットワークコンテンツ受信手段）２０４、画像情報保持部２０５、および画像情報蓄積部２０６を機能ブロックとして形成している。なお、目印情報作成部１１、表示制御部１２、通信制御部１３、および目印情報移動制御部１４実施形態１において説明したものと同様であるので、ここではその説明を省略する。
【０５５１】
チャンネル設定部２０３は、テレビ放送受信部２０１において受信すべきテレビ放送のチャンネルを設定するものである。ネットワークコンテンツ受信部２０４は、ネットワークから通信部７を介して、ネットワーク上のコンテンツを取得する処理を行うものである。ネットワーク上のコンテンツとしては、例えば画像データなどを含むＷｅｂページのデータ、動画データ、音声データなどが挙げられるが、特に限定されるものではない。
【０５５２】
画像情報保持部２０５は、例えば通信先の多機能テレビ１０Ｔから、共有すべきコンテンツ、例えば動画データなどのネットワークアドレスについての情報を受信した際に、その情報を記憶するものである。画像情報蓄積部２０６は、共有すべきコンテンツ、例えば動画データ自体を蓄積、記憶するものである。なお、画像情報保持部２０５は、例えばＲＡＭなどの一時記憶手段によって構成され、画像情報蓄積部２０６は、例えばハードディスクドライブなどの不揮発性記憶手段によって構成されるようになっていてもよいが、特にこれらに限定されるものではない。
【０５５３】
図２５（ａ）は、多機能テレビ１０Ｔの外観を示している。同図に示すように、多機能テレビ１０Ｔは、基本的には通常のテレビと同様の外観となっており、テレビ画面表示手段としての表示部４が前面に設けられている。そして、テレビ電話機能を利用する際に用いられる送話部６ｂは、マイクとして多機能テレビ１０Ｔの上部に設けられている。
【０５５４】
また、テレビ電話機能を利用する際に用いられる受話部６ａは、スピーカとして多機能テレビ１０Ｔの前面に設けられている。なお、受話部６ａとしてのスピーカは、多機能テレビ１０Ｔから出力される種々の音声、例えば、テレビ放送を受信している際のテレビ音声などが出力されるようになっている。
【０５５５】
また、テレビ電話機能を利用する際に用いられるカメラ２０２は、多機能テレビ１０Ｔの上部に設けられている。なお、図２５（ａ）に示す構成は、あくまで一例であり、送話部６ｂ、受話部６ａ、およびカメラ２０２などの配置位置はこれに限定されるものではない。
【０５５６】
図２５（ｂ）は、多機能テレビ１０Ｔのリモコンとしての入力部５の外観を示している。同図に示すように、入力部５には、表示内容切り替えボタン２１１、コンテンツ共有ボタン２１２、目印移動ボタン２１３、発話ボタン２１４、終話ボタン２１５、キャンセルボタン２１６、数字入力ボタン２１７、動画再生制御ボタン２１８、および目印決定ボタン２１９が設けられている。
【０５５７】
表示内容切り替えボタン２１１は、表示部４に表示させる信号の入力を切り替えるボタンである。例えば、表示内容切り替えボタン２１１が押される毎に、表示部４に表示させる信号が、テレビ放送信号、テレビ電話信号、ビデオ信号などに切り替えられることになる。
【０５５８】
コンテンツ共有ボタン２１２は、テレビ電話機能を利用している際に、通話先の端末装置との間で、何らかの情報（コンテンツ）を共有を開始する、あるいは共有を終了することを指示する際に用いられるボタンである。コンテンツとしては、例えば、テレビ番組、Ｗｅｂページ、ネットワーク上の動画データ、送信側あるいは受信側の情報通信端末に記憶されている動画データなどが挙げられる。
【０５５９】
発話ボタン２１４は、テレビ電話機能が利用されている際に、通話開始の指示入力を行うためのボタンである。また、終話ボタン２１５は、テレビ電話機能が利用されている際に、通話終了の指示入力を行うためのボタンである。また、キャンセルボタン２１６は、何らかの操作に対するキャンセル指示を行うためのボタンである。
【０５６０】
数字入力ボタン２１７は、何らかの数字入力が行われる際に用いられるボタンである。例えば、テレビの視聴が行われている際には、数字入力ボタン２１７はチャンネル選択ボタンとして用いられる一方、テレビ電話機能が利用されている際には、数字入力ボタン２１７は電話番号入力ボタンとして用いられる。
【０５６１】
動画再生制御ボタン２１８は、動画データの再生を行う際に、動画データの再生・一時停止、停止、巻き戻し、早送りなどの再生制御を行うためのボタンである。この動画再生制御ボタン２１８によって制御される動画データとしては、例えば画像情報蓄積部２０６に記憶されている動画データなどが挙げられる。
【０５６２】
目印移動ボタン２１３は、表示部４に表示される目印を移動させる際に用いられるボタンであり、図２５（ｂ）ではドーナツ形状のボタンとして表現している。この目印移動ボタン２１３は、上下左右斜めなどの全方向に対して傾けることが可能となっており、目印移動ボタン２１３が傾いた方向に目印が移動するようになっている。また、目印決定ボタン２１９は目印の位置を決めるために用いられる。
【０５６３】
なお、前記した実施形態におけるダイヤルボタン５ａと同様に、目印の移動は、数字入力ボタン２１７における１〜９のボタンを用いて行うことが可能であるが、目印移動ボタン２１３によっても目印を移動させることが可能となっている。なお、目印移動ボタン２１３によって目印を移動させることのメリットとしては、詳細は後述するが、動画を表示している際に、ポインティングしたい対象物の移動に伴って目印を徐々に移動させる、というようなポインティング動作に好適である点である。
【０５６４】
なお、本実施形態では、上記のように、情報通信端末として多機能テレビ１０Ｔを用いる例を挙げているが、情報通信端末としてはこれに限定されるものではなく、例えば同等の機能を有する携帯型通信端末（携帯電話機などを含む）などであっても構わない。
【０５６５】
（ポインティング操作例）
前記した実施形態１および２では、携帯電話機１０の比較的小さい表示画面におけるポインティングを想定していた。これに対して、本実施形態のように、比較的大きい表示画面を有する多機能テレビ１０Ｔを用いる場合、ポインティング処理をより工夫する必要が生じる。すなわち、絶対位置モードを用いて目印を指定する場合に、図２に示したような９個の分割エリアのうち、１つの分割エリアを指定するだけでは、分割エリアの領域が大きいため、対象物を的確に指し示すことはできない。また、対象物をより的確に指し示すために、相対位置モードを用いて目印を移動させる場合においても、表示画面が大きいため、目印の移動のためにダイヤルボタン５ａの操作を何度もしなければならない。
【０５６６】
このような問題を解決するために、本実施形態では、以下に示すように、２段階に分けて絶対位置指定を行うようになっている。図２６（ａ）〜図２６（ｃ）は、本実施形態におけるポインティング処理を説明する表示画面図である。
【０５６７】
まず、通信開始時点では、図２６（ａ）に示すように、送信側の多機能テレビ１０Ｔの有効表示エリア４Ｔａには、受信側の情報通信端末と共有している画像情報が表示されている。また、有効表示エリア４Ｔａには、該有効表示エリア４Ｔａを９個の分割エリア（縦３×横３）に分割する分割グリッド線が表示されている。
【０５６８】
絶対位置モードにおいて絶対位置が指定されると、図２６（ｂ）に示すように、入力された数字入力ボタン２１７に対応する表示画面の分割エリアに目印２２１ａが表示される。すなわち、多機能テレビ１０Ｔにおいて、数字入力ボタン２１７の“１”のボタンが入力されると、図２６（ｂ）に示すように、有効表示エリア４Ｔａに示された９つの分割エリアのうち、“１”のボタンに対応する絶対位置である左上の分割エリアに目印２２１ａが表示される。この目印２２１ａの形状としては、例えば選択された分割エリアに内接する円形状とすればよいが、形状は特に限定されるものではない。
【０５６９】
その後さらに、１回目に絶対位置指定された分割エリアが、さらに複数の小分割エリアに分割される。すなわち、１回目に絶対位置指定された分割エリアには、該分割エリアを９個の小分割エリア（縦３×横３）に分割する分割グリッド線が表示される。
【０５７０】
図２６（ｂ）の状態で、さらに、多機能テレビ１０Ｔにおいて、数字入力ボタン２１７の“９”のボタンが入力されると、図２６（ｃ）に示すように、左上の分割エリアに示された９つの小分割エリアのうち、“９”のボタンに対応する絶対位置である右下の小分割エリアに目印２２１ｂが表示される。この目印２２１ｂの形状としては、例えば選択された小分割エリアに内接する円形状とすればよいが、形状は特に限定されるものではない。
【０５７１】
これにより、ダイヤルボタン５ａに対して２回入力動作が行われることによって、表示画面を８１個に分割した小分割エリアの１つを特定することが可能となる。
【０５７２】
なお、図２６（ｃ）に示す状態から、小分割エリアをさらに９つに分割して、そのうちの１つが絶対位置で指定・選択できるようにしてもよい。すなわち、絶対位置指定を複数回繰り返すことによって、表示画面上の比較的小さい位置に対しても的確にポインティング処理をすることが可能となる。以上のようにして設定された目印情報は、前記した逐次送信モードまたは確定情報送信モードにて、受信側の多機能テレビ１０Ｔに送信される。
【０５７３】
なお、分割エリア、および、小分割エリアのうちの１つを選択する処理に関しては、数字入力ボタン２１７における１〜９のボタンを使用する方法に限定されるものではなく、種々の方法が考えられる。例えば、入力部５に選択切り替えボタンを設けておき、この選択切り替えボタンを押す毎に目印２２１ａまたは目印２２１ｂが順次分割エリア（小分割エリア）を移動するようにしておき、所望の分割エリア（小分割エリア）に移動した後に目印決定ボタン２１９が押されることによって位置が決定されるようにしてもよい。また、入力部５に４方向移動ボタンを設けておき、この４方向移動ボタンを用いることによって所望の分割エリア（小分割エリア）に目印２２１ａまたは目印２２１ｂを移動させ、目印決定ボタン２１９が押されることによって位置が決定されるようにしてもよい。
【０５７４】
また、目印移動ボタン２１３を用いて所望の分割エリア（小分割エリア）に目印２２１ａまたは目印２２１ｂを移動させ、目印決定ボタン２１９が押されることによって位置が決定されるようにしてもよい。また、キャンセルボタン２１６を用いることによって、一旦決定した分割エリア（小分割エリア）をキャンセルし、指定をし直すことが可能となっていてもよい。すなわち、分割エリア内の小分割エリアの１つを指定し直したり、小分割エリアの指定を中止し、指定対象を親にあたる分割エリアにしたり、分割エリアおよび小分割エリアの指定を中止する、などの処理が可能となっていてもよい。
【０５７５】
（テレビ番組の共有）
次に、本実施形態において、送信側および受信側の両方の情報通信端末が多機能テレビ１０Ｔであり、送信側および受信側で共有される画像が、テレビ放送の画像である実施例を示す。この実施例では、送信側と受信側とで同じテレビ番組を表示した状態で、ポインティング動作を行いながらテレビ電話によって会話をするというような利用形態が想定される。このような利用形態によれば、例えば、図２７に示すように、あるテレビ番組に出演している歌手グループのうち、あるメンバーに対して目印２２１をつけて相手に指し示し、「このメンバーが一番好き」といった会話を楽しむことができる。
【０５７６】
このとき問題になるのは、送信側の多機能テレビ１０Ｔにおいて選択されているチャンネルと、受信側の多機能テレビ１０Ｔにおいて選択されているチャンネルとが異なる場合である。この場合には、目印情報の送受信が行われたとしても、送信側と受信側とで目印によって指し示されているものが異なることになるので、目印情報の送受信は無意味なものとなる。
【０５７７】
このような状況を防ぐために、送信側の多機能テレビ１０Ｔは、目印情報の送信に先立って、現在選択されているチャンネル情報を受信側の多機能テレビ１０Ｔに送信する。受信側の多機能テレビ１０Ｔでは、目印情報の受信に先立って送信側の多機能テレビ１０Ｔからチャンネル情報を受信し、受信したチャンネル情報に応じてチャンネルを設定する。
【０５７８】
ここで、送信側の多機能テレビ１０Ｔおよび受信側の多機能テレビ１０Ｔにおける処理の流れについて、図２８（ａ）および図２８（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０５７９】
まず、送信側の多機能テレビ１０Ｔにおける処理について、図２８（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。
【０５８０】
Ｓ２００１では、利用者によって入力部５におけるコンテンツ共有ボタン２１２が押されることにより、コンテンツ共有の開始指示が受信側の多機能テレビ１０Ｔに送信される。詳しく説明すると、コンテンツ共有ボタン２１２が押されると、コンテンツ共有指示信号が制御部１における通信制御部１３に伝送され、通信制御部１３の制御に基づいて通信部７からコンテンツ共有指示信号が受信側の多機能テレビ１０Ｔに送信される。これにより、受信側の多機能テレビ１０Ｔは、コンテンツ共有の待機状態に移行する。
【０５８１】
次にＳ２００２において、自装置において、現時点でテレビ放送を受信しているテレビ番組のチャンネル設定がチャンネル設定部２０３によって取得される。なお、ここでは、テレビ電話機能を利用しながら、同時にテレビの視聴を行っていることを想定している。この場合、テレビ電話による映像とテレビの映像とを、マルチ画面形式で表示部４に表示してもよいし、表示内容切り替えボタン２１１によって切り替えながら表示してもよい。
【０５８２】
次にＳ２００３において、チャンネル設定部２０３によって取得されたチャンネル情報が通信制御部１３に伝送され、通信制御部１３の制御に基づいて通信部７からチャンネル情報信号が受信側の多機能テレビ１０Ｔに送信される。これにより、受信側の多機能テレビ１０Ｔは、どのチャンネルのテレビ番組を表示すべきかを認識することが可能となる。
【０５８３】
その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、目印情報作成部１１によって目印情報が生成される（Ｓ２００４）。なお、目印情報の生成の方法は、前記した実施の形態で示した方法と同様であるので、ここではその説明を省略する。
【０５８４】
なお、テレビ電話による映像とテレビの映像とを、マルチ画面形式で表示部４に表示している場合には、目印の位置情報は、テレビの映像が表示される領域内での相対位置情報として、受信側の多機能テレビ１０Ｔに送信されることになる。
【０５８５】
次にＳ２００５において、目印情報作成部１１によって作成された目印情報が、通信制御部１３の制御に基づいて通信部７から受信側の多機能テレビ１０Ｔに送信される。これにより、受信側の多機能テレビ１０Ｔは、受信した目印情報に基づいてポインティング動作を行うことが可能となる。
【０５８６】
次にＳ２００６において、コンテンツの共有を終了するか否かが確認される。具体的には、入力部５におけるコンテンツ共有ボタン２１２が押されたことを検出したか否かが判断され、コンテンツ共有ボタン２１２が押されていない限りは（Ｓ２００６においてＮＯ）、Ｓ２００４およびＳ２００５の処理が繰り返されることになる。
【０５８７】
一方、Ｓ２００６においてＹＥＳ、すなわち、コンテンツ共有ボタン２１２が押されたことが検出されると、通信制御部１３の制御に基づいて通信部７からコンテンツ共有終了信号が受信側の多機能テレビ１０Ｔに送信される（Ｓ２００７）。これにより、受信側の多機能テレビ１０Ｔは、コンテンツ共有の終了を認識することが可能となる。
【０５８８】
次に、受信側の多機能テレビ１０Ｔにおける処理について、図２８（ｂ）を参照しながら説明する。なお、上記した送信側の処理と同様に、以下の処理に先立って、送信側の多機能テレビ１０Ｔと受信側の多機能テレビ１０Ｔとの間で、テレビ電話機能または音声電話機能によって通信が確立している状態であるものとする。
【０５８９】
Ｓ２００８では、送信側の多機能テレビ１０Ｔから送信されたコンテンツ共有指示信号が通信部７を介して受信される。コンテンツ共有指示信号が受信されたことが通信制御部１３に伝えられることによって、通信制御部１３は、コンテンツ共有の待機状態に移行する。
【０５９０】
次にＳ２００９において、送信側の多機能テレビ１０Ｔから送信されたチャンネル情報信号が通信部７を介して受信される。受信したチャンネル情報信号は、通信制御部１３からチャンネル設定部２０３に伝送される。そして、チャンネル設定部２０３は、受信したチャンネル情報信号に対応するチャンネルのテレビ番組の受信を開始するとともに、表示制御部１２に対して、該当チャンネルのテレビ番組を表示させるように指示を行う（Ｓ２０１０）。なお、ここでは、テレビ電話機能を利用しながら、同時にテレビの視聴を行っていることを想定している。この場合、テレビ電話による映像とテレビの映像とを、マルチ画面形式で表示部４に表示してもよいし、表示内容切り替えボタン２１１によって切り替えながら表示してもよい。
【０５９１】
次にＳ２０１１において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２０１２）。
【０５９２】
なお、テレビ電話による映像とテレビの映像とを、マルチ画面形式で表示部４に表示している場合には、受信した目印情報に含まれる目印の位置情報は、テレビの映像が表示される領域内での相対位置として表示部４に表示されることになる。
【０５９３】
次にＳ２０１３において、コンテンツ共有の終了指示を示すコンテンツ共有終了信号を送信側の多機能テレビ１０Ｔから受信したか否かが通信制御部１３によって確認される。Ｓ２０１３においてＮＯ、すなわち、コンテンツ共有終了信号を受信していない限りは、Ｓ２０１１およびＳ２０１２の処理が繰り返されることになる。
【０５９４】
一方、Ｓ２０１３においてＹＥＳ、すなわち、コンテンツ共有終了信号を受信した場合には、コンテンツの共有が終了することになる。
【０５９５】
なお、受信側の多機能テレビ１０Ｔにおいて、送信側の多機能テレビ１０Ｔからチャンネル情報を受信した際に、現在視聴しているチャンネルがいきなり変更されるのではなく、相手からチャンネル情報を受信したことが表示されるとともに、利用者によってチャンネル変更が承認される、といった確認処理が行われるようになっていてもよい。
【０５９６】
（Ｗｅｂページの共有）
次に、本実施形態において、送信側および受信側の両方の多機能テレビ１０Ｔが、インターネット接続が可能となっているとともに、Ｗｅｂ(World Wide Web)ブラウザの機能を有しており、送信側および受信側で共有される画像が、Ｗｅｂページの画像である実施例を示す。この実施例では、送信側と受信側とで同じＷｅｂページを表示した状態で、ポインティング動作を行いながらテレビ電話によって会話をするというような利用形態が想定される。このような利用形態によれば、例えば、図２９に示すように、ネットワーク上にあるおもちゃ屋さんのサイトのＷｅｂページを表示し、表示されているおもちゃの画像のうちあるおもちゃに対して目印２２１をつけて相手に指し示し、「このぬいぐるみが欲しい」といった会話を楽しむことができる。
【０５９７】
このとき問題になるのは、送信側の多機能テレビ１０Ｔにおいて表示されているＷｅｂページと、受信側の多機能テレビ１０Ｔにおいて選択されている表示されているＷｅｂページとが異なる場合である。この場合には、目印情報の送受信が行われたとしても、送信側と受信側とで目印によって指し示されているものが異なることになるので、目印情報の送受信は無意味なものとなる。
【０５９８】
このような状況を防ぐために、送信側の多機能テレビ１０Ｔは、目印情報の送信に先立って、現在表示しているＷｅｂページを指定するアドレス情報を受信側の多機能テレビ１０Ｔに送信する。受信側の多機能テレビ１０Ｔでは、目印情報の受信に先立って送信側の多機能テレビ１０Ｔからアドレス情報を受信し、受信したアドレスによってネットワークにアクセスし、取得したＷｅｂページを表示する。
【０５９９】
ここで、送信側の多機能テレビ１０Ｔおよび受信側の多機能テレビ１０Ｔにおける処理の流れについて、図３０（ａ）および図３０（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０６００】
まず、送信側の多機能テレビ１０Ｔにおける処理について、図３０（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。
【０６０１】
Ｓ２０２１では、利用者によって入力部５におけるコンテンツ共有ボタン２１２が押されることにより、コンテンツ共有の開始指示が受信側の多機能テレビ１０Ｔに送信される。これにより、受信側の多機能テレビ１０Ｔは、コンテンツ共有の待機状態に移行する。
【０６０２】
次にＳ２０２２において、自装置において、現時点でネットワークコンテンツ受信部２０４のＷｅｂブラウジング機能によって表示しているＷｅｂページのアドレス（ＵＲＬ（Uniform Resource Locator））がネットワークコンテンツ受信部２０４によって取得される。なお、ここでは、テレビ電話機能を利用しながら、同時にＷｅｂページの閲覧を行っていることを想定している。この場合、テレビ電話による映像とＷｅｂページの映像とを、マルチ画面形式で表示部４に表示してもよいし、表示内容切り替えボタン２１１によって切り替えながら表示してもよい。
【０６０３】
次にＳ２０２３において、ネットワークコンテンツ受信部２０４によって取得されたＵＲＬ情報が通信制御部１３に伝送され、通信制御部１３の制御に基づいて通信部７からＵＲＬ情報が受信側の多機能テレビ１０Ｔに送信される。これにより、受信側の多機能テレビ１０Ｔは、表示すべきＷｅｂページのアドレスを認識することが可能となる。
【０６０４】
その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、目印情報作成部１１によって目印情報が生成される（Ｓ２０２４）。なお、目印情報の生成の方法は、前記した実施の形態で示した方法と同様であるので、ここではその説明を省略する。
【０６０５】
なお、テレビ電話による映像とＷｅｂページの映像とを、マルチ画面形式で表示部４に表示している場合には、目印の位置情報は、Ｗｅｂページの映像が表示される領域内での相対位置情報として、受信側の多機能テレビ１０Ｔに送信されることになる。
【０６０６】
次にＳ２０２５において、目印情報作成部１１によって作成された目印情報が、通信制御部１３の制御に基づいて通信部７から受信側の多機能テレビ１０Ｔに送信される。これにより、受信側の多機能テレビ１０Ｔは、受信した目印情報に基づいてポインティング動作を行うことが可能となる。
【０６０７】
また、Ｗｅｂページを表示している際に、利用者によってスクロール動作が行われた場合に、そのスクロール量を示す操作情報が受信側の多機能テレビ１０Ｔに送信されるようになっていてもよい。このようにすれば、送信側および受信側の双方の多機能テレビ１０ＴにおけるＷｅｂページの表示領域のサイズ（画素数）が同じであれば、スクロールの状態も同期させることが可能となり、ポインティング対象を完全に一致させることが可能となる。
【０６０８】
さらに、送信側の多機能テレビ１０Ｔにおける、Ｗｅｂページの表示領域のサイズ（画素数）に関する表示サイズ情報が受信側の多機能テレビ１０Ｔに送信されるようになっていてもよい。このようにすれば、受信側の多機能テレビ１０Ｔにおいて、送信側におけるＷｅｂページの表示領域のサイズと同じサイズにＷｅｂページの表示領域を設定することによって、Ｗｅｂページの表示状態を送信側と受信側とで完全に一致させることが可能となる。
【０６０９】
あるいは、送信側と受信側とで、Ｗｅｂページの表示領域のサイズが異なっていても、受信側において、送信側のＷｅｂページの表示領域のサイズおよび目印の位置情報を解析することによって、受信側のＷｅｂページの表示領域のうち、どの位置に目印を表示させたらよいかを算出することも可能である。これにより、送信側と受信側とでＷｅｂページの表示状態（文字や画像の配置位置）が異なっていたとしても、ポインティング対象を送信側と受信側とで一致させることが可能となる。
【０６１０】
次にＳ２０２６において、コンテンツの共有を終了するか否かが確認される。具体的には、入力部５におけるコンテンツ共有ボタン２１２が押されたことを検出したか否かが判断され、コンテンツ共有ボタン２１２が押されていない限りは（Ｓ２０２６においてＮＯ）、Ｓ２０２４およびＳ２０２５の処理が繰り返されることになる。
【０６１１】
一方、Ｓ２０２６においてＹＥＳ、すなわち、コンテンツ共有ボタン２１２が押されたことが検出されると、通信制御部１３の制御に基づいて通信部７からコンテンツ共有終了信号が受信側の多機能テレビ１０Ｔに送信される（Ｓ２０２７）。これにより、受信側の多機能テレビ１０Ｔは、コンテンツ共有の終了を認識することが可能となる。
【０６１２】
次に、受信側の多機能テレビ１０Ｔにおける処理について、図３０（ｂ）を参照しながら説明する。なお、上記した送信側の処理と同様に、以下の処理に先立って、送信側の多機能テレビ１０Ｔと受信側の多機能テレビ１０Ｔとの間で、テレビ電話機能または音声電話機能によって通信が確立している状態であるものとする。
【０６１３】
Ｓ２０２８では、送信側の多機能テレビ１０Ｔから送信されたコンテンツ共有指示信号が通信部７を介して受信される。コンテンツ共有指示信号が受信されたことが通信制御部１３に伝えられることによって、通信制御部１３は、コンテンツ共有の待機状態に移行する。
【０６１４】
次にＳ２０２９において、送信側の多機能テレビ１０Ｔから送信されたＵＲＬ情報が通信部７を介して受信される。受信したＵＲＬ情報は、通信制御部１３からネットワークコンテンツ受信部２０４に伝送される。そして、ネットワークコンテンツ受信部２０４は、受信したＵＲＬ情報に対応するアドレスのＷｅｂページをネットワークから取得し、表示制御部１２に対して、該当Ｗｅｂページを表示させるように指示を行う（Ｓ２０３０）。なお、ここでは、テレビ電話機能を利用しながら、同時にＷｅｂページの閲覧を行っていることを想定している。この場合、テレビ電話による映像とＷｅｂページの映像とを、マルチ画面形式で表示部４に表示してもよいし、表示内容切り替えボタン２１１によって切り替えながら表示してもよい。
【０６１５】
次にＳ２０３１において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２０３２）。
【０６１６】
なお、テレビ電話による映像とＷｅｂページの映像とを、マルチ画面形式で表示部４に表示している場合には、受信した目印情報に含まれる目印の位置情報は、Ｗｅｂページの映像が表示される領域内での相対位置として表示部４に表示されることになる。
【０６１７】
次にＳ２０３３において、コンテンツ共有の終了指示を示すコンテンツ共有終了信号を送信側の多機能テレビ１０Ｔから受信したか否かが通信制御部１３によって確認される。Ｓ２０３３においてＮＯ、すなわち、コンテンツ共有終了信号を受信していない限りは、Ｓ２０３１およびＳ２０３２の処理が繰り返されることになる。
【０６１８】
一方、Ｓ２０３３においてＹＥＳ、すなわち、コンテンツ共有終了信号を受信した場合には、コンテンツの共有が終了することになる。
【０６１９】
なお、受信側の多機能テレビ１０Ｔにおいて、送信側の多機能テレビ１０ＴからＵＲＬ情報を受信した際に、現在閲覧しているＷｅｂページがいきなり変更されるのではなく、相手からＵＲＬ情報を受信したことが表示されるとともに、利用者によってＷｅｂページの変更が承認される、といった確認処理が行われるようになっていてもよい。
【０６２０】
（動画の共有）
次に、本実施形態において、送信側および受信側で共有される画像が、ネットワーク上にある動画データ、あるいは送信側の情報通信端末に蓄積されている動画データである実施例を示す。この実施例では、送信側と受信側とで同じ動画を表示した状態で、ポインティング動作を行いながらテレビ電話によって会話をするというような利用形態が想定される。このような利用形態によれば、例えば、図３１に示すように、運動会の様子を撮影した動画を、送信側および受信側の双方の多機能テレビ１０Ｔにおいて再生し、その動画に映っている人物に対して目印をつけて相手に指し示し、「これが私の子供よ」といった会話を楽しむことができる。
【０６２１】
このとき問題になるのは、送信側の多機能テレビ１０Ｔにおける動画再生のタイミングと、受信側の多機能テレビ１０Ｔにおける動画再生のタイミングとがずれてしまうことである。表示されているタイミングが異なっていると、送信側で指し示している対象物と、受信側で指し示されている対象物が異なるものとなってしまい、目印情報の送受信は無意味なものとなる。
【０６２２】
このような状況を防ぐために、送信側の多機能テレビ１０Ｔは、目印情報の送信に先立って、動画の再生開始命令を受信側の多機能テレビ１０Ｔに送信するとともに、表示画面において当該動画の再生を開始する。受信側の多機能テレビ１０Ｔでは、目印情報の受信に先立って送信側の多機能テレビ１０Ｔから動画再生命令を受信し、動画の再生を開始する。すなわち、動画の再生開始タイミングを、送信側と受信側とで一致させた状態で、目印情報の送受信を行うことにより、上記のような問題を解消することが可能となる。
【０６２３】
以下に、送信側の多機能テレビ１０Ｔと受信側の多機能テレビ１０Ｔとで同じ動画を再生する方法として２つの動画共有方法を述べる。
【０６２４】
第１の動画共有方法は、図３０（ａ）および図３０（ｂ）を用いて説明したような、ネットワーク上の動画データを使用する方法である。この場合、送信側の多機能テレビ１０Ｔでは、動画の再生開始命令を受信側の多機能テレビ１０Ｔに送信した後、ネットワークアドレスを用いてＷｅｂ上の動画データにアクセスし、動画データの再生を行う。受信側の多機能テレビ１０Ｔでは、動画の再生開始命令を受信後、指定されたネットワークアドレスを用いてＷｅｂ上の動画データにアクセスし、動画データの再生を行う。
【０６２５】
第２の動画共有方法は、送信側の多機能テレビ１０Ｔが有している動画データを受信側の多機能テレビ１０Ｔが受信して再生する方法である。この場合、送信側の多機能テレビ１０Ｔから受信側の多機能テレビ１０Ｔへ、まず共有すべき動画データ送信された後、送信側の多機能テレビ１０Ｔから再生開始命令が受信側の多機能テレビ１０Ｔへ送信されることによって、送信側および受信側の多機能テレビ１０Ｔが同時に動画データを再生することになる。
【０６２６】
まず、上記第１の動画共有方法における、送信側の多機能テレビ１０Ｔおよび受信側の多機能テレビ１０Ｔにおける処理の流れについて、図３２（ａ）および図３２（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０６２７】
まず、送信側の多機能テレビ１０Ｔにおける処理について、図３２（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。
【０６２８】
Ｓ２０４１では、ネットワークコンテンツ受信部２０４が、共有しようとする動画データが置かれているインターネット上のアドレス（ＵＲＬ情報）を取得する。ここでは、例えば利用者が、Ｗｅｂブラウザにおいて、該当動画データを示すハイパーリンクを選択するとともに、選択したハイパーリンクを共有する動画データとして設定する指示入力を行うことになる。この場合、入力部５から利用者によって入力された指示入力が、ネットワークコンテンツ受信部２０４に認識されることによって、ネットワークコンテンツ受信部２０４が、該当動画データのＵＲＬ情報を取得することになる。
【０６２９】
次にＳ２０４２において、ネットワークコンテンツ受信部２０４によって取得されたＵＲＬ情報が通信制御部１３に伝送され、通信制御部１３の制御に基づいて通信部７からＵＲＬ情報が受信側の多機能テレビ１０Ｔに送信される。これにより、受信側の多機能テレビ１０Ｔは、表示すべき動画データのインターネット上のアドレスを認識することが可能となる。
【０６３０】
次にＳ２０４３において、利用者によって入力部５におけるコンテンツ共有ボタン２１２が押されることにより、通信制御部１３の制御に基づいて、通信部７からコンテンツ共有の開始指示が受信側の多機能テレビ１０Ｔに送信される。また、このコンテンツ共有の開始指示を送信する際に、Ｓ２０４２で送信したＵＲＬ情報に対応する動画データの再生命令も同時に送信される。この処理は、例えばコンテンツ共有ボタン２１２が押された際に、選択肢として動画再生開始指示という項目を表示させ、これが利用者によって選択されることによって実現することができる。これにより、受信側の多機能テレビ１０Ｔは、コンテンツ共有の待機状態に移行するとともに、既に通知されているＵＲＬ情報に対応する動画データの再生を開始することになる。
【０６３１】
Ｓ２０４３において共有する動画データの再生命令が送信されると同時に、Ｓ２０４４において、ネットワークコンテンツ受信部２０４によって、該当ＵＲＬ情報に対応する動画データにアクセスし、取得した動画データの再生が行われる。ネットワークコンテンツ受信部２０４によって再生された動画映像は、表示制御部１３の制御に基づいて表示部４に表示される。なお、ここでは、テレビ電話機能を利用しながら、同時に動画の表示を行っていることを想定している。この場合、テレビ電話による映像と動画の映像とを、マルチ画面形式で表示部４に表示してもよいし、表示内容切り替えボタン２１１によって切り替えながら表示してもよい。
【０６３２】
その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、目印情報作成部１１によって目印情報が生成される（Ｓ２０４５）。なお、目印情報の生成の方法は、前記した実施の形態で示した方法と同様であるので、ここではその説明を省略する。
【０６３３】
なお、テレビ電話による映像と動画の映像とを、マルチ画面形式で表示部４に表示している場合には、目印の位置情報は、動画の映像が表示される領域内での相対位置情報として、受信側の多機能テレビ１０Ｔに送信されることになる。
【０６３４】
次にＳ２０４６において、目印情報作成部１１によって作成された目印情報が、通信制御部１３の制御に基づいて通信部７から受信側の多機能テレビ１０Ｔに送信される。これにより、受信側の多機能テレビ１０Ｔは、受信した目印情報に基づいてポインティング動作を行うことが可能となる。
【０６３５】
次にＳ２０４７において、コンテンツの共有を終了するか否かが確認される。具体的には、入力部５におけるコンテンツ共有ボタン２１２が押されたことを検出したか否かが判断され、コンテンツ共有ボタン２１２が押されていない限りは（Ｓ２０４７においてＮＯ）、Ｓ２０４５およびＳ２０４６の処理が繰り返されることになる。
【０６３６】
一方、Ｓ２０４７においてＹＥＳ、すなわち、コンテンツ共有ボタン２１２が押されたことが検出されると、通信制御部１３の制御に基づいて通信部７からコンテンツ共有終了信号が受信側の多機能テレビ１０Ｔに送信される（Ｓ２０４８）。これにより、受信側の多機能テレビ１０Ｔは、コンテンツ共有の終了を認識することが可能となる。
【０６３７】
次に、受信側の多機能テレビ１０Ｔにおける処理について、図３２（ｂ）を参照しながら説明する。なお、上記した送信側の処理と同様に、以下の処理に先立って、送信側の多機能テレビ１０Ｔと受信側の多機能テレビ１０Ｔとの間で、テレビ電話機能または音声電話機能によって通信が確立している状態であるものとする。
【０６３８】
Ｓ２０４９では、送信側の多機能テレビ１０Ｔから送信されたＵＲＬ情報が通信部７を介して受信される。この受信したＵＲＬ情報は、後に再生指示が行われた際に呼び出すことができるように、画像情報保持部２０５に一時記憶される。
【０６３９】
次にＳ２０５０において、コンテンツ共有の開始指示および動画データの再生命令が通信部７を介して受信される。コンテンツ共有指示信号が受信されたことが通信制御部１３に伝えられることによって、通信制御部１３は、コンテンツ共有の待機状態に移行する。また、動画データの再生命令が通信制御部１３に伝えられることによって、これがネットワークコンテンツ受信部２０４に伝えられる。そして、ネットワークコンテンツ受信部２０４は、画像情報保持部２０５に一時記憶されているＵＲＬ情報を読み出し、該当ＵＲＬ情報に対応する動画データにアクセスし、取得した動画データの再生が行われる（Ｓ２０５１）。
【０６４０】
なお、ここでは、テレビ電話機能を利用しながら、同時に動画データの再生を行っていることを想定している。この場合、テレビ電話による映像と動画データの映像とを、マルチ画面形式で表示部４に表示してもよいし、表示内容切り替えボタン２１１によって切り替えながら表示してもよい。
【０６４１】
次にＳ２０５２において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２０５３）。
【０６４２】
なお、テレビ電話による映像と動画データの映像とを、マルチ画面形式で表示部４に表示している場合には、受信した目印情報に含まれる目印の位置情報は、動画データの映像が表示される領域内での相対位置として表示部４に表示されることになる。
【０６４３】
次にＳ２０５４において、コンテンツ共有の終了指示を示すコンテンツ共有終了信号を送信側の多機能テレビ１０Ｔから受信したか否かが通信制御部１３によって確認される。Ｓ２０５４においてＮＯ、すなわち、コンテンツ共有終了信号を受信していない限りは、Ｓ２０５２およびＳ２０５３の処理が繰り返されることになる。
【０６４４】
一方、Ｓ２０５４においてＹＥＳ、すなわち、コンテンツ共有終了信号を受信した場合には、コンテンツの共有が終了することになる。
【０６４５】
なお、受信側の多機能テレビ１０Ｔにおいて、送信側の多機能テレビ１０Ｔから動画データの再生命令を受信した際に、いきなり動画データの再生が行われるのではなく、相手から動画データの再生命令を受信したことが表示されるとともに、利用者によって動画データの再生が承認される、といった確認処理が行われるようになっていてもよい。
【０６４６】
次に、上記第２の動画共有方法における、送信側の多機能テレビ１０Ｔおよび受信側の多機能テレビ１０Ｔにおける処理の流れについて、図３３（ａ）および図３３（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０６４７】
まず、送信側の多機能テレビ１０Ｔにおける処理について、図３３（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。
【０６４８】
Ｓ２０６１では、通信制御部１３が、共有しようとする動画データを画像情報蓄積部２０６から読み出して、受信側の多機能テレビ１０Ｔに向けて通信部７を介して送信する。ここでは、例えば利用者が、画像情報蓄積部２０６に蓄積されている動画データを通信先に送信する指示入力を行うことになる。動画データの送信が完了したらＳ２０６２に進む。なお、受信側の多機能テレビ１０Ｔが動画データ受信完了通知を送信するような実装である場合には、動画データ受信完了通知を受信した後にＳ２０６２に進む。
【０６４９】
次にＳ２０６２において、利用者によって入力部５におけるコンテンツ共有ボタン２１２が押されることにより、通信制御部１３の制御に基づいて、通信部７からコンテンツ共有の開始指示が受信側の多機能テレビ１０Ｔに送信される。また、このコンテンツ共有の開始指示を送信する際に、Ｓ２０６１で送信した動画データの再生命令も同時に送信される。この処理は、例えばコンテンツ共有ボタン２１２が押された際に、選択肢として動画再生開始指示という項目を表示させ、これが利用者によって選択されることによって実現することができる。これにより、受信側の多機能テレビ１０Ｔは、コンテンツ共有の待機状態に移行するとともに、既に受信している動画データの再生を開始することになる。
【０６５０】
Ｓ２０６２において共有する動画データの再生命令が送信されると同時に、Ｓ２０６３において、画像情報蓄積部２０６に記憶されている該当動画データの再生が行われる。この動画データの映像は、表示制御部１３の制御に基づいて表示部４に表示される。なお、ここでは、テレビ電話機能を利用しながら、同時に動画の表示を行っていることを想定している。この場合、テレビ電話による映像と動画の映像とを、マルチ画面形式で表示部４に表示してもよいし、表示内容切り替えボタン２１１によって切り替えながら表示してもよい。
【０６５１】
その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、目印情報作成部１１によって目印情報が生成される（Ｓ２０６４）。なお、目印情報の生成の方法は、前記した実施の形態で示した方法と同様であるので、ここではその説明を省略する。
【０６５２】
なお、テレビ電話による映像と動画の映像とを、マルチ画面形式で表示部４に表示している場合には、目印の位置情報は、動画の映像が表示される領域内での相対位置情報として、受信側の多機能テレビ１０Ｔに送信されることになる。
【０６５３】
次にＳ２０６５において、目印情報作成部１１によって作成された目印情報が、通信制御部１３の制御に基づいて通信部７から受信側の多機能テレビ１０Ｔに送信される。これにより、受信側の多機能テレビ１０Ｔは、受信した目印情報に基づいてポインティング動作を行うことが可能となる。
【０６５４】
次にＳ２０６６において、コンテンツの共有を終了するか否かが確認される。具体的には、入力部５におけるコンテンツ共有ボタン２１２が押されたことを検出したか否かが判断され、コンテンツ共有ボタン２１２が押されていない限りは（Ｓ２０６６においてＮＯ）、Ｓ２０６４およびＳ２０６５の処理が繰り返されることになる。
【０６５５】
一方、Ｓ２０６６においてＹＥＳ、すなわち、コンテンツ共有ボタン２１２が押されたことが検出されると、通信制御部１３の制御に基づいて通信部７からコンテンツ共有終了信号が受信側の多機能テレビ１０Ｔに送信される（Ｓ２０６７）。これにより、受信側の多機能テレビ１０Ｔは、コンテンツ共有の終了を認識することが可能となる。
【０６５６】
次に、受信側の多機能テレビ１０Ｔにおける処理について、図３３（ｂ）を参照しながら説明する。なお、上記した送信側の処理と同様に、以下の処理に先立って、送信側の多機能テレビ１０Ｔと受信側の多機能テレビ１０Ｔとの間で、テレビ電話機能または音声電話機能によって通信が確立している状態であるものとする。
【０６５７】
Ｓ２０６８では、送信側の多機能テレビ１０Ｔから送信された動画データが通信部７を介して受信される。この受信した動画データは、後に再生指示が行われた際に呼び出すことができるように、画像情報蓄積部２０６に記憶される（Ｓ２０６９）。動画データの受信が完了したらＳ２０７０に進む。なお、送信側の多機能テレビ１０Ｔに対して動画データ受信完了通知を送信するように実装してもよい。送信側の多機能テレビ１０Ｔが動画データ受信完了通知を受信した後にコンテンツ共有の開始指示および動画データの再生命令を送信するような実装であれば、動画データの再生命令は動画データの受信が完了した後にしか受信することはない。
【０６５８】
次にＳ２０７０において、コンテンツ共有の開始指示および動画データの再生命令が通信部７を介して受信される。コンテンツ共有指示信号が受信されたことが通信制御部１３に伝えられることによって、通信制御部１３は、コンテンツ共有の待機状態に移行する。また、動画データの再生命令が通信制御部１３に伝えられることによって、画像情報蓄積部２０６に記憶されている該当動画データの再生が行われる。この動画データの映像は、表示制御部１３の制御に基づいて表示部４に表示される。（Ｓ２０７１）。
【０６５９】
なお、ここでは、テレビ電話機能を利用しながら、同時に動画データの再生を行っていることを想定している。この場合、テレビ電話による映像と動画データの映像とを、マルチ画面形式で表示部４に表示してもよいし、表示内容切り替えボタン２１１によって切り替えながら表示してもよい。
【０６６０】
次にＳ２０７２において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２０７３）。
【０６６１】
なお、テレビ電話による映像と動画データの映像とを、マルチ画面形式で表示部４に表示している場合には、受信した目印情報に含まれる目印の位置情報は、動画データの映像が表示される領域内での相対位置として表示部４に表示されることになる。
【０６６２】
次にＳ２０７４において、コンテンツ共有の終了指示を示すコンテンツ共有終了信号を送信側の多機能テレビ１０Ｔから受信したか否かが通信制御部１３によって確認される。Ｓ２０７４においてＮＯ、すなわち、コンテンツ共有終了信号を受信していない限りは、Ｓ２０７２およびＳ２０７３の処理が繰り返されることになる。
【０６６３】
一方、Ｓ２０７４においてＹＥＳ、すなわち、コンテンツ共有終了信号を受信した場合には、コンテンツの共有が終了することになる。
【０６６４】
なお、受信側の多機能テレビ１０Ｔにおいて、送信側の多機能テレビ１０Ｔから動画データの再生命令を受信した際に、いきなり動画データの再生が行われるのではなく、相手から動画データの再生命令を受信したことが表示されるとともに、利用者によって動画データの再生が承認される、といった確認処理が行われるようになっていてもよい。
【０６６５】
なお、上記第２の動画共有方法では、受信側の多機能テレビ１０Ｔが、送信側の多機能テレビ１０Ｔから動画データをすべて受信し、これを画像情報蓄積部２０６に記憶した後に再生が開始されるようになっているが、この場合、動画データの受信が完了しない間は、動画データの再生ができないことになる。これに対して、動画データの再生を送信側の多機能テレビ１０Ｔで行うとともに、再生された動画情報をストリームデータとして受信側の多機能テレビ１０Ｔに送信する方法としてもよい。このような方法によれば、動画データの送受信に必要とされる時間を待機する必要をなくすことができる。
【０６６６】
また、このような方法によれば、送信側の多機能テレビ１０Ｔにおける再生タイミングと受信側の多機能テレビ１０Ｔにおける再生タイミングとがほとんど同じになるので、送信側と受信側とにおける動画再生タイミングと目印情報との表示タイミングのずれはそれほど大きな問題にはならない。
【０６６７】
しかしながら、ネットワークの混雑などによって、受信側の多機能テレビ１０Ｔにおける動画データの再生品位が低下することも考えられる。このような問題に対しては、上記した第２の動画共有方法のように、送信側の多機能テレビ１０Ｔが有している動画データを前もって受信側の多機能テレビ１０Ｔに送信しておく方法が好ましいことになる。
【０６６８】
また、上記のストリーミング再生を行う方法において、ネットワークの混雑などによって、受信側の多機能テレビ１０Ｔにおいてストリーミング再生を行う際のバッファ量が多くなっている場合には、送信側と受信側とにおける動画再生タイミングと目印情報との表示タイミングのずれが大きくなることが考えられる。これに対応するためには、次のような目印送信方法を行ってもよい。
【０６６９】
第１の目印送信方法としては、目印情報を逐次送信モードによって送信する方法において、送信側の多機能テレビ１０Ｔが、送信する動画データの各パケットのヘッダに、目印情報を含めて送信する方法が挙げられる。この方法によれば、受信側の多機能テレビ１０Ｔにおいて、受信したストリーミング動画データのパケットのヘッダに含まれる目印情報を、該パケットに含まれるデータの表示タイミングに同期して表示することによって、動画再生タイミングと目印情報との表示タイミングのずれをなくすことができる。例えば、映像や音声の伝送プロトコルであるRTP(Real-time Transport Protocol)では、RTPパケットのヘッダの先頭から４バイト目は拡張ビット(extension bit)になっており、拡張ビットを立てることにより、ヘッダを拡張することができる。この拡張したヘッダ領域を利用して、目印の座標位置を送信することができる。
【０６７０】
第２の目印送信方法としては、送信側の多機能テレビ１０Ｔから送信される目印情報に、対応する動画データのどのタイミングで、該目印情報に含まれる各目印を表示すべきかの情報を含める方法が挙げられる。なお、この方法は、上記第１の動画共有方法に対しても適用可能である。上記第１の動画共有方法では、送信側と受信側とで、ネットワーク上の動画データを取得して再生するようになっているが、ここでもストリーミング再生が行われることが考えられる。この場合にも、送信側の多機能テレビ１０Ｔから送信される目印情報に、対応する動画データのどのタイミングで、該目印情報に含まれる各目印を表示すべきかの情報を含めることによって、動画再生タイミングと目印情報との表示タイミングのずれをなくすことができる。
【０６７１】
第３の方法としては、受信側の多機能テレビ１０Ｔにおいて、送信側から最初に指示された目印情報で示されている対象物を画像認識し、その後は、画像認識結果に基づいて目印を追従させる、という方法が挙げられる。この受信側の多機能テレビ１０Ｔの処理を、図４１を用いて説明する。なお、以下の処理に先立って、送信側の多機能テレビ１０Ｔと受信側の多機能テレビ１０Ｔとの間で、テレビ電話機能または音声電話機能によって通信が確立している状態であるものとする。また、送信側および受信側の多機能テレビ１０Ｔにおいて、動画データなどのコンテンツの共有がなされているものとする。
【０６７２】
Ｓ２１２１では、共有がなされているコンテンツが表示部４の画面に表示される。そして、Ｓ２１２２において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２１２３）。そして、目印情報の表示位置と表示位置近辺のパターンとを一時的に記憶する。記憶するパターンは、画像認識によって人や自動車などを識別してもよいし、単なるカラーパターンの記憶であってもよい。
【０６７３】
Ｓ２１２５で一定時間（例えば１秒間）経過した後、Ｓ２１２４で記憶した表示位置近辺で、同じくＳ２１２４で記憶したパターンと類似のパターンが見つかるかを調べる（Ｓ２１２６）。すなわち、Ｓ２１２４で記憶した表示位置から一定距離内で、Ｓ２１２４で記憶したパターンを同一、または一定範囲での大きさの変化、あるいは、一定範囲での回転や変形が施されたとみなしうるパターンが見つかるかどうかを調べる。
【０６７４】
類似のパターンが見つかればＳ２１２７に進み、見つかった類似のパターンの位置に目印を移動して表示し、さらにＳ２１２４の処理に戻る。類似のパターンが見つからなければＳ２１２８に進み、目印を消去して処理を終了する。
【０６７５】
（目印移動制御例）
上記のように、共有コンテンツとして動画データを用いる場合、動画に追随して目印情報を移動させることが重要になる。例えば、図３４（ａ）〜図３４（ｅ）、または、図４３（ａ）〜図４３（ｅ）に示すように、運動会の動画を送信側および受信側の多機能テレビ１０Ｔにおいて再生し、その動画に映っている人物に対して目印をつけて相手に指し示す場合、動画の再生に合わせて人物が動くため、人物の動きに合わせて目印も移動させなければならない。このような目印移動の技術として、既に説明した逐次送信モードが利用できる。なお、図３４（ａ）〜図３４（ｅ）では目印情報の態様として○印を使用しており、図４３（ａ）〜図４３（ｅ）では目印情報の態様として吹き出しを使用し、補足情報として「花子ちゃん」という文字が吹き出しの中に表示されている。
【０６７６】
すなわち、図３２（ａ）または図３３（ａ）にて説明したように、送信側の多機能テレビ１０Ｔで動画データの再生を開始した後、動画に映っている人物に対して目印をつけ、目印情報を受信側の多機能テレビ１０Ｔに送信する。表示画面上の人物が移動した場合には、送信側の多機能テレビ１０Ｔで動画に映っている人物に対する目印をつけ直し、目印の移動に関する情報を受信側の多機能テレビ１０Ｔに送信する。
【０６７７】
一方、図３２（ｂ）または図３３（ｂ）にて説明したように、受信側の多機能テレビ１０Ｔでは動画の再生を開始した後、目印情報を受信するたびに、表示画面上の目印を移動させて表示する。送信側の多機能テレビ１０Ｔでの動画情報の再生開始のタイミングと受信側の多機能テレビ１０Ｔでの動画情報の再生開始のタイミングとが一致しているため、受信側の多機能テレビ１０Ｔで対象となる人物と目印がずれることはない。
【０６７８】
（目印消去制御例）
上記のように、共有コンテンツとして動画データを用いる場合、目印情報を消すということが重要になる。例えば、運動会の動画を送信側および受信側の多機能テレビ１０Ｔにおいて再生し、その動画に映っている人物に対して目印をつけて相手に指し示す場合、対象となる人物が表示画面上から消えてしまった後に目印の表示が残ると、対象となる人物を相手が知る際に混乱してしまうことが考えられる。このような事態にならないためには、必要でなくなった目印は消去するべきである。
【０６７９】
送信側の多機能テレビ１０Ｔにて表示画面から目印を消去するには２つの方法が考えられる。１つの目印消去方法は、特定のキー入力操作子に目印の消去を対応づける方法である。利用者が当該キー入力操作子を操作すると、送信側の多機能テレビ１０Ｔにて表示画面から目印が消える。もう１つの目印消去方法は、目印の表示に関連するキー入力操作子の操作が一定時間なされない場合に目印の消去を行う方法である。利用者が一定時間目印の表示に関係する操作を行わないと、送信側の多機能テレビ１０Ｔにて表示画面から目印が消える。なお、消去の指示を可能とする方法として、入力部５に消去指示に対応するキーを設けてもよいし、何らかのキーを押すことによってメニューが表示され、このメニューの中に含まれる消去指示が選択されるようになっていてもよい。
【０６８０】
いずれの場合にも、送信側の多機能テレビ１０Ｔにて表示画面から目印が消えると、送信側の多機能テレビ１０Ｔから目印の消去命令が受信側の多機能テレビ１０Ｔに対して送られる。受信側の多機能テレビ１０Ｔでは、目印の消去命令を受信すると、表示画面から目印を消去する。
【０６８１】
ここで、上記の目印消去方法における、送信側の多機能テレビ１０Ｔおよび受信側の多機能テレビ１０Ｔにおける処理の流れについて、図３５（ａ）および図３５（ｂ）を参照しながら以下に説明する。同図（ａ）は、送信側の多機能テレビ１０Ｔにおける処理の流れ、同図（ｂ）は、受信側の多機能テレビ１０Ｔにおける処理の流れを示している。
【０６８２】
まず、送信側の多機能テレビ１０Ｔにおける処理について、図３５（ａ）を参照しながら説明する。なお、以下の処理に先立って、送信側の多機能テレビ１０Ｔと受信側の多機能テレビ１０Ｔとの間で、テレビ電話機能または音声電話機能によって通信が確立している状態であるものとする。また、送信側および受信側の多機能テレビ１０Ｔにおいて、動画データなどのコンテンツの共有がなされているものとする。
【０６８３】
Ｓ２０８１では、共有がなされているコンテンツが表示部４の画面に表示される。その後、表示部４に目印が表示され、入力部４からの入力動作に応じて、目印情報移動制御部１４によって、前記したような目印の位置指定動作、種類指定動作、形状指定動作などが行われる。そして、これらの動作に基づいて、目印情報作成部１１によって目印情報が生成される（Ｓ２０８２）。なお、目印情報の生成の方法は、前記した実施の形態で示した方法と同様であるので、ここではその説明を省略する。
【０６８４】
次にＳ２０８３において、目印情報作成部１１によって作成された目印情報が、通信制御部１３の制御に基づいて通信部７から受信側の多機能テレビ１０Ｔに送信される。これにより、受信側の多機能テレビ１０Ｔは、受信した目印情報に基づいてポインティング動作を行うことが可能となる。
【０６８５】
次にＳ２０８４において、目印情報移動制御部２０４が、入力部５によるキー入力によって目印の消去が指示されたか否かを判定する。Ｓ２０８４においてＮＯ、すなわち、目印の消去が指示されていない場合には、Ｓ２０８５において、目印情報移動制御部２０４によって、目印の表示に関係するキー入力が一定時間なされていないかが判定される。Ｓ２０８５においてＮＯ、すなわち、一定時間内に目印の表示に関係するキー入力がなされた場合には、Ｓ２０８２からの処理に戻る。
【０６８６】
一方、Ｓ２０８５においてＹＥＳ、すなわち、目印の表示に関係するキー入力が一定時間なされていない場合には、Ｓ２０８６において、通信制御部１３によって、通信部７を介して受信側の多機能テレビ１０Ｔに対して目印の消去命令が送信される。また、Ｓ２０８７において、表示制御部１３によって、表示部４に表示されている目印の消去が行われる。なお、図示していないが、Ｓ２０８７における目印の消去後に再び入力操作情報を待ち、入力操作情報によって目印の表示が指示されたらＳ２０８２へ戻る構成であってもよい。
【０６８７】
次に、受信側の多機能テレビ１０Ｔにおける処理について、図３５（ｂ）を参照しながら説明する。なお、上記した送信側の処理と同様に、以下の処理に先立って、送信側の多機能テレビ１０Ｔと受信側の多機能テレビ１０Ｔとの間で、テレビ電話機能または音声電話機能によって通信が確立している状態であるものとする。また、送信側および受信側の多機能テレビ１０Ｔにおいて、動画データなどのコンテンツの共有がなされているものとする。
【０６８８】
Ｓ２０８８では、共有がなされているコンテンツが表示部４の画面に表示される。そして、Ｓ２０８９において、送信側の多機能テレビ１０Ｔから送信された目印情報が通信部７を介して受信されると、この目印情報が通信制御部１３から目印情報移動制御部１４に伝送される。そして、目印情報移動制御部１４は、受信した目印情報に基づいて、表示制御部１２に対して目印の表示指示を行い、これによって表示部４に目印が表示される（Ｓ２０９０）。
【０６８９】
次にＳ２０９１において、送信側の多機能テレビ１０Ｔから目印の消去命令が通信部７を介して受信されたか否かが通信制御部１３によって判定される。Ｓ２０９１においてＮＯ、すなわち、目印の消去命令が受信されていない場合には、Ｓ２０８９およびＳ２０９０における処理が繰り返される。
【０６９０】
一方、Ｓ２０９１においてＹＥＳ、すなわち、目印の消去命令が受信された場合には、Ｓ２０９２において、表示制御部１３によって、表示部４に表示されている目印の消去が行われる。なお、図示していないが、Ｓ２０９２における目印の消去後にＳ２０８９へ戻って再び目印情報の受信を待ち、目印情報を受信したら再度目印を表示する構成であってもよい。
【０６９１】
（目印消去制御例その２）
上記の目印消去制御例の変形例として、目印の消去命令を通信せずに、送信側の多機能テレビ１０Ｔと受信側の多機能テレビ１０Ｔとの双方で表示画面から目印を消去する方法について説明する。
【０６９２】
送信側の多機能テレビ１０Ｔでは、先に説明したように、目印の表示に関連するキー入力操作子の操作が一定時間なされない場合に目印の消去を行う方法を用いて目印を消去するが、受信側の多機能テレビ１０Ｔへの目印の消去命令の送信は行わない。その代わりに、受信側の多機能テレビ１０Ｔでは、送信側の多機能テレビ１０Ｔから目印の表示に関連する通信が一定時間なされない場合に目印の消去を行う。送信側の多機能テレビ１０Ｔから一定時間、目印の移動その他の目印の表示に関連する通信を受信しないと、受信側の多機能テレビ１０Ｔにて表示画面から目印が消える。
【０６９３】
送信側の多機能テレビ１０Ｔにおいて目印を消去するか否かを判定するためのキー入力操作子の操作がなされないことを検出する一定時間と、受信側の多機能テレビ１０Ｔにおいて目印を消去するか否かを判定するための表示に関連する通信を受信しないことを検出する一定時間とが同じ間隔であれば、送信側の多機能テレビ１０Ｔにおいて目印が消去されるのとほぼ同時に、受信側の多機能テレビ１０Ｔにおいて目印が消去される。
【０６９４】
図３６（ａ）は、この目印消去制御例における、送信側の多機能テレビ１０Ｔにおける処理の流れ、図３６（ｂ）は、受信側の多機能テレビ１０Ｔにおける処理の流れを示している。
【０６９５】
まず、送信側の多機能テレビ１０Ｔにおける処理の流れについて説明する。図３６（ａ）において、Ｓ２１０１〜Ｓ２１０５の処理は、前記した図３５（ａ）におけるＳ２０８１〜Ｓ２０８３、Ｓ２０８５、およびＳ２０８７の処理と同様である。すなわち、図３６（ａ）による処理は、Ｓ３５（ａ）のＳ２０８４における目印の消去指示検出処理、および、Ｓ２０８６における目印の消去命令の送信処理がないものとなっている点のみ異なり、その他の処理は同様となっている。なお、図示していないが、Ｓ２１０５における目印の消去後に再び入力操作情報を待ち、入力操作情報によって目印の表示が指示されたらＳ２１０２へ戻る構成であってもよい。
【０６９６】
次に、受信側の多機能テレビ１０Ｔにおける処理の流れについて説明する。図３６（ｂ）において、Ｓ２１０６〜Ｓ２１０８、およびＳ２１１０における処理は、前記した図３５（ｂ）におけるＳ２０８８〜Ｓ２０９０、およびＳ２０９２における処理と同様である。図３６（ｂ）による処理では、図３５（ｂ）におけるＳ２０９１における目印の消去命令の受信確認処理の代わりに、Ｓ２１０９において、送信側の多機能テレビ１０Ｔから目印情報を一定時間受信していないか否かの判断が通信制御部１３によって行われる。Ｓ２１０９においてＮＯ、すなわち、一定時間内に目印情報の受信が行われている場合には、Ｓ２１０７からの処理に戻る。一方、Ｓ２１０９においてＹＥＳ、すなわち、目印情報の受信が一定時間なされていない場合には、Ｓ２１１０の処理に移行する。なお、図示していないが、Ｓ２１１０における目印の消去後にＳ２１０７へ戻って再び目印情報の受信を待ち、目印情報を受信したら再度目印を表示する構成であってもよい。
【０６９７】
（目印の表示処理の他の例）
次に、目印の表示処理の他の例について説明する。目印の座標情報を単一に利用するだけでなく、目印の座標情報の組を利用して移動の軌跡を相手の情報通信端末に送る形態も考えられる。例えば、送信側の多機能テレビ１０Ｔと受信側の多機能テレビ１０Ｔとで共有する表示コンテンツが地図であり、送信側の多機能テレビ１０Ｔの利用者が、受信側の多機能テレビ１０Ｔの利用者に対して、道案内をすることが考えられる。このような道案内をする際には、目印の移動の軌跡を相手側に認識させることが重要となる。なお、本実施形態では、送信側および受信側ともに、情報通信端末として多機能テレビ１０Ｔを用いた例を示しているが、道案内を行う例としては、送信側および／または受信側の情報通信端末が携帯型電話機１０であってもよく、情報通信端末の形態は特に限定されるものではない。
【０６９８】
（折れ線矢印による表示態様例）
図３７は、目印の移動の軌跡を折れ線矢印の形式で表示させた表示画面例を示している。同図に示すように、折れ線矢印は、地図上において、開始点Ａ、中継点ＢおよびＣ、到達点Ｄを順に直線でつなぐとともに、到達点Ｄに矢印が示された図形となっている。このような折れ線矢印が受信側の多機能テレビ１０Ｔにおいて表示されれば、受信側の利用者は、どのような経路をたどって目的地まで行けばよいかを明確に把握することができる。
【０６９９】
このような折れ線矢印からなる目印を送受信するには、次のようにすればよい。送信側の多機能テレビ１０Ｔでは、次のような処理が行われる。まず、目印の種類および形状が、折れ線矢印となるように設定される。その後、開始点、中継点、および到達点の位置指定が行われるとともに、指定された位置がバッファに格納される。利用者によって到達点まで位置指定が行われ、確定指示が行われると、バッファに格納された入力操作情報が受信側の多機能テレビ１０Ｔに送信される。
【０７００】
なお、これらの処理の詳細については、基本的には前記した実施の形態と同様である。異なる点としては、入力操作情報に含まれる目印の位置情報は、開始点、中継点、および到達点についての位置情報であり、絶対位置指定や相対位置指定の途中の位置については含まれない点である。
【０７０１】
一方、受信側の多機能テレビ１０Ｔでは、入力操作情報を受信すると、まず折れ線矢印であることが認識される。そして、開始点、中継点、および到達点の位置情報を認識することによって、折れ線矢印が表示される。
【０７０２】
なお、上記の処理では、開始点、中継点、および到達点の位置指定は、一旦バッファに格納され、確定した時点で入力操作情報が送信側の多機能テレビ１０Ｔから受信側の多機能テレビ１０Ｔに送信されるようになっている。これに対して、前記した逐次送信モードによって入力操作情報が送信されるようになっていてもよい。この場合、最初に折れ線矢印であることが送信側の多機能テレビ１０Ｔから受信側の多機能テレビ１０Ｔへ伝えられ、受信側の多機能テレビ１０Ｔは、入力操作情報が逐次送られてくると、折れ線矢印を受信した順に延ばしていくようにすることによって実現することができる。
【０７０３】
（逐次送信モードによる表示態様例）
上記のように目印の表示態様を折れ線矢印に設定すれば道案内は簡単にできるが、図６（ｃ）に示したように事前に適用目印の表示態様の候補をとりきめておき、適用目印の表示態様の候補を１つ選択し所望の座標に表示するといった単純なやり方では、折れ線矢印の目印情報を通信することはできない。そこで、図３８に示すように、逐次送信モードを用いて、目印を順に移動して道案内を行うようにしてもよい。
【０７０４】
図３８に示す例について説明する。まず、送信側の多機能テレビ１０Ｔにおいて、開始点として座標（100,400）が指定されると、これが逐次送信モードによって受信側の多機能テレビ１０Ｔに送信され、該当位置に目印が表示される。その後、中継点として座標（100,300）、（300,300）、（500,300）が、到達点として座標（500,150）が送信側の多機能テレビ１０Ｔにおいて順に指定され、これが逐次送信モードによって受信側の多機能テレビ１０Ｔに送信され、該当位置に目印が順に表示される。
【０７０５】
以上のような処理が行われれば、受信側の多機能テレビ１０Ｔでは目印がアニメーション的に移動することになるので、道案内が実現される。また、前記した実施の形態における逐次送信モードを用いればよいだけなので、実装も簡単である。
【０７０６】
（軌跡情報送信による表示態様例）
上記の逐次送信モードによる表示態様例の場合、目印が移動するたびに入力操作情報が送信側の多機能テレビ１０Ｔから受信側の多機能テレビ１０Ｔへ送信されることになる。すなわち、目印の移動のたびに通信処理が発生してしまうという問題がある。そこで、目印の移動のたびに通信処理が発生しない実施例として、目印の座標情報の組を利用して、移動の軌跡を軌跡情報としてまとめて送信側の多機能テレビ１０Ｔから受信側の多機能テレビ１０Ｔへ送る方法について説明する。図３９は、軌跡情報を送受信する際の送信側の多機能テレビ１０Ｔおよび受信側の多機能テレビ１０Ｔにおける表示例を示している。
【０７０７】
入力操作情報の送信モードとしては、確定情報送信モードを用いるものとする。まず、送信側の多機能テレビ１０Ｔにおいて、開始点として座標（100,400）が指定される。この時点では、この位置情報は受信側に送信されず、送信側の多機能テレビ１０Ｔにおけるバッファに蓄えられることになる。その後、中継点として座標（100,300）、（300,300）、（500,300）が、到達点として座標（500,150）が送信側の多機能テレビ１０Ｔにおいて順に指定され、この情報がバッファに蓄えられる。
【０７０８】
そして、これらの開始点、中継点、および到達点が確定されると、これらの点の位置情報がバッファから読み出され、軌跡情報が目印情報作成部１１によって生成される。そして、この軌跡情報を含む入力操作情報が送信側の多機能テレビ１０Ｔから受信側の多機能テレビ１０Ｔへ向けて送信される。受信側の多機能テレビ１０Ｔは、軌跡情報を含む入力操作情報を受信すると、開始点から到達点までを順に所定の時間間隔（例えば１秒）で目印を移動させて表示する。この受信側の多機能テレビ１０Ｔの処理を、図４２を用いて説明する。なお、以下の処理に先立って、送信側の多機能テレビ１０Ｔと受信側の多機能テレビ１０Ｔとの間で、テレビ電話機能または音声電話機能によって通信が確立している状態であるものとする。また、送信側および受信側の多機能テレビ１０Ｔにおいて、動画データなどのコンテンツの共有がなされているものとする。
【０７０９】
Ｓ２１３１では、共有がなされているコンテンツが表示部４の画面に表示される。そして、Ｓ２１３２において、送信側の多機能テレビ１０Ｔから送信された軌跡情報を含む入力操作情報が通信部７を介して受信されると、この軌跡情報を含む入力操作情報が通信制御部１３から目印情報移動制御部１４に伝送される。そして、目印情報移動制御部１４は、受信した軌跡情報から最初の座標の目印情報を読み出し（Ｓ２１３３）、表示制御部１２に対して目印の表示指示を行い、これによって表示部４に目印が表示される（Ｓ２１３４）。そして、目印情報の表示位置と表示位置近辺のパターンとを一時的に記憶する。表示した目印情報が軌跡情報に含まれる最後の座標の目印情報である場合には、処理を終了する（Ｓ２１３５）。
【０７１０】
表示した目印情報が軌跡情報に含まれる最後の座標の目印情報でない場合には、Ｓ２１３６で一定時間（例えば１秒間）経過した後、受信した軌跡情報から次の座標の目印情報を読み出し（Ｓ２１３７）、表示制御部１２に対して目印を移動して表示するように表示指示を行い、これによって表示部４に目印が表示される（Ｓ２１３８）。その後、Ｓ２１３５に戻り、表示した目印情報が軌跡情報に含まれる最後の座標の目印情報かどうかを判別する。
【０７１１】
Ｓ２１３８における表示制御部１２に対して目印を移動して表示する表示指示は、既に表示している目印を消去して新しい座標位置に目印を表示することであるが、既に表示している目印を消去せずに新しい座標位置に目印を表示してもかまわない。また、目印の態様は、受信した軌跡情報を含む入力操作情報に含まれる目印の態様に従って変更してもよいし、受信側の多機能テレビ１０Ｔにあらかじめ固定的に設定された方法で目印の態様に従って変更してもよいし、直前に目印を表示した座標位置からの移動方向や移動距離に応じて目印の態様を変更してもよいし、もちろん目印の態様を変更しなくてもよい。なお、直前に目印を表示した座標位置からの移動方向や移動距離に応じて目印の態様を変更する実施例については、詳細に後述する。
【０７１２】
以上のような処理が行われれば、受信側の多機能テレビ１０Ｔでは目印がアニメーション的に移動することになるので、道案内が実現される。また、入力操作情報の送受信は、開始点から到達点までが確定した後に行われることになるので、通信処理の回数を低く抑えることが可能となる。
【０７１３】
（目印の表示態様の他の例）
図４０（ａ）〜図４０（ｅ）は、目印を移動させて表示させる際に、目印の表示態様を変更する場合の表示画面例を示している。この例では、目印の表示態様を、目印の移動方向および移動距離に応じて変更するようになっており、一例として、目印の表示態様として擬人化キャラクタを用いている。
【０７１４】
受信側の多機能テレビ１０Ｔは、送信側の多機能テレビ１０Ｔから軌跡情報を含む入力操作情報を受信する。そして、受信側の多機能テレビ１０Ｔにおいて、目印情報移動制御部１４は、表示制御部１２に対して、受信した軌跡情報に従い、図４０（ａ）に示すとおり、まず最初の座標情報に目印を表示するように指示を行う。このとき、目印の表示態様として、擬人化キャラクタが立ち止っている絵を用いる。以下、目印の移動表示は、目印情報移動制御部１４による表示制御部１２に対する指示によって行われる。次に、図４０（ｂ）では、図４０（ａ）の座標位置に対して上方向に短距離移動した座標に目印を表示する。このとき、目印の表示態様として、擬人化キャラクタが上方向に向かって歩いている絵を用いる。これは、移動方向が上方向であるため上方向に向かっている絵を選択し、移動距離が短距離なので歩いている絵を選択している。
【０７１５】
次に、図４０（ｃ）では、図４０（ｂ）の座標位置に対して右方向に長距離移動した座標に目印を表示する。このとき、目印の表示態様として、擬人化キャラクタが右方向に向かって走っている絵を用いる。これは、移動方向が右方向であるため右方向に向かっている絵を選択し、移動距離が長距離なので走っている絵を選択している。以下、図４０（ｄ）、図４０（ｅ）でも、目印軌跡情報に応じて、直前の座標からの移動方向と移動距離に応じて、目印の表示態様としての擬人化キャラクタの絵を選択する。これにより、道案内のための目印の移動が、より利用者にわかりやすく表示される。
【０７１６】
なお、本発明の目的は、上述した実施形態１・２・３における携帯型電話機１０または通信機能を搭載した多機能テレビ１０Ｔによって達成する以外にも、制御部１が備えている各機能ブロックを実現するソフトウェアである端末制御プログラムとしても達成可能である。
【０７１７】
また、本発明の目的は、上述した機能を実現するソフトウェアであるプログラムのプログラムコードをコンピュータで読み取り可能に記録した記録媒体を、システムあるいは装置に供給し、そのシステムあるいは装置のコンピュータ（またはＣＰＵ，ＭＰＵ）が記録媒体に記録されているプログラムコードを読み出し実行することによっても達成可能である。この場合、記録媒体から読み出されたプログラムコード自体が上述した機能を実現することになり、そのプログラムコードを記録した記録媒体は本発明を構成する。
【０７１８】
なお、上記記録媒体は、磁気テープやカセットテープ、フロッピー（登録商標）ディスク、ハードディスク等の磁気ディスクや、ＣＤ−ＲＯＭ／ＭＯ／ＭＤ／ＤＶＤ／ＣＤ−Ｒ等の光ディスク、ＩＣカード（メモリカードを含む）、あるいはマスクＲＯＭ／ＥＰＲＯＭ／ＥＥＰＲＯＭ／フラッシュＲＯＭ等の半導体メモリ等を用いることができる。
【０７１９】
なお、上記各実施形態の携帯型電話機１０または多機能テレビ１０Ｔでは、絶対位置指定モードにおいて目印の種類と形状を、相対位置指定モードにおいて目印のサイズを変更するようにしているが、本発明はこれに限定されるものではない。例えば、どちらのモードでも、目印の種類と形状とサイズを変更するようにしてもよいし、目印の線種や色も変更できるようにしてもよい。さらに、各操作にダイヤルボタン以外のボタンを使用してもよい。
【０７２０】
また、上記各実施形態では、絶対位置指定モード、相対位置指定モード、確定、または座標指定前や座標指定中であることを示すために、目印の線種や濃度等の表示態様を変化させているが、本発明はこれに限定されるものではなく、目印の色や、種類や、形状や、サイズを変化させてもよい。
【０７２１】
また、上記各実施形態では、本発明を携帯型電話機または多機能テレビ１０Ｔに適用した場合について説明したが、本発明は特にこれらに限定されるものではなく、例えば、ディスプレイ付きの電話機や、ディスプレイ付きのＦＡＸ、ディスプレイ付きのコードレス子機等にも適用可能である。
【０７２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０７２３】
また、本発明は、複数のネットワーク情報通信端末において、自入力の入力操作により発生する、ポインティング表示と連動させた表示を、他の情報通信端末に行わせしめる情報を通信する情報通信端末であって、表示画面上の領域を、キーの配置位置と同じに対応させ、キーを押下することで表示領域を指定する手段と、指定した領域の位置を示す、目印を表示する手段と、他の情報通信端末に、上記指定された表示領域を指定する領域指定情報、または目印情報を構成する要素のうち、少なくともひとつの送信情報を送信する手段を有することを特徴とする情報通信端末であってもよい。
【０７２４】
また、本発明は、表示画面上の領域を、少なくとも一つ以上に分割指定できる機能を有する情報通信端末であって、受信された領域を指定する情報、または領域を示す目印に関する情報の、少なくともにいずれかに基づいて、上記領域の位置を示す目印を、上記領域内に表示することを特徴とする情報通信端末と表現することもできる。
【０７２５】
本発明は、複数のネットワーク情報通信端末において、自入力の入力操作により発生する、ポインティング表示と連動させた表示を、他の情報通信端末に行わせしめる情報を通信する情報通信端末を制御するコンピュータに実行させるプログラムを記憶した記憶媒体であって、表示画面上の領域を、キーの配置位置と同じに対応させ、キーを押下することで表示領域を指定する機能と、指定した領域の位置を示す、目印を表示する機能と、他の情報通信端末に、上記指定された表示領域を指定する領域指定情報、または目印情報を構成する要素のうち、少なくともひとつの送信情報を送信することを特徴とするコンピュータに実行させる端末制御プログラムを記録した記録媒体であってもよい。
【０７２６】
また、本発明は、表示画面上の領域を、少なくとも一つ以上に分割指定できる機能を有する情報通信端末を制御するコンピュータに実行させるプログラムを記憶した記憶媒体であって、受信された領域を指定する情報、または領域を示す目印に関する情報の、少なくともにいずれかに基づいて、上記領域の位置を示す目印を、上記領域内に表示することを特徴とするコンピュータに実行させる端末制御プログラムを記憶した記憶媒体であってもよい。
【産業上の利用可能性】
【０７２７】
本発明に係る情報通信端末は、通信先の情報通信端末と何らかのコンテンツを共有する場合に効果を奏するものであるので、携帯型電話機、通信機能を有する多機能テレビの他に、例えば、通信機能を有するコンピュータ（デスクトップ型、ノートブック型、ＰＤＡ（Personal Digital Assistant）型などを含む）などにも適用可能である。
【図面の簡単な説明】
【０７２８】
【図１】本発明の一実施形態を示す携帯型電話機の機能ブロック図である。
【図２】図１の携帯型電話機の外観を示す図である。
【図３】（ａ），（ｂ）は、送信側および受信側の携帯型電話機の全体的な動作を示すフローチャートである。
【図４】図１の携帯型電話機を送信側として用いた場合の処理の一例を示すフローチャートである。
【図５】図１の携帯型電話機を送信側として用いた場合の図４に続く処理例を示すフローチャートである。
【図６】（ａ）〜（ｅ）は、図１の携帯型電話機におけるポインティング操作に必要な情報の一例を示す図である。
【図７】（ａ）〜（ｄ）は、本発明の一実施形態に係る携帯型電話機による、逐次送信モードに設定された場合における動作例を示す図である。
【図８】（ａ）〜（ｄ）は、図７と同様に、逐次送信モードに設定された場合における動作例を示す図である。
【図９】送信側および受信側の携帯型電話機が有している表示画面の解像度が異なる場合の動作の概要を示す図である。
【図１０】図１の携帯型電話機が使用する目印情報の種類、形状の変更遷移を示す図である。
【図１１】本発明の一実施形態に係る携帯型電話機の受信側の処理の一例を示すフローチャートである。
【図１２】本発明の一実施形態に係る携帯型電話機の受信側の図１１に続く処理例を示すフローチャートである。
【図１３】（ａ）〜（ｄ）は、本発明の一実施形態に係る携帯型電話機による、逐次送信モードに設定されていない場合における動作例を示す図である。
【図１４】（ａ）〜（ｄ）は、図１３と同様に、逐次送信モードに設定されていない場合における動作例を示す図である。
【図１５】本発明の他の実施形態に係る携帯型電話機の送信側の処理の一例を示すフローチャートである。
【図１６】本発明の他の実施形態に係る携帯型電話機の送信側の図１５に続く処理例を示すフローチャートである。
【図１７】（ａ）〜（ｇ）は、図１の携帯型電話機が使用するポインティング操作に必要な情報の他の例を示す図である。
【図１８】（ａ）〜（ｄ）は、本発明の他の実施形態に係る携帯型電話機による、逐次送信モードに設定されている場合の動作の一例を示す図である。
【図１９】（ａ）〜（ｄ）は、図１８と同様に、逐次送信モードに設定されている場合の動作の一例を示す図である。
【図２０】本発明の他の実施形態に係る携帯型電話機における受信側の処理を示すフローチャートである。
【図２１】（ａ）〜（ｄ）は、本発明の他の実施形態に係る携帯型電話機による、逐次送信モードに設定されていない場合の動作の一例を示す図である。
【図２２】（ａ）〜（ｃ）は、図２１と同様に、逐次送信モードに設定されていない場合の動作の一例を示す図である。
【図２３】送信側および受信側の携帯型電話機が有している表示画面の解像度が異なる場合の動作の概要を示す図である。
【図２４】本発明の一実施形態に係る多機能テレビの概略構成を示すブロック図である。
【図２５】（ａ）は、上記多機能テレビの外観を示す正面図であり、（ｂ）は、上記多機能テレビが有する入力部としてのリモコンの外観を示す平面図である。
【図２６】（ａ）〜（ｃ）は、上記多機能テレビにおけるポインティング処理の推移を示す表示画面図である。
【図２７】上記多機能テレビにおいて、テレビ番組を表示させた状態でポインティングを行った状態の一例を示す表示画面図である。
【図２８】テレビ番組を共有する例において、（ａ）は、送信側の多機能テレビ１０Ｔにおける処理の流れを、（ｂ）は、受信側の多機能テレビ１０Ｔにおける処理の流れを示すフローチャートである。
【図２９】上記多機能テレビにおいて、Ｗｅｂページを表示させた状態でポインティングを行った状態の一例を示す表示画面図である。
【図３０】Ｗｅｂページを共有する例において、（ａ）は、送信側の多機能テレビ１０Ｔにおける処理の流れを、（ｂ）は、受信側の多機能テレビ１０Ｔにおける処理の流れを示すフローチャートである。
【図３１】上記多機能テレビにおいて、動画を表示させた状態でポインティングを行った状態の一例を示す表示画面図である。
【図３２】ネットワーク上の動画データを共有する例において、（ａ）は、送信側の多機能テレビ１０Ｔにおける処理の流れを、（ｂ）は、受信側の多機能テレビ１０Ｔにおける処理の流れを示すフローチャートである。
【図３３】ネットワーク上の動画データを共有する他の例において、（ａ）は、送信側の多機能テレビ１０Ｔにおける処理の流れを、（ｂ）は、受信側の多機能テレビ１０Ｔにおける処理の流れを示すフローチャートである。
【図３４】同図（ａ）〜（ｅ）は、上記多機能テレビ１０Ｔにおいて、動画に応じて目印を移動させた場合の表示例を示す表示画面図である。
【図３５】目印を消去する処理の例において、（ａ）は、送信側の多機能テレビ１０Ｔにおける処理の流れを、（ｂ）は、受信側の多機能テレビ１０Ｔにおける処理の流れを示すフローチャートである。
【図３６】目印を消去する処理の他の例において、（ａ）は、送信側の多機能テレビ１０Ｔにおける処理の流れを、（ｂ）は、受信側の多機能テレビ１０Ｔにおける処理の流れを示すフローチャートである。
【図３７】目印の移動の軌跡を折れ線矢印の形式で表示させた場合の表示例を示す表示画面図である。
【図３８】逐次送信モードによって目印の移動を通信する例を示す図である。
【図３９】確定情報送信モードによって目印の移動を通信する例を示す図である。
【図４０】同図（ａ）〜（ｅ）は、目印の表示態様を、目印の移動方向および移動距離に応じて変更する場合の表示例を示す表示画面図である。
【図４１】受信側の多機能テレビにおいて、送信側から最初に指示された目印情報で示されている対象物を画像認識し、その後は、画像認識結果に基づいて目印を追従させる処理の流れを示すフローチャートである。
【図４２】軌跡情報に基づいて目印の表示を行う場合の受信側の多機能テレビ１０Ｔにおける処理の流れを示すフローチャートである。
【図４３】同図（ａ）〜（ｅ）は、上記多機能テレビ１０Ｔにおいて、動画に応じて目印を移動させた場合の表示例を示す表示画面図である。
【符号の説明】
【０７２９】
１      制御部
２      ＲＯＭ
３      ＲＡＭ
４      表示部
４ａ    有効表示エリア
５      入力部（入力受付部）
５ａ    ダイヤルボタン
６      音声処理部
６ａ    受話部
６ｂ    送話部
７      通信部
７ａ    アンテナ
１０      携帯型電話機（情報通信端末）
１０Ｔ    多機能テレビ（情報通信端末）
１１      目印情報作成部（目印情報作成手段）
１２      表示制御部（表示制御手段）
１３      通信制御部（通信制御手段）
１４      目印情報移動制御部（目印情報移動制御手段）
２０ａ    表示部（送信側）
２０ｂ    表示部（受信側）
２１ｂ    有効表示エリア（受信側）
２１ａ    有効表示エリア（送信側）
２２      ダイヤルボタン
２３ａ    目印（送信側）
２３ｂ    目印（受信側）
３１      矢印（目印）
３２      十字（目印）
３３      丸（目印）
３４      四角（目印）
７０ａ    表示部（送信側）
７１ａ    目印（送信側）
７２ａ    分割グリッド線
７０ｂ    表示部（受信側）
７１ｂ    目印（受信側）
８０ａ    表示部（送信側）
８１ａ    目印（送信側）
８２ａ    分割グリッド線
８０ｂ    表示部（受信側）
８１ｂ    目印（受信側）
１２０ａ    表示部（送信側）
１２１ａ    目印（送信側）
１２２ａ    分割グリッド線
１２０ｂ    表示部（受信側）
１２１ｂ    目印（受信側）
１３０ａ    表示部（送信側）
１３１ａ    目印（送信側）
１３２ａ    分割グリッド線
１３０ｂ    表示部（受信側）
１３１ｂ    目印（受信側）
２０１    テレビ放送受信部
２０２    カメラ
２０３    チャンネル設定部（チャンネル設定手段）
２０４    ネットワークコンテンツ受信部（ネットワークコンテンツ受信手段）
２０５    画像情報保持部
２０６    画像情報蓄積部
【図１】
0004767499.tif 000002
【図２】
0004767499.tif 000003
【図３】
0004767499.tif 000004
【図４】
0004767499.tif 000005
【図５】
0004767499.tif 000006
【図６】
0004767499.tif 000007
【図７】
0004767499.tif 000008
【図８】
0004767499.tif 000009
【図９】
0004767499.tif 000010
【図１０】
0004767499.tif 000011
【図１１】
0004767499.tif 000012
【図１２】
0004767499.tif 000013
【図１３】
0004767499.tif 000014
【図１４】
0004767499.tif 000015
【図１５】
0004767499.tif 000016
【図１６】
0004767499.tif 000017
【図１７】
0004767499.tif 000018
【図１８】
0004767499.tif 000019
【図１９】
0004767499.tif 000020
【図２０】
0004767499.tif 000021
【図２１】
0004767499.tif 000022
【図２２】
0004767499.tif 000023
【図２３】
0004767499.tif 000024
【図２４】
0004767499.tif 000025
【図２５】
0004767499.tif 000026
【図２６】
0004767499.tif 000027
【図２７】
0004767499.tif 000028
【図２８】
0004767499.tif 000029
【図２９】
0004767499.tif 000030
【図３０】
0004767499.tif 000031
【図３１】
0004767499.tif 000032
【図３２】
0004767499.tif 000033
【図３３】
0004767499.tif 000034
【図３４】
0004767499.tif 000035
【図３５】
0004767499.tif 000036
【図３６】
0004767499.tif 000037
【図３７】
0004767499.tif 000038
【図３８】
0004767499.tif 000039
【図３９】
0004767499.tif 000040
【図４０】
0004767499.tif 000041
【図４１】
0004767499.tif 000042
【図４２】
0004767499.tif 000043
【図４３】
0004767499.tif 000044